(57)【要約】【課題】より多くのケースにおいて固定ブロードバンドアクセスネットワークの制御に必要な情報をコアネットワークノードが取得することを可能にする。【解決手段】本発明の装置は、基地局が通信する端末装置と通信する無線通信装置が、第１の無線通信装置から第２の無線通信装置に変更される場合に、当該第２の無線通信装置のアドレス情報及びトランスポート識別情報を含む第１のメッセージを、コアネットワークノードへ送信する通信処理部、を備える。【選択図】図１９
2017068915.tif 000002
【特許請求の範囲】
【請求項１】
端末装置と通信するSeNBを、ソースSeNBからターゲットSeNBに変更するとき、
アドレス情報とUDPポート情報とを含むE-RAB MODIFICATION INDICATIONメッセージを、コアネットワークノードに送信する、装置。
【請求項２】
前記アドレス情報は、前記ターゲットSeNBのローカルIPアドレスである、請求項１に記載の装置。
【請求項３】
前記装置は、前記アドレス情報と前記UDPポート情報とを、前記ターゲットSeNBから受信する、請求項１または２に記載の装置。
【請求項４】
前記装置は、前記ターゲットSeNBからSENB ADDITION REQUEST ACKNOWLEDGEメッセージを受信し、
前記アドレス情報と前記UDPポート情報は、前記SENB ADDITION REQUEST ACKNOWLEDGEメッセージに含まれる、請求項１乃至３のいずれか一項に記載の装置。
【請求項５】
前記コアネットワークノードは、ＭＭＥである、請求項１乃至４のいずれか一項に記載の装置。
【請求項６】
前記装置は、基地局、前記基地局のための基地局装置、又は当該基地局装置のためのモジュールである、請求項１乃至５のいずれか一項に記載の装置。
【請求項７】
前記装置はMeNBである、請求項１乃至６のいずれか１項に記載の装置。
【請求項８】
端末装置と通信するSeNBを、ソースSeNBからターゲットSeNBに変更するとき、
アドレス情報とUDPポート情報とを含むE-RAB MODIFICATION INDICATIONメッセージを、MeNBから受信する、装置。
【請求項９】
前記アドレス情報は、前記ターゲットSeNBのローカルIPアドレスである、請求項８に記載の装置。
【請求項１０】
前記アドレス情報と前記UDPポート情報は、前記MeNBが前記ターゲットSeNBから受信した情報である、請求項８または９に記載の装置。
【請求項１１】
前記MeNBは、前記ターゲットSeNBからSENB ADDITION REQUEST ACKNOWLEDGEメッセージを受信し、
前記アドレス情報と前記UDPポート情報は、前記SENB ADDITION REQUEST ACKNOWLEDGEメッセージに含まれる、請求項８乃至１０のいずれか一項に記載の装置。
【請求項１２】
前記装置は、MMEである、請求項８乃至１１のいずれか一項に記載の装置。
【請求項１３】
前記装置は、前記アドレス情報と前記UDPポート情報を含むメッセージを、コアネットワークノードへ送信する、請求項８乃至１２のいずれか一項に記載の装置。
【請求項１４】
前記コアネットワークノードは、Ｓ−ＧＷ（Serving Gateway）である、請求項１３に記載の装置。
【請求項１５】
前記メッセージは、ＭＯＤＩＦＹ  ＢＥＡＲＥＲ  ＲＥＱＵＥＳＴメッセージである、請求項１３または１４に記載の装置。
【請求項１６】
MeNBからSENB ADDITON REQUESTを受信した後、アドレス情報とUDPポート情報とを含むSENB ADDITON REQUEST ACKNOWLEDGEを、前記MeNBに送信する、装置。
【請求項１７】
前記アドレス情報は、SeNBのローカルIPアドレスである、請求項１６に記載の装置。
【請求項１８】
前記装置は前記SeNBである、請求項１６または１７に記載の装置。
【請求項１９】
SeNBから、アドレス情報とUDPポート情報とを含むSENB ADDITON REQUEST ACKNOWLEDGEを受信したとき、
前記アドレス情報と前記UDPポート情報とを含むE-RAB MODIFICATION INDICATIONメッセージを、コアネットワークノードに送信する、装置。
【請求項２０】
前記アドレス情報は、前記SeNBのローカルIPアドレスである、請求項１９に記載の装置。
【請求項２１】
前記コアネットワークノードは、ＭＭＥ（Mobility Management Entity）である、請求項１９または２０に記載の装置。
【請求項２２】
前記装置は、基地局、前記基地局のための基地局装置、又は当該基地局装置のためのモジュールである、請求項１９乃至２１のいずれか一項に記載の装置。
【請求項２３】
前記装置はMeNBである、請求項１９乃至２２のいずれか１項に記載の装置。
【請求項２４】
SeNBへSENB ADDITON REQUESTを送信した後、アドレス情報とUDPポート情報とを含むSENB ADDITON REQUEST ACKNOWLEDGEを、前記SeNBから受信する、装置。
【請求項２５】
前記SENB ADDITON REQUEST ACKNOWLEDGEを受信した後、
前記アドレス情報とUDPポート情報とを含むE-RAB MODIFICATION INDICATIONメッセージを、コアネットワークノードに送信する、請求項２４に記載の装置。
【請求項２６】
前記コアネットワークノードは、ＭＭＥ（Mobility Management Entity）である、請求項２５に記載の装置。
【請求項２７】
前記アドレス情報は、前記SeNBのローカルIPアドレスである、請求項２４乃至２６のいずれか一項に記載の装置。
【請求項２８】
前記装置はMeNBである、請求項２４乃至２７のいずれか一項に記載の装置。
【請求項２９】
端末装置と通信するSeNBを、ソースSeNBからターゲットSeNBに変更するとき、
前記ターゲットSeNBのローカルIPアドレスを含むE-RAB MODIFICATION INDICATIONメッセージを、コアネットワークノードに送信する、装置。
【請求項３０】
前記E-RAB MODIFICATION INDICATIONメッセージは更に、UDPポート情報も含む、請求項２９に記載の装置。
【請求項３１】
前記装置は、前記ローカルIPアドレスを、前記ターゲットSeNBから受信する、請求項２９または３０に記載の装置。
【請求項３２】
前記装置は、前記ターゲットSeNBからSENB ADDITION REQUEST ACKNOWLEDGEメッセージを受信し、
前記ローカルIPアドレスは、前記SENB ADDITION REQUEST ACKNOWLEDGEメッセージに含まれる、請求項２９乃至３１のいずれか一項に記載の装置。
【請求項３３】
前記コアネットワークノードは、ＭＭＥ（Mobility Management Entity）である、請求項２９乃至３２のいずれか一項に記載の装置。
【請求項３４】
前記装置は、基地局、前記基地局のための基地局装置、又は当該基地局装置のためのモジュールである、請求項２９乃至３３のいずれか一項に記載の装置。
【請求項３５】
前記装置はMeNBである、請求項２９乃至３４のいずれか１項に記載の装置。
【発明の詳細な説明】
【技術分野】
【０００１】
本発明は、固定ブロードバンドアクセス（Fixed  Broadband  Access：ＦＢＡ）ネットワークの制御に関連する装置に関する。
【背景技術】
【０００２】
３ＧＰＰ（Third  Generation  Partnership  Project）システムの構成要素を固定ブロードバンドアクセスネットワークが接続しており、当該３ＧＰＰシステムにおいてパケット通信が行われる場合に、ＰＣＲＦ（Policy  and  Charging  Rules  Function）は、Ｐ−ＧＷ（Packet  data  network  Gateway）から受け取った基地局のローカルＩＰアドレス（即ち、ＩＰｓｅｃトンネルのｏｕｔｅｒ  ＩＰアドレス、パブリックＩＰアドレス、又はグローバルＩＰアドレス）及びＵＤＰポート番号を、ＰＣＲＦ内のＱｏＳ（Quality  of  Service）情報とともに固定ブロードバンドアクセスネットワークへ送信する。【０００３】
固定ブロードバンドアクセスネットワークは、上記ＱｏＳ情報をＤＳＣＰ（Differentiated  Service  Code  Point）に変換し、ＰＣＲＦから受信した上記ローカルＩＰアドレスと上記ＵＤＰポート番号に対応付けられる回線への適用を行い、３ＧＰＰシステムの利用者用の帯域の制御を行う。【０００４】
例えば、非特許文献１（例えば、Ｆｉｇｕｒｅ  ９．１．５、及び、Ｆｉｇｕｒｅ  ９．３．４−１）には、上述したような処理が開示されている。【０００５】
なお、非特許文献２（例えば、Ｆｉｇｕｒｅ  ５．７．２．１−１、及び、Ｆｉｇｕｒｅ  Ａ．３−１）には、ホームアクセスネットワークにおけるハンドオーバの手続きが開示されている。また、非特許文献３（例えば、Ｆｉｇｕｒｅ  １０．１．２．８．４−１）には、デュアルコネクティビティのＳｅＮＢの変更の手続きが開示されている。また、非特許文献４及び非特許文献５には、ハイブリッドセルが使用される場合の手続きが開示されている。
【先行技術文献】
【非特許文献】
【０００６】
【非特許文献１】3GPP  TS  23.139  V12.0.0  “3rd  Generation  Partnership  Project;  Technical  Specification  Group  Services  and  System  Aspects;3GPP  system  -  fixed  broadband  access  network  interworking;  Stage  2  (Release  12)”
【非特許文献２】3GPP  TS  25.467  V12.3.0  “3rd  Generation  Partnership  Project;  Technical  Specification  Group  Radio  Access  Network;  UTRAN  architecture  for  3G  Home  Node  B  (HNB);Stage  2  (Release  12)”
【非特許文献３】3GPP  TS  36.300  V13.0.0  “3rd  Generation  Partnership  Project;  Technical  Specification  Group  Radio  Access  Network;  Evolved  Universal  Terrestrial  Radio  Access  (E-UTRA)  and  Evolved  Universal  Terrestrial  Radio  Access  Network  (E-UTRAN);  Overall  description;  Stage  2  (Release  13)”
【非特許文献４】3GPP  R3-151949  “CHANGE  REQUEST”
【非特許文献５】3GPP  R3-151995  “CHANGE  REQUEST”
【発明の概要】
【発明が解決しようとする課題】
【０００７】
しかし、上記特許文献２〜５の各々に開示されている手続きでは、ターゲット基地局（例えば、ターゲットＨＮＢ（Home  Node  B）、又は変更後のＳｅＮＢ（Secondary  evolved  Node  B））のＩＰアドレス及びＵＤＰポート番号が、コアネットワークノードへ送信されない。その結果、固定ブロードバンドアクセスネットワークの制御（例えば、帯域制御）がＰＣＲＦを通じて行われず、３ＧＰＰシステムの利用者の通信品質の維持／向上、及び／又は、基地局毎のＲＡＢ（Radio  Access  Bearer）の収容数の適正化が、不可能になり得る。【０００８】
本発明の目的は、より多くのケースにおいて、例えば固定ブロードバンドアクセスネットワークの制御に必要な情報をコアネットワークノードが取得することを可能にすることにある。
【課題を解決するための手段】
【０００９】
本発明の第１の装置は、端末装置と通信するSeNBを、ソースSeNBからターゲットSeNBに変更するとき、アドレス情報とUDPポート情報とを含むE-RAB MODIFICATION INDICATIONメッセージを、コアネットワークノードに送信する。【００１０】
本発明の第２の装置は、端末装置と通信するSeNBを、ソースSeNBからターゲットSeNBに変更するとき、アドレス情報とUDPポート情報とを含むE-RAB MODIFICATION INDICATIONメッセージを、MeNBから受信する。【００１１】
本発明の第３の装置は、MeNBからSENB ADDITON REQUESTを受信した後、アドレス情報とUDPポート情報とを含むSENB ADDITON REQUEST ACKNOWLEDGEを、前記MeNBに送信する。【００１２】
本発明の第４の装置は、SeNBから、アドレス情報とUDPポート情報とを含むSENB ADDITON REQUEST ACKNOWLEDGEを受信したとき、前記アドレス情報と前記UDPポート情報とを含むE-RAB MODIFICATION INDICATIONメッセージを、コアネットワークノードに送信する。【００１３】
本発明の第５の装置は、SeNBへSENB ADDITON REQUESTを送信した後、アドレス情報とUDPポート情報とを含むSENB ADDITON REQUEST ACKNOWLEDGEを、前記SeNBから受信する。【００１４】
本発明の第６の装置は、端末装置と通信するSeNBを、ソースSeNBからターゲットSeNBに変更するとき、前記ターゲットSeNBのローカルIPアドレスを含むE-RAB MODIFICATION INDICATIONメッセージを、コアネットワークノードに送信する。
【発明の効果】
【００１５】
本発明によれば、より多くのケースにおいて、例えば固定ブロードバンドアクセスネットワークの制御に必要な情報をコアネットワークノードが取得することが可能になる。なお、本発明により、当該効果の代わりに、又は当該効果とともに、他の効果が奏されてもよい。
【図面の簡単な説明】
【００１６】
【図１】帯域制御の第１の例を説明するための説明図である。
【図２】帯域制御の第２の例を説明するための説明図である。
【図３】帯域制御の第３の例を説明するための説明図である。
【図４】固定ブロードバンドアクセスネットワークのための手続きの第１の例を説明するためのシーケンス図である。
【図５】固定ブロードバンドアクセスネットワークのための手続きの別の例を説明するためのシーケンス図である。
【図６】ホームアクセスネットワークにおけるハンドオーバ手続きの第１の例を説明するための説明図である。
【図７】ホームアクセスネットワークにおけるハンドオーバ手続きの第２の例を説明するための説明図である。
【図８】ＳｅＮＢの変更の手続きの例を説明するための説明図である。
【図９】第１の実施形態に係るシステムの概略的な構成の一例を示す説明図である。
【図１０】第１の実施形態に係るｅＮＢの概略的な構成の例を示すブロック図である。
【図１１】第１の実施形態に係るＳ１ＡＰ：Ｅ−ＲＡＢ  ＭＯＤＩＦＩＣＡＴＩＯＮ  ＩＮＤＩＣＡＴＩＯＮメッセージの例を説明するための説明図である。
【図１２】第１の実施形態に係るｅＮＢの概略的な構成の例を示すブロック図である。
【図１３】第１の実施形態に係るＸ２  ＴＮＬ  Ｃｏｎｆｉｇｕｒａｔｉｏｎ  Ｉｎｆｏ  ＩＥの例を説明するための説明図である。
【図１４】第１の実施形態に係るＴｕｎｎｅｌ  Ｉｎｆｏｒｍａｔｉｏｎ  ＩＥの例を説明するための説明図である。
【図１５】第１の実施形態に係るＸ２ＡＰ：Ｘ２  ＳＥＴＵＰ  ＲＥＱＵＥＳＴメッセージの例を説明するための説明図である。
【図１６】第１の実施形態に係るＸ２ＡＰ：Ｘ２  ＳＥＴＵＰ  ＲＥＳＰＯＮＳＥメッセージの例を説明するための説明図である。
【図１７】第１の実施形態に係るＸ２ＡＰ：ＳＥＮＢ  ＡＤＤＩＴＩＯＮ  ＲＥＱＵＥＳＴ  ＡＣＫＮＯＷＬＥＤＧＥメッセージの例を説明するための説明図である。
【図１８】第１の実施形態に係るＭＭＥの概略的な構成の例を示すブロック図である。
【図１９】第１の実施形態に係る処理の概略的な流れの例を示すシーケンス図である。
【図２０】第１の実施形態の第３の変形例に係るシステムの概略的な構成の一例を示す説明図である。
【図２１】第２の実施形態に係るシステムの概略的な構成の一例を示す説明図である。
【図２２】第２の実施形態に係る基地局の概略的な構成の例を示すブロック図である。
【図２３】第２の実施形態に係る無線通信装置の概略的な構成の例を示すブロック図である。
【図２４】第２の実施形態に係る第１コアネットワークノードの概略的な構成の例を示すブロック図である。
【図２５】第２の実施形態に係る処理の概略的な流れの例を示すシーケンス図である。
【図２６】第３の実施形態に係るシステムの概略的な構成の一例を示す説明図である。
【図２７】第３の実施形態に係るＨＮＢ−ＧＷの概略的な構成の例を示すブロック図である。
【図２８】第３の実施形態に係るＲＡＮＡＰ：ＲＥＬＯＣＡＴＩＯＮ  ＣＯＭＰＬＥＴＥメッセージの例を説明するための説明図である。
【図２９】第３の実施形態に係るＳＧＳＮの概略的な構成の例を示すブロック図である。
【図３０】第３の実施形態に係る処理の概略的な流れの第１の例を示すシーケンス図である。
【図３１】第３の実施形態に係る処理の概略的な流れの第２の例を示すシーケンス図である。
【図３２】第４の実施形態に係るシステムの概略的な構成の一例を示す説明図である。
【図３３】第４の実施形態に係るホーム基地局ゲートウェイの概略的な構成の例を示すブロック図である。
【図３４】第４の実施形態に係る第１コアネットワークノードの概略的な構成の例を示すブロック図である。
【図３５】第４の実施形態に係る処理の概略的な流れの例を示すシーケンス図である。
【図３６】第５の実施形態に係るシステムの概略的な構成の一例を示す説明図である。
【図３７】第５の実施形態に係るＣ−ＲＡＮの概略的な構成の例を示すブロック図である。
【図３８】第５の実施形態に係るＭＭＥの概略的な構成の例を示すブロック図である。
【図３９】第５の実施形態に係る処理の概略的な流れの例を示すシーケンス図である。
【発明を実施するための形態】
【００１７】
以下、添付の図面を参照して本発明の実施形態を詳細に説明する。なお、本明細書及び図面において、同様に説明されることが可能な要素については、同一の符号を付することにより重複説明が省略され得る。
【００１８】
説明は、以下の順序で行われる。
１．関連技術
２．本発明の実施形態の概要
３．第１の実施形態
３．１．システムの構成例
３．２．ｅＮＢ（ＭｅＮＢ）の構成例
３．３．ｅＮＢ（ＳｅＮＢ）の構成例
３．４．ＭＭＥの構成例
３．５．処理の流れ
３．６．変形例
４．第２の実施形態
４．１．システムの構成例
４．２．基地局の構成例
４．３．無線通信装置の構成例
４．４．第１コアネットワークノードの構成例
４．５．処理の流れ
４．６．変形例
５．第３の実施形態
５．１．システムの構成例
５．２．ＨＮＢ−ＧＷの構成例
５．３．ＳＧＳＮの構成例
５．４．処理の流れ
５．５．変形例
６．第４の実施形態
６．１．システムの構成例
６．２．ホーム基地局ゲートウェイの構成例
６．３．第１コアネットワークノードの構成例
６．４．処理の流れ
７．第５の実施形態
７．１．システムの構成例
７．２．Ｃ−ＲＡＮの構成例
７．３．ＭＭＥの構成例
７．４．処理の流れ
７．５．変形例
８．他の実施形態
【００１９】
＜＜１．関連技術＞＞
図１〜図８を参照して、本発明の実施形態に関連する技術として、固定ブロードバンドアクセスネットワークの制御、ホームアクセスネットワークにおけるハンドオーバの手続き、デュアルコネクティビティのＳｅＮＢの変更の手続き、及びＣＳＧ（Closed  Subscriber  Group）に関する手続きを説明する。
【００２０】
（１）固定ブロードバンドアクセスネットワークの制御
３ＧＰＰ（Third  Generation  Partnership  Project）システムの構成要素を固定ブロードバンドアクセスネットワークが接続している場合に、３ＧＰＰシステムのＰＣＲＦ（Policy  and  Charging  Rules  Function）は、Ｐ−ＧＷ（Packet  data  network  Gateway）から受け取った基地局のローカルＩＰアドレス（即ち、ＩＰｓｅｃトンネルのｏｕｔｅｒ  ＩＰアドレス）及びＵＤＰポート番号を、ＰＣＲＦ内のＱｏＳ（Quality  of  Service）情報とともに固定ブロードバンドアクセスネットワークへ送信する。
【００２１】
固定ブロードバンドアクセスネットワークは、上記ＱｏＳ情報をＤＳＣＰ（Differentiated  Service  Code  Point）に変換し、ＰＣＲＦから受信した上記ローカルＩＰアドレスと上記ＵＤＰポート番号に対応付けられる回線への適用を行い、３ＧＰＰシステムの利用者用の帯域の制御を行う。
【００２２】
−帯域制御の例
図１〜図３は、帯域制御の例を説明するための説明図である。図１〜図３を参照すると、帯域制御前と帯域制御後の帯域９１、帯域９３、帯域９５及び帯域９７が示されている。帯域９１は、３ＧＰＰシステムの利用者が使用している基地局を収容している回線の全帯域である。帯域９３は、３ＧＰＰシステムの利用者が使用している基地局のために確保している帯域である。帯域９５は、３ＧＰＰシステムの利用者を新たに受け入れ可能な帯域である。帯域９７は、実際に使用されている帯域である。例えば、図１に示されるように、帯域９３（３ＧＰＰシステムの利用者が使用している基地局のために確保している帯域）の上限値が調整され得る。例えば、図２に示されるように、３ＧＰＰシステムの利用者が増えた回線では、帯域９５（３ＧＰＰシステムの利用者を新たに受け入れ可能な帯域）が減らされ得る。例えば、図３に示されるように、３ＧＰＰシステムの利用者が減った回線では、帯域９５（３ＧＰＰシステムの利用者を新たに受け入れ可能な帯域）が増やされ得る。このような帯域制御の手法が、３ＧＰＰ  ＴＳ２３．１３９  Ｖ１２．２．０に示されている。
【００２３】
なお、基地局は、帯域９３（３ＧＰＰシステムの利用者が使用している基地局のために確保している帯域）の上限値、及び／又は、帯域９５（３ＧＰＰシステムの利用者を新たに受け入れ可能な帯域）に基づいて、３ＧＰＰシステムの利用者の通信品質の維持／向上のみではなく、アドミッションコントロール（Admission  Control）も行う。当該アドミッションコントロールは、ハンドオーバされるＵＥ（User  Equipment）の無線アクセスベアラ（Radio  Access  Bearer：ＲＡＢ）の受け入れ可否を決めることを含む。これにより、基地局ごとのＲＡＢの収容数が適正化され得る。
【００２４】
−処理の流れ（第１の例）
図４は、固定ブロードバンドアクセスネットワークのための手続きの第１の例を説明するためのシーケンス図である。図４は、通信方式としてＷＣＤＭＡ（Wideband  Code-Division  Multiple  Access）（登録商標）が使用されるケースの例であり、３ＧＰＰ  ＴＳ２３．１３９  Ｖ１２．２．０のＦｉｇｕｒｅ  ９．３．４−１である。
【００２５】
ステップ１で、ターゲットＨＮＢは、ターゲットＨＮＢローカルＩＰアドレス及びＵＤＰポート番号をターゲットＳＧＳＮ（Serving  GPRS（General  Packet  Radio  Service）  Support  Node）へ送信する。
【００２６】
ステップ２ａで、ターゲットＳＧＳＮは、ターゲットＨＮＢローカルＩＰアドレス及びＵＤＰポート番号をＳ−ＧＷ（Serving  Gateway）へ送信し、ステップ２ｂで、Ｓ−ＧＷは、ターゲットＨＮＢローカルＩＰアドレス及びＵＤＰポート番号をＰ−ＧＷへ送信する。
【００２７】
ステップ３で、Ｐ−ＧＷは、ターゲットＨＮＢローカルＩＰアドレス及びＵＤＰポート番号をＰＣＲＦへ送信する。
【００２８】
ステップ４で、ＰＣＲＦは、ターゲットＨＮＢローカルＩＰアドレス及びＵＤＰポート番号を固定ブロードバンドアクセスネットワークへ送信する。
【００２９】
なお、図４におけるステップ２ａは、以下のような処理がステップ１で実行されることを契機として実行される。
−Inter  SGSN  Routing  Area  Update  and  Combined  Inter  SGSN  RA  /  LA  Update  using  S4
−Routing  Area  Update  Procedure  using  S4
−Serving  RNS  Relocation  Procedure,  Combined  Hard  Handover  and  SRNS  Relocation  Procedure,  and  Combined  Cell  /  URA  Update  and  SRNS  Relocation  Procedure  Using  S4
−Enhanced  Serving  RNS  Relocation  Procedure  using  S4
−UE  Initiated  Service  Request  Procedure  Using  S4
−Iu  mode  to  A/Gb  mode  Intra  SGSN  Change  using  S4
−A/Gb  mode  to  Iu  mode  Intra-SGSN  Change  using  S4
−Iu  mode  to  A/Gb  mode  Inter-SGSN  Change  using  S4
−A/Gb  mode  to  Iu  mode  Inter-SGSN  Change  using  S4
【００３０】
−処理の流れ（第１の例）
図５は、固定ブロードバンドアクセスネットワークのための手続きの別の例を説明するためのシーケンス図である。図５は、通信方式としてＬＴＥ（Long  Term  Evolution）が使用されるケースの例であり、３ＧＰＰ  ＴＳ２３．１３９  Ｖ１２．２．０のＦｉｇｕｒｅ  ９．１．５である。
【００３１】
ステップ２で、ターゲットＨｅＮＢは、ターゲットＨｅＮＢローカルＩＰアドレス及びＵＤＰポート番号をＭＭＥへ送信する。
【００３２】
ステップ３で、ＭＭＥは、ターゲットＨｅＮＢローカルＩＰアドレス及びＵＤＰポート番号をＳ−ＧＷへ送信し、Ｓ−ＧＷは、ターゲットＨｅＮＢローカルＩＰアドレス及びＵＤＰポート番号をＰ−ＧＷへ送信する。
【００３３】
ステップ４で、Ｐ−ＧＷは、ターゲットＨｅＮＢローカルＩＰアドレス及びＵＤＰポート番号をＰＣＲＦへ送信する。
【００３４】
ステップ５で、ＰＣＲＦは、ターゲットＨｅＮＢローカルＩＰアドレス及びＵＤＰポート番号を固定ブロードバンドアクセスネットワークへ送信する。
【００３５】
なお、図５におけるステップ２は、以下のような処理がステップ１で実行されることを契機として実行される。
−UE  initiated  Service  Request
−X2-based  handover  without  Serving  GW  relocation
−X2-based  handover  with  Serving  GW  relocation
−S1-based  handover
−inter-RAT  Handover  from  UTRAN  Iu  Mode  to  E-UTRAN
−inter-RAT  handover  from  GERAN  A/Gb  Mode  to  E-UTRAN
【００３６】
（２）ホームアクセスネットワークにおけるハンドオーバの手続き
−第１の例
図６は、ホームアクセスネットワークにおけるハンドオーバ手続きの第１の例を説明するための説明図である。図６は、３ＧＰＰ  ＴＳ２５．４６７  Ｖ１２．３．０のＦｉｇｕｒｅ  ５．７．２．１−１である。この例では、ソースＨＮＢからターゲットＨＮＢへのＵＥのハンドオーバが行われる。ソースＨＮＢとターゲットＨＮＢとの間には、Ｉｕｒｈというインターフェースがあり、ソースＨＮＢ及びターゲットＨＮＢは、ＨＮＢ−ＧＷ（Home  Node  B  Gateway）を介さずに、直接的にメッセージを交換する。
【００３７】
図６に示される手続きにおいて、ステップ８ａ／８ｂ（ＲＡＢを解放する必要が生じた場合にのみ実行されるステップ）を除き、ＨＮＢからＣＮ（Core  Network）へ送信されるメッセージは存在しない。そのため、図６の例では、ターゲットＨｅＮＢローカルＩＰアドレス及びＵＤＰポート番号は、ＳＧＳＮ、Ｓ−ＧＷ及びＰ−ＧＷを通じてＰＣＲＦに送信されない。その結果、固定ブロードバンドアクセスネットワークの制御（例えば、帯域制御）がＰＣＲＦを通じて行われず、３ＧＰＰシステムの利用者の通信品質の維持／向上、及び／又は、基地局毎のＲＡＢの収容数の適正化が、不可能になり得る。
【００３８】
−第２の例
図７は、ホームアクセスネットワークにおけるハンドオーバ手続きの第２の例を説明するための説明図である。図７は、３ＧＰＰ  ＴＳ２５．４６７  Ｖ１２．３．０のＦｉｇｕｒｅ  Ａ．３−１である。この例では、ソースＨＮＢからターゲットＨＮＢへのＵＥのハンドオーバが行われる。ソースＨＮＢとターゲットＨＮＢとの間には、Ｉｕｒｈというインターフェースが存在せず、ＩｕｈインターフェースでソースＨＮＢ及びターゲットＨＮＢと通信するＨＮＢ−ＧＷが、ハンドオーバ処理を司る。
【００３９】
図７に示される手続きにおいて、ＨＮＢ−ＧＷからＣＮへ送信されるメッセージは存在しない。そのため、図７の例でも、ターゲットＨｅＮＢローカルＩＰアドレス及びＵＤＰポート番号は、ＳＧＳＮ、Ｓ−ＧＷ及びＰ−ＧＷを通じてＰＣＲＦに送信されない。その結果、固定ブロードバンドアクセスネットワークの制御（例えば、帯域制御）がＰＣＲＦを通じて行われず、３ＧＰＰシステムの利用者の通信品質の維持／向上、及び／又は、基地局毎のＲＡＢの収容数の適正化が、不可能になり得る。
【００４０】
（３）デュアルコネクティビティのＳｅＮＢの変更の手続き
図８は、ＳｅＮＢの変更の手続きの例を説明するための説明図である。図８は、３ＧＰＰ  ＴＳ３６．３００  Ｖ１３．０．０のＦｉｇｕｒｅ  １０．１．２．８．４−１である。この例では、デュアルコネクティビティのケイパビリティを有するＵＥが、ＭｅＮＢ及びＳｅＮＢに接続されている場合に、当該ＳｅＮＢが、Ｓ−ＳｅＮＢ（Source  Secondary  eNB）からＴ−ＳｅＮＢ（Target  Secondary  eNB）に変更される。
【００４１】
例えば、Ｓ−ＳｅＮＢにおいてベアラコンテキスト（bearer  context）の１つにＳＣＧ（Secondary  Cell  Group）ベアラオプションが設定されている場合には、ステップ１０で、ＭｅＮＢは、Ｓ１ＡＰ：Ｅ−ＲＡＢ  ＭＯＤＩＦＩＣＡＴＩＯＮ  ＩＮＤＩＣＡＴＩＯＮメッセージをＭＭＥへ送信する。そして、ＭＭＥは、このメッセージの受信に応じて、Ｓ−ＧＷにＢｅａｒｅｒ  Ｍｏｄｉｆｉｃａｔｉｏｎを要求する。しかし、Ｓ１ＡＰ：Ｅ−ＲＡＢ  ＭＯＤＩＦＩＣＡＴＩＯＮ  ＩＮＤＩＣＡＴＩＯＮメッセージには、Ｔ−ＳｅＮＢのローカルＩＰアドレス及びＵＤＰポート番号が含まれないので、ＭＭＥは、ＳＣＧベアラがＳ−ＳｅＮＢからＴ−ＳｅＮＢに移ったことをＳ−ＧＷに通知できない。そのため、ＰＣＲＦは、Ｔ−ＳｅＮＢのローカルＩＰアドレス及びＵＤＰポート番号を通知されないので、固定ブロードバンドアクセスネットワークの制御（例えば、帯域制御）が行われない。その結果、３ＧＰＰシステムの利用者の通信品質の維持／向上、及び／又は、基地局毎のＲＡＢの収容数の適正化が、不可能になり得る。
【００４２】
例えば、Ｓ−ＳｅＮＢにおいていずれのベアラコンテキストにもＳＣＧベアラオプションが設定されていない場合には（即ち、スプリットベアラしか存在しない場合には）、ステップ１０が実行されない。そのため、同様に、３ＧＰＰシステムの利用者の通信品質の維持／向上、及び／又は、基地局毎のＲＡＢの収容数の適正化が、不可能になり得る。
【００４３】
（４）ＣＳＧに関する手続き
３ＧＰＰ  ＴＳ３６．３００  Ｖ１３．０．０には、ハイブリッドセルをｅＮＢが構成できると定められている。ハイブリッドセルでは、ＣＳＧ  ＩＤという識別子で識別されるＣＳＧに属する利用者は、ハイブリッドセルをＣＳＧセルとして使用し、ＣＳＧに属さない利用者は、ハイブリッドセルを通常のセルとして使用する。
【００４４】
ハイブリッドセルを構成するｅＮＢは、ハンドオーバされるＵＥを受け入れるか否かを決定する際に、及び、ハンドオーバされるＵＥを受け入れる場合にどのベアラを受け入れ、どのベアラを拒否するかを決定する際に、ハイブリッドセルをＣＳＧセルとして使用する利用者を、ハイブリッドセルを通常のセルとして使用する利用者よりも優遇してもよい。
【００４５】
例えば、ＳｅＮＢが、ハイブリッドセルを構成する。この場合に、ＭｅＮＢは、ＳｅＮＢのハイブリッドセルで報知されているＣＳＧ  ＩＤをＵＥから受信し、当該ＣＳＧ  ＩＤをＭＭＥに報告する。そして、ＭＭＥは、ＵＥがＳｅＮＢのハイブリッドセルをＣＳＧセルとして使用するか又は通常のセルとして使用するかを決定する。例えば、３ＧＰＰ  Ｒ３−１５１９４９及び３ＧＰＰ  Ｒ３−１５１９９５には、この決定の手順の候補が開示されている。
【００４６】
３ＧＰＰ  Ｒ３−１５１９４９では、ＳｅＮＢにおいてベアラコンテキストの１つにＳＣＧベアラオプションが設定されている場合には、ＭｅＮＢは、上記ＣＳＧ  ＩＤ（ＳｅＮＢのハイブリッドセルで報知されているＣＳＧ  ＩＤ）を含むＳ１ＡＰ：Ｅ−ＲＡＢ  ＭＯＤＩＦＩＣＡＴＩＯＮ  ＩＮＤＩＣＡＴＩＯＮメッセージをＭＭＥへ送信する。一方、ＳｅＮＢにおいていずれのベアラコンテキストにもＳＣＧベアラオプションが設定されていない場合には（即ち、スプリットベアラしか存在しない場合には）、ＭｅＮＢは、上記ＣＳＧ  ＩＤを含むＳ１ＡＰ：ＵＥ  ＣＯＮＴＥＸＴ  ＭＯＤＩＦＩＣＡＴＩＯＮ  ＩＮＤＩＣＡＴＩＯＮメッセージ（新たなメッセージ）をＭＭＥへ送信する。
【００４７】
３ＧＰＰ  Ｒ３−１５１９９５では、ＳＣＧベアラオプションの設定の有無にかかわらず、ＭｅＮＢは、上記ＣＳＧ  ＩＤ（ＳｅＮＢのハイブリッドセルで報知されているＣＳＧ  ＩＤ）を含むＳ１ＡＰ：Ｅ−ＲＡＢ  ＭＯＤＩＦＩＣＡＴＩＯＮ  ＩＮＤＩＣＡＴＩＯＮメッセージをＭＭＥへ送信する。
【００４８】
上述したいずれの場合にも、ＭｅＮＢがＭＭＥへ送信するメッセージには、ＳｅＮＢのローカルＩＰアドレス及びＵＤＰポート番号は含まれていない。そのため、例えば、固定ブロードバンドアクセスネットワークの帯域制御が行われない。その結果、３ＧＰＰシステムの利用者の通信品質の維持／向上、及び／又は、基地局毎のＲＡＢの収容数の適正化が、不可能になり得る。
【００４９】
＜＜２．本発明の実施形態の概要＞＞
続いて、本発明の実施形態の概要を説明する。
【００５０】
（１）技術的課題
３ＧＰＰシステムの構成要素を固定ブロードバンドアクセスネットワークが接続している場合に、３ＧＰＰシステムのＰＣＲＦは、Ｐ−ＧＷから受け取った基地局のローカルＩＰアドレス（即ち、ＩＰｓｅｃトンネルのｏｕｔｅｒ  ＩＰアドレス、パブリックＩＰアドレス、又はグローバルＩＰアドレス）及びＵＤＰポート番号を、ＰＣＲＦ内のＱｏＳ情報とともに固定ブロードバンドアクセスネットワークへ送信する。
【００５１】
固定ブロードバンドアクセスネットワークは、上記ＱｏＳ情報をＤＳＣＰに変換し、ＰＣＲＦから受信した上記ローカルＩＰアドレスと上記ＵＤＰポート番号に対応付けられる回線への適用を行い、３ＧＰＰシステムの利用者用の帯域の制御を行う。
【００５２】
しかし、３ＧＰＰの仕様（specification）によれば、ローカルＩＰアドレス及びＵＤＰポート番号が、コアネットワークノードへ送信されないケースがある。一例として、デュアルコネクティビティのＳｅＮＢの変更の際には、変更後のＳｅＮＢのローカルＩＰアドレス及びＵＤＰポート番号は、コアネットワークへ送信されていない。別の例として、同一のＨＮＢ−ＧＷにサービスを提供されるＨＮＢ間のハンドオーバの際には、ターゲットＨＮＢのローカルＩＰアドレス及びＵＤＰポート番号は、コアネットワークへ送信されていない。その結果、固定ブロードバンドアクセスネットワークの制御（例えば、帯域制御）がＰＣＲＦを通じて行われず、３ＧＰＰシステムの利用者の通信品質の維持／向上、及び／又は、基地局毎のＲＡＢの収容数の適正化が、不可能になり得る。
【００５３】
本発明の実施形態の目的は、より多くのケースにおいて、例えば固定ブロードバンドアクセスネットワークの制御に必要な情報をコアネットワークノードが取得することを可能にすることにある。
【００５４】
（２）技術的特徴
（ａ）第１の実施形態及び第２の実施形態
本発明の第１の実施形態及び第２の実施形態では、例えば、ＳｅＮＢが、ソースＳｅＮＢからターゲットＳｅＮＢに変更される。この場合に、例えば、ＭｅＮＢは、上記ターゲットＳｅＮＢのアドレス情報（例えば、ＩＰアドレス）及びトランスポート識別情報（例えば、ＵＤＰポート番号）を含むメッセージを、ＭＭＥへ送信する。そして、例えば、当該ＭＭＥは、当該メッセージを受信する。
【００５５】
これにより、例えば、デュアルコネクティビティのケース（具体的には、ＳｅＮＢの変更のケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【００５６】
（ｂ）第３の実施形態及び第４の実施形態
本発明の第３の実施形態及び第４の実施形態では、例えば、ＵＥと通信するＨＮＢが、ソースＨＮＢからターゲットＨＮＢに変更される。この場合に、例えば、ＨＮＢ−ＧＷは、上記ターゲットＨＮＢのアドレス情報（例えば、ＩＰアドレス）及びトランスポート識別情報（例えば、ＵＤＰポート番号）を含むメッセージを、ＳＧＳＮコアネットワークノードへ送信する。そして、例えば、当該ＳＧＳＮは、当該メッセージを受信する。
【００５７】
これにより、例えば、ホームアクセスネットワークのケース（具体的には、同じＨＮＢ−ＧＷにサービスを提供されるＨＮＢ間でのハンドオーバのケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【００５８】
なお、上述した技術的特徴は本発明の実施形態の具体的な一例であり、当然ながら、本発明の実施形態は上述した技術的特徴に限定されない。
【００５９】
＜＜３．第１の実施形態＞＞
続いて、図９〜図２０を参照して、本発明の第１の実施形態を説明する。
【００６０】
＜３．１．システムの構成例＞
図９を参照して、第１の実施形態に係るシステム１の構成の例を説明する。図９は、第１の実施形態に係るシステム１の概略的な構成の一例を示す説明図である。図９を参照すると、システム１は、ＵＥ１０、ｅＮＢ１００、ｅＮＢ２００Ａ、ｅＮＢ２００Ｂ、ＭＭＥ３００、Ｓ−ＧＷ２０、Ｐ−ＧＷ３０、ＰＣＲＦ４０及びＦＢＡ（Fixed  Broadband  Access）５０を含む。なお、ｅＮＢ２００Ａ及びｅＮＢ２００Ｂの区別が必要ない場合には、ｅＮＢ２００Ａ及びｅＮＢ２００Ｂの各々は、単にｅＮＢ２００と呼ばれ得る。
【００６１】
ＵＥ１０は、デュアルコネクティビティをサポートし、ＭｅＮＢ及びＳｅＮＢと通信可能である。また、ｅＮＢ１００は、ＭｅＮＢとして動作可能なｅＮＢであり、ｅＮＢ２００は、ＳｅＮＢとして動作可能なｅＮＢである。一例として、ｅＮＢ１００は、マクロセルのｅＮＢ（マクロｅＮＢ）であり、ｅＮＢ２００は、スモールセル（例えば、マイクロセル、ピコセル又はフェムトセル等）のｅＮＢ（スモールｅＮＢ）である。一例として、ｅＮＢ２００は、ホームｅＮＢである。なお、ｅＮＢ１００及びｅＮＢ２００はこの例に限定されない。
【００６２】
とりわけこの例では、まず、ｅＮＢ１００が、ＵＥ１０のためのＭｅＮＢとして動作し、ｅＮＢ２００Ａが、ＵＥ１０のためのＳｅＮＢとして動作しており、ＵＥ１０は、ｅＮＢ１００（ＭｅＮＢ）及びｅＮＢ２００Ａ（ＳｅＮＢ）と通信している。その後、例えば、ＵＥ１０の移動に伴い、ＳｅＮＢが、ｅＮＢ２００Ａ（Ｓ−ＳｅＮＢ）からｅＮＢ２００Ｂ（Ｔ−ＳｅＮＢ）に変更される。その結果、ＵＥ１０は、ｅＮＢ１００（ＭｅＮＢ）及びｅＮＢ２００Ｂ（ＳｅＮＢ）と通信するようになる。
【００６３】
ｅＮＢ１００は、ｅＮＢ２００Ａ及びｅＮＢ２００Ｂの各々とＸ２インターフェースを介して接続されている。ｅＮＢ１００とｅＮＢ２００との間には、Ｘ２ゲートウェイ（Ｘ２ＧＷ）が存在してもよい。さらに、ｅＮＢ１００、ｅＮＢ２００Ａ及びｅＮＢ２００Ｂの各々は、Ｓ１インターフェースを介してＭＭＥと接続されている。ＭＭＥ３００は、Ｓ１１インターフェースを介してＳ−ＧＷ２０と接続されている。Ｓ−ＧＷ２０は、Ｓ５インターフェースを介してＰ−ＧＷ３０と接続されている。
【００６４】
ＰＣＲＦは、ネットワークにポリシーを設定するノードであり、Ｇｘインターフェースを介してＰ−ＧＷ３０と接続され、Ｓ９ａインターフェースを介してＦＢＡ５０と接続されている。
【００６５】
＜３．２．ｅＮＢ（ＭｅＮＢ）の構成例＞
次に、図１０及び図１１を参照して、第１の実施形態に係るｅＮＢ１００の構成の例を説明する。図１０は、第１の実施形態に係るｅＮＢ１００の概略的な構成の例を示すブロック図である。図１０を参照すると、ｅＮＢ１００は、無線通信部１１０、ネットワーク通信部１２０、記憶部１３０及び処理部１４０を備える。
【００６６】
（１）無線通信部１１０
無線通信部１１０は、信号を無線で送受信する。例えば、無線通信部１１０は、ＵＥからの信号を受信し、ＵＥへの信号を送信する。
【００６７】
（２）ネットワーク通信部１２０
ネットワーク通信部１２０は、ネットワーク（例えば、バックホール）から信号を受信し、当該ネットワークへ信号を送信する。
【００６８】
（３）記憶部１３０
記憶部１３０は、ｅＮＢ１００の動作のためのプログラム及びパラメータ、並びに様々なデータを、一時的に又は恒久的に記憶する。
【００６９】
（４）処理部１４０
処理部１４０は、ｅＮＢ１００の様々な機能を提供する。処理部１４０は、第１通信処理部１４１、第２通信処理部１４３及び生成部１４５を含む。なお、処理部１４０は、これらの構成要素以外の他の構成要素をさらに含み得る。即ち、処理部１４０は、これらの構成要素の動作以外の動作も行い得る。
【００７０】
例えば、処理部１４０（第１通信処理部１４１）は、無線通信部１１０を介してＵＥと通信する。例えば、処理部１４０（第２通信処理部１４３）は、ネットワーク通信部１２０を介して他のネットワークノード（例えば、ｅＮＢ２００又はＭＭＥ３００等）と通信する。
【００７１】
（５）実装
無線通信部１１０は、アンテナ及び高周波（Radio  Frequency：ＲＦ）回路などを含んでもよい。ネットワーク通信部１２０は、ネットワークアダプタ又はネットワークインタフェースカードなどを含んでもよい。記憶部１３０は、メモリ（例えば、不揮発性メモリ及び／若しくは揮発性メモリ）並びに／又はハードディスクなどを含んでもよい。処理部１４０は、ベースバンド（Baseband：ＢＢ）プロセッサ及び／又は他のプロセッサなどを含んでもよい。
【００７２】
（６）技術的特徴
例えば、ｅＮＢ１００がＵＥ１０のためのＭｅＮＢとして動作している場合に、ＵＥ１０のためのＳｅＮＢ（即ち、デュアルコネクティビティにおいて追加の無線リソースをＵＥ１０に提供するＳｅＮＢ）が、ｅＮＢ２００Ａ（ソースＳｅＮＢ）からｅＮＢ２００Ｂ（ターゲットＳｅＮＢ）に変更される。この場合に、ｅＮＢ１００（第２通信処理部１４３）は、ｅＮＢ２００Ｂ（即ち、ターゲットＳｅＮＢ）のアドレス情報及びトランスポート識別情報を含む第１のメッセージを、コアネットワークノードへ送信する。例えば、ｅＮＢ１００（生成部１４５）は、上記第１のメッセージを生成する。
【００７３】
これにより、例えば、デュアルコネクティビティのケース（具体的には、ＳｅＮＢの変更のケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【００７４】
（ａ）コアネットワークノード
例えば、上記コアネットワークノードは、ＭＭＥ３００である。
【００７５】
（ｂ）トンネル情報
例えば、上記第１のメッセージは、上記アドレス情報及び上記トランスポート識別情報を含むトンネル情報を含む。より具体的には、例えば、当該トンネル情報は、Ｔｕｎｎｅｌ  Ｉｎｆｏｒｍａｔｉｏｎ  ｆｏｒ  ＢＢＦ  ＩＥである。Ｔｕｎｎｅｌ  Ｉｎｆｏｒｍａｔｉｏｎ  ｆｏｒ  ＢＢＦ  ＩＥは、ＩＰアドレス（アドレス情報）及びＵＤＰポート番号（トランスポート識別情報）を含む。
【００７６】
（ｃ）第１のメッセージ
例えば、上記第１のメッセージは、Ｓ１ＡＰ：Ｅ−ＲＡＢ  ＭＯＤＩＦＩＣＡＴＩＯＮ  ＩＮＤＩＣＡＴＩＯＮメッセージである。
【００７７】
例えば、ＵＥ１０及びｅＮＢ２００Ａ（Ｓ−ＳｅＮＢ）についてのＳＣＧベアラがある場合に、ｅＮＢ１００（第２通信処理部１４３）は、Ｓ１ＡＰ：Ｅ−ＲＡＢ  ＭＯＤＩＦＩＣＡＴＩＯＮ  ＩＮＤＩＣＡＴＩＯＮメッセージを上記コアネットワークノードへ送信する。
【００７８】
さらに、例えば、ＵＥ１０及びｅＮＢ２００Ａ（Ｓ−ＳｅＮＢ）についてのＳＣＧベアラがない場合であっても（即ち、スプリットベアラしかない場合であっても）、ｅＮＢ１００（第２通信処理部１４３）は、Ｓ１ＡＰ：Ｅ−ＲＡＢ  ＭＯＤＩＦＩＣＡＴＩＯＮ  ＩＮＤＩＣＡＴＩＯＮメッセージを上記コアネットワークノードへ送信する。これにより、ＳＣＧベアラの有無にかかわらず、同じメッセージを使用してアドレス情報及びトランスポート識別情報を伝えることが可能になる。
【００７９】
図１１は、第１の実施形態に係るＳ１ＡＰ：Ｅ−ＲＡＢ  ＭＯＤＩＦＩＣＡＴＩＯＮ  ＩＮＤＩＣＡＴＩＯＮメッセージの例を説明するための説明図である。図１１を参照すると、Ｓ１ＡＰ：Ｅ−ＲＡＢ  ＭＯＤＩＦＩＣＡＴＩＯＮ  ＩＮＤＩＣＡＴＩＯＮメッセージに含まれる情報要素（Information  Element：ＩＥ）が示されている。とりわけ、Ｓ１ＡＰ：Ｅ−ＲＡＢ  ＭＯＤＩＦＩＣＡＴＩＯＮ  ＩＮＤＩＣＡＴＩＯＮメッセージは、ＩＰアドレス（アドレス情報）及びＵＤＰポート番号（トランスポート識別情報）を含むＴｕｎｎｅｌ  Ｉｎｆｏｒｍａｔｉｏｎ  ｆｏｒ  ＢＢＦ  ＩＥを含む。
【００８０】
なお、ＵＥ１０及びｅＮＢ２００Ａ（Ｓ−ＳｅＮＢ）についてのＳＣＧベアラがない場合には（即ち、スプリットベアラしかない場合には）、ｅＮＢ１００（第２通信処理部１４３）は、他の種類のメッセージを上記コアネットワークノードへ送信してもよい。
【００８１】
以上、ｅＮＢ１００により送信される上記第１のメッセージの例を説明したが、当然ながら、ｅＮＢ１００により送信される上記第１のメッセージはこの例に限定されない。ｅＮＢ１００により送信される上記第１のメッセージは他の種類のメッセージであってもよい。
【００８２】
また、ｅＮＢ１００（生成部１４５）は、上記第１のメッセージを自ら生成する代わりに、上記第１のメッセージを他のノードから取得してもよい。
【００８３】
（ｄ）アドレス情報及びトランスポート識別情報
−受信
例えば、ｅＮＢ１００（第２通信処理部１４３）は、上記アドレス情報及び上記トランスポート識別情報を含む第２のメッセージを受信する。当該第２のメッセージは、ｅＮＢ２００により送信されるメッセージである。この点については、ｅＮＢ２００に関連して後述する。これにより、例えば、ｅＮＢ１００は、ｅＮＢ２００のアドレス情報及びトランスポート識別情報を知ることが可能になる。
【００８４】
−アドレス情報
例えば、上記アドレス情報は、（ＯＳＩ（Open  System  Interconnection）参照モデルの）ネットワークレイヤ又は（ＴＣＰ／ＩＰ（Transmission  Control  Protocol/Internet  Protocol）の）インターネットレイヤの識別情報（アドレス）である。具体的には、例えば、上記アドレス情報は、ＩＰアドレスである。さらに、例えば、当該ＩＰアドレスは、パブリックＩＰアドレス（又はグローバルＩＰアドレス）である。例えば、上記ＩＰアドレスは、ｎｏ−ＮＡＴ（Network  Address  Translation）ケースでＢＢＦドメインによりｅＮＢ２００Ｂ（即ち、ターゲットＳｅＮＢ）にアサインされたパブリックＩＰアドレス、又は、ＮＡＴを行う  ＲＧ（Residential  Gateway）（即ち、ＮＡＴｅｄ  ＲＧ）にＢＢＦドメインによりアサインされたパブリックＩＰアドレスであって、ｅＮＢ２００Ｂのために使用される当該パブリックＩＰアドレスである。なお、上記ＩＰアドレスは、３ＧＰＰの仕様においては「ローカルＩＰアドレス」と呼ばれ得る。
【００８５】
−トランスポート識別情報
例えば、上記トランスポート識別情報は、（ＯＳＩ参照モデル又はＴＣＰ／ＩＰの）トランスポートレイヤの識別情報である。具体的には、例えば、上記トランスポート識別情報は、ＵＤＰポート番号である。
【００８６】
−提供先
例えば、上記アドレス情報及び上記トランスポート識別情報は、ＦＢＡ５０に提供される情報である。より具体的には、例えば、上記アドレス情報及び上記トランスポート識別情報は、ＰＣＲＦ４０からＦＢＡ５０に提供される情報である。これにより、例えば、帯域制御が行われ得る。
【００８７】
＜３．３．ｅＮＢ（ＳｅＮＢ）の構成例＞
次に、図１２〜図１７を参照して、第１の実施形態に係るｅＮＢ２００の構成の例を説明する。図１２は、第１の実施形態に係るｅＮＢ２００の概略的な構成の例を示すブロック図である。図１２を参照すると、ｅＮＢ２００は、無線通信部２１０、ネットワーク通信部２２０、記憶部２３０及び処理部２４０を備える。
【００８８】
（１）無線通信部２１０
無線通信部２１０は、信号を無線で送受信する。例えば、無線通信部２１０は、ＵＥからの信号を受信し、ＵＥへの信号を送信する。
【００８９】
（２）ネットワーク通信部２２０
ネットワーク通信部２２０は、ネットワーク（例えば、バックホール）から信号を受信し、当該ネットワークへ信号を送信する。
【００９０】
（３）記憶部２３０
記憶部２３０は、ｅＮＢ２００の動作のためのプログラム及びパラメータ、並びに様々なデータを、一時的に又は恒久的に記憶する。
【００９１】
（４）処理部２４０
処理部２４０は、ｅＮＢ２００の様々な機能を提供する。処理部２４０は、第１通信処理部２４１、第２通信処理部２４３及び生成部２４５を含む。なお、処理部２４０は、これらの構成要素以外の他の構成要素をさらに含み得る。即ち、処理部２４０は、これらの構成要素の動作以外の動作も行い得る。
【００９２】
例えば、処理部２４０（第１通信処理部２４１）は、無線通信部２１０を介してＵＥと通信する。例えば、処理部２４０（第２通信処理部２４３）は、ネットワーク通信部２２０を介して他のネットワークノード（例えば、ｅＮＢ１００又はＭＭＥ３００等）と通信する。
【００９３】
（５）実装
無線通信部２１０は、アンテナ及び高周波（ＲＦ）回路などを含んでもよい。ネットワーク通信部２２０は、ネットワークアダプタ又はネットワークインタフェースカードなどを含んでもよい。記憶部２３０は、メモリ（例えば、不揮発性メモリ及び／若しくは揮発性メモリ）並びに／又はハードディスクなどを含んでもよい。処理部２４０は、ベースバンド（Baseband：ＢＢ）プロセッサ及び／又は他のプロセッサなどを含んでもよい。
【００９４】
（６）技術的特徴
上述したように、ｅＮＢ２００は、ＳｅＮＢ（即ち、デュアルコネクティビティにおいて追加の無線リソースをＵＥ１０に提供するＳｅＮＢ）として動作可能であり、ｅＮＢ１００は、ＭｅＮＢとして動作可能である。
【００９５】
とりわけ、ｅＮＢ２００（第２通信処理部２４３）は、ｅＮＢ２００のアドレス情報及びトランスポート識別情報を含むメッセージを、上記アドレス情報及び上記トランスポート識別情報をｅＮＢ１００へ転送するコアネットワークノード、又はｅＮＢ１００へ送信する。例えば、ｅＮＢ２００（生成部２４５）は、上記メッセージを生成する。
【００９６】
これにより、例えば、ｅＮＢ１００がｅＮＢ２００のアドレス情報及びトランスポート識別情報を知ることが可能になる。その結果、デュアルコネクティビティのケース（具体的には、ＳｅＮＢの変更のケース）においても固定ブロードバンドアクセスネットワークの制御が行われ得る。
【００９７】
（ａ）トンネル情報
例えば、上記メッセージは、上記アドレス情報及び上記トランスポート識別情報を含むトンネル情報を含む。より具体的には、例えば、当該トンネル情報は、Ｔｕｎｎｅｌ  Ｉｎｆｏｒｍａｔｉｏｎ  ｆｏｒ  ＢＢＦ  ＩＥである。Ｔｕｎｎｅｌ  Ｉｎｆｏｒｍａｔｉｏｎ  ｆｏｒ  ＢＢＦ  ＩＥは、ＩＰアドレス（アドレス情報）及びＵＤＰポート番号（トランスポート識別情報）を含む。
【００９８】
（ｂ）メッセージ
−第１の例
第１の例では、ｅＮＢ２００（第２通信処理部２４３）は、上記コアネットワークノードへ上記メッセージを送信する。さらに、例えば、上記コアネットワークノードは、ＭＭＥ３００である。
【００９９】
第１の例では、上記メッセージは、Ｓ１ＡＰ：ＥＮＢ  ＣＯＮＦＩＧＵＲＡＴＩＯＮ  ＴＲＡＮＳＦＥＲメッセージである。さらに、例えば、上記コアネットワークノード（ＭＭＥ３００）は、上記アドレス情報（ＩＰアドレス）及び上記トランスポート識別情報（ＵＤＰポート番号）を含むＳ１ＡＰ：ＭＭＥ  ＣＯＮＦＩＧＵＲＡＴＩＯＮ  ＴＲＡＮＳＦＥＲメッセージをｅＮＢ１００へ送信するノードである。
【０１００】
例えば、Ｓ１ＡＰ：ＥＮＢ  ＣＯＮＦＩＧＵＲＡＴＩＯＮ  ＴＲＡＮＳＦＥＲメッセージ、及び、Ｓ１ＡＰ：ＭＭＥ  ＣＯＮＦＩＧＵＲＡＴＩＯＮ  ＴＲＡＮＳＦＥＲメッセージは、ＳＯＮ  Ｃｏｎｆｉｇｕｒａｔｉｏｎ  Ｔｒａｎｓｆｅｒ  ＩＥを含み、ＳＯＮ  Ｃｏｎｆｉｇｕｒａｔｉｏｎ  Ｔｒａｎｓｆｅｒ  ＩＥは、Ｘ２  ＴＮＬ  Ｃｏｎｆｉｇｕｒａｔｉｏｎ  Ｉｎｆｏ  ＩＥを含む。例えば、Ｘ２  ＴＮＬ  Ｃｏｎｆｉｇｕｒａｔｉｏｎ  Ｉｎｆｏ  ＩＥは、図１３に示されるような情報要素を含み、とりわけＴｕｎｎｅｌ  Ｉｎｆｏｒｍａｔｉｏｎ  ｆｏｒ  ＢＢＦ  ＩＥを含む。さらに、Ｔｕｎｎｅｌ  Ｉｎｆｏｒｍａｔｉｏｎ  ｆｏｒ  ＢＢＦ  ＩＥは、図１４に示されるような情報要素を含む。即ち、Ｔｕｎｎｅｌ  Ｉｎｆｏｒｍａｔｉｏｎ  ｆｏｒ  ＢＢＦ  ＩＥは、トランスポートレイヤアドレス及びＵＤＰポート番号を含む。例えば、当該トランスポートレイヤアドレスは、ＩＰアドレスである。
【０１０１】
−第２の例
第２の例では、ｅＮＢ２００（第２通信処理部２４３）は、ｅＮＢ１００へ上記メッセージを送信する。ｅＮＢ２００（第２通信処理部２４３）は、ｅＮＢ１００へ直接的に上記メッセージを送信してもよく、又は、Ｘ２ＧＷを介してｅＮＢ１００へ上記メッセージを送信してもよい。
【０１０２】
第２の例では、上記メッセージは、Ｘ２ＡＰ：Ｘ２  ＳＥＴＵＰ  ＲＥＱＵＥＳＴメッセージ、又はＸ２ＡＰ：Ｘ２  ＳＥＴＵＰ  ＲＥＳＰＯＮＳＥメッセージである。
【０１０３】
例えば、Ｘ２ＡＰ：Ｘ２  ＳＥＴＵＰ  ＲＥＱＵＥＳＴメッセージは、図１５に示されるような情報要素を含み、とりわけＴｕｎｎｅｌ  Ｉｎｆｏｒｍａｔｉｏｎ  ｆｏｒ  ＢＢＦ  ＩＥを含む。さらに、Ｔｕｎｎｅｌ  Ｉｎｆｏｒｍａｔｉｏｎ  ｆｏｒ  ＢＢＦ  ＩＥは、図１４に示されるような情報要素を含む。即ち、Ｔｕｎｎｅｌ  Ｉｎｆｏｒｍａｔｉｏｎ  ｆｏｒ  ＢＢＦ  ＩＥは、トランスポートレイヤアドレス（即ち、ＩＰアドレス）及びＵＤＰポート番号を含む。
【０１０４】
例えば、Ｘ２ＡＰ：Ｘ２  ＳＥＴＵＰ  ＲＥＳＰＯＮＳＥメッセージは、図１６に示されるような情報要素を含み、とりわけＴｕｎｎｅｌ  Ｉｎｆｏｒｍａｔｉｏｎ  ｆｏｒ  ＢＢＦ  ＩＥを含む。さらに、Ｔｕｎｎｅｌ  Ｉｎｆｏｒｍａｔｉｏｎ  ｆｏｒ  ＢＢＦ  ＩＥは、図１４に示されるような情報要素を含む。即ち、Ｔｕｎｎｅｌ  Ｉｎｆｏｒｍａｔｉｏｎ  ｆｏｒ  ＢＢＦ  ＩＥは、トランスポートレイヤアドレス（即ち、ＩＰアドレス）及びＵＤＰポート番号を含む。
【０１０５】
−第３の例
第３の例では、第２の例と同様に、ｅＮＢ２００（第２通信処理部２４３）は、ｅＮＢ１００へ上記メッセージを送信してもよい。ｅＮＢ２００（第２通信処理部２４３）は、ｅＮＢ１００へ直接的に上記メッセージを送信してもよく、又は、Ｘ２ゲートウェイ（Ｘ２ＧＷ）を介してｅＮＢ１００へ上記メッセージを送信してもよい。
【０１０６】
第３の例では、上記メッセージは、Ｘ２ＡＰ：ＳＥＮＢ  ＡＤＤＩＴＩＯＮ  ＲＥＱＵＥＳＴ  ＡＣＫＮＯＷＬＥＤＧＥメッセージであってもよい。即ち、ｅＮＢ２００Ｂ（第２通信処理部２４３）は、ＳｅＮＢがｅＮＢ２００Ａ（ソースＳｅＮＢ）からｅＮＢ２００Ｂ（ターゲットＳｅＮＢ）に変更される場合に、上記メッセージを送信してもよい。
【０１０７】
Ｘ２ＡＰ：ＳＥＮＢ  ＡＤＤＩＴＩＯＮ  ＲＥＱＵＥＳＴ  ＡＣＫＮＯＷＬＥＤＧＥメッセージは、図１７に示されるような情報要素を含んでもよく、とりわけＴｕｎｎｅｌ  Ｉｎｆｏｒｍａｔｉｏｎ  ｆｏｒ  ＢＢＦ  ＩＥを含んでもよい。さらに、Ｔｕｎｎｅｌ  Ｉｎｆｏｒｍａｔｉｏｎ  ｆｏｒ  ＢＢＦ  ＩＥは、図１４に示されるような情報要素を含んでもよい。即ち、Ｔｕｎｎｅｌ  Ｉｎｆｏｒｍａｔｉｏｎ  ｆｏｒ  ＢＢＦ  ＩＥは、トランスポートレイヤアドレス（即ち、ＩＰアドレス）及びＵＤＰポート番号を含んでもよい。
【０１０８】
以上、ｅＮＢ２００により送信される上記メッセージの例を説明したが、当然ながら、ｅＮＢ２００により送信される上記メッセージはこの例に限定されない。ｅＮＢ２００により送信される上記メッセージは他の種類のメッセージであってもよい。
【０１０９】
（ｃ）アドレス情報及びトランスポート識別情報
例えば、上記アドレス情報は、ＩＰアドレスであり、上記トランスポート識別情報は、ＵＤＰポート番号である。
【０１１０】
なお、上記アドレス情報及び上記トランスポート識別情報についてのより詳細な説明は、ｅＮＢ１００の技術的特徴として上述したとおりである。よって、ここでは重複する説明を省略する。
【０１１１】
＜３．４．ＭＭＥの構成例＞
次に、図１８を参照して、第１の実施形態に係るＭＭＥ３００の構成の例を説明する。図１８は、第１の実施形態に係るＭＭＥ３００の概略的な構成の例を示すブロック図である。図１８を参照すると、ＭＭＥ３００は、ネットワーク通信部３１０、記憶部３２０及び処理部３３０を備える。
【０１１２】
（１）ネットワーク通信部３１０
ネットワーク通信部３１０は、ネットワークから信号を受信し、当該ネットワークへ信号を送信する。
【０１１３】
（２）記憶部３２０
記憶部３２０は、ＭＭＥ３００の動作のためのプログラム及びパラメータ、並びに様々なデータを、一時的に又は恒久的に記憶する。
【０１１４】
（３）処理部３３０
処理部３３０は、ＭＭＥ３００の様々な機能を提供する。処理部３３０は、通信処理部３３１及び生成部３３３を含む。なお、処理部３３０は、これらの構成要素以外の他の構成要素をさらに含み得る。即ち、処理部３３０は、これらの構成要素の動作以外の動作も行い得る。
【０１１５】
例えば、処理部３３０は、ネットワーク通信部３１０を介してｅＮＢと通信する。
【０１１６】
（４）実装
ネットワーク通信部３１０は、ネットワークアダプタ又はネットワークインタフェースカードなどを含んでもよい。記憶部３２０は、メモリ（例えば、不揮発性メモリ及び／若しくは揮発性メモリ）並びに／又はハードディスクなどを含んでもよい。処理部３３０は、プロセッサなどを含んでもよい。
【０１１７】
（５）技術的特徴
ｅＮＢ１００がＵＥ１０のためのＭｅＮＢとして動作している場合に、ＵＥ１０のためのＳｅＮＢ（即ち、デュアルコネクティビティにおいて追加の無線リソースをＵＥ１０に提供するＳｅＮＢ）が、ｅＮＢ２００Ａ（ソースＳｅＮＢ）からｅＮＢ２００Ｂ（ターゲットＳｅＮＢ）に変更される。この場合に、ＭＭＥ３００（通信処理部３３１）は、ｅＮＢ２００Ｂ（ターゲットＳｅＮＢ）のアドレス情報及びトランスポート識別情報を含む第１のメッセージを、ｅＮＢ１００（ＭｅＮＢ）から受信する。例えば、ＭＭＥ３００（通信処理部３３１）は、上記アドレス情報及び上記トランスポート識別情報を含む第２のメッセージを、コアネットワークノードへ送信する。例えば、ＭＭＥ３００（生成部３３３）は、上記第２のメッセージを生成する。
【０１１８】
これにより、例えば、デュアルコネクティビティのケース（具体的には、ＳｅＮＢの変更のケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【０１１９】
（ａ）コアネットワークノード
例えば、上記コアネットワークノードは、Ｓ−ＧＷ２０である。
【０１２０】
（ｂ）ｅＮＢ１００から受信される第１のメッセージ
ｅＮＢ１００から受信される上記第１のメッセージについては、ｅＮＢ１００の構成例に関連して上述したとおりである。
【０１２１】
（ｃ）コアネットワークノードへ送信される第２のメッセージ
上記コアネットワークノードへ送信される上記第２のメッセージは、例えば、ＭＯＤＩＦＹ  ＢＥＡＲＥＲ  ＲＥＱＵＥＳＴメッセージである。
【０１２２】
当然ながら、ＭＭＥ３００により送信される上記第２のメッセージはこの例に限定されない。ＭＭＥ３００により送信される上記第２のメッセージは他の種類のメッセージであってもよい。
【０１２３】
（ｄ）アドレス情報及びトランスポート識別情報
例えば、上記アドレス情報は、ＩＰアドレスであり、上記トランスポート識別情報は、ＵＤＰポート番号である。
【０１２４】
なお、上記アドレス情報及び上記トランスポート識別情報についてのより詳細な説明は、ｅＮＢ１００の技術的特徴として上述したとおりである。よって、ここでは重複する説明を省略する。
【０１２５】
＜３．５．処理の流れ＞
次に、図１９を参照して、第１の実施形態に係る処理の流れを説明する。図１９は、第１の実施形態に係る処理の概略的な流れの例を示すシーケンス図である。
【０１２６】
この例では、ｅＮＢ１００がＵＥ１０のためのＭｅＮＢとして動作している場合に、ＵＥ１０のためのＳｅＮＢが、ｅＮＢ２００Ａ（ソースＳｅＮＢ）からｅＮＢ２００Ｂ（ターゲットＳｅＮＢ）に変更される。よって、ここでは、ｅＮＢ１００、ｅＮＢ２００Ａ及びｅＮＢ２００Ｂは、それぞれＭｅＮＢ１００、Ｓ−ＳｅＮＢ２００Ａ及びＴ−ＳｅＮＢ２００Ｂと表記される。
【０１２７】
（Ｓ４０１）
まず、ｅＮＢ間でのＸ２リンクが確立される。とりわけ、ＭｅＮＢ１００とＴ−ＳｅＮＢ２００Ｂとの間でＸ２リンクが確立される。
【０１２８】
３ＧＰＰ  ＴＳ３６．３００  Ｖ１３．０．０によれば、Ｘ２リンクは、ｅＮＢ間で直接的に確立され、又は、Ｘ２ＧＷを介して間接的に確立される。
【０１２９】
また、Ｘ２リンクは、オペレータにより手動で確立されることも可能である。あるいは、Ｘ２リンクは、３ＧＰＰ  ＴＳ３６．３００の２２章で定められているＳＯＮ（Self-Organization  Network）により自動的に確立されることも可能である。ＳＯＮは、ネットワークの自動最適化アルゴリズムである。
【０１３０】
以上の点を考慮すると、Ｘ２リンクを確立する４つの手法が存在する。
（Ａ）３ＧＰＰ  ＴＳ３６．３００  Ｖ１３．０．０の２２．３．６章に定められているＴＮＬ  ａｄｄｒｅｓｓ  ｄｉｓｃｏｖｅｒｙにより、自動でｅＮＢ間に直接的にＸ２リンクを確立する手法（Ｓ４０１Ａ）
（Ｂ）手動でｅＮＢ間に直接的にＸ２リンクを確立する手法（Ｓ４０１Ｂ）
（Ｃ）３ＧＰＰ  ＴＳ３６．３００  Ｖ１３．０．０の４．６．６．１章に定められているＥｎｈａｎｃｅｄ  ＴＮＬ  ａｄｄｒｅｓｓ  ｄｉｓｃｏｖｅｒｙにより、自動でｅＮＢ間にＸ２ＧＷを介して間接的にＸ２リンクを確立する手法（Ｓ４０１Ｃ）
（Ｄ）手動でｅＮＢ間にＸ２ＧＷを介して間接的にＸ２リンクを確立する手法（Ｓ４０１Ｄ）
【０１３１】
上述した４つの手法（Ａ〜Ｄ）では、ＭｅＮＢ１００及びＴ−ＳｅＮＢ２００Ｂのいずれも、Ｘ２リンクを確立する処理を開始できるが、ここではＭｅＮＢ１００が当該処理を開始するものとする。また、ＭｅＮＢ１００とＳ−ＳｅＮＢ２００Ａとの間のＸ２リンク、及び、Ｓ−ＳｅＮＢ２００ＡとＴ−ＳｅＮＢ２００Ｂとの間のＸ２リンクも、上述した４つの手法のいずれかで確立されるが、ここでは説明を省略する。
【０１３２】
−Ｓ４０１Ａ
ＴＮＬ  ａｄｄｒｅｓｓ  ｄｉｓｃｏｖｅｒｙを実行する契機が発生すると、ＭｅＮＢ１００は、３ＧＰＰ  ＴＳ３６．４１３  Ｖ１３．０．０に定義されているＳ１ＡＰ：ＥＮＢ  ＣＯＮＦＩＧＵＲＡＴＩＯＮ  ＴＲＡＮＳＦＥＲメッセージをＭＭＥ３００へ送信する。Ｓ１ＡＰ：ＥＮＢ  ＣＯＮＦＩＧＵＲＡＴＩＯＮ  ＴＲＡＮＳＦＥＲメッセージは、ＳＯＮ  Ｃｏｎｆｉｇｕｒａｔｉｏｎ  Ｔｒａｎｓｆｅｒ  ＩＥを含み、ＳＯＮ  Ｃｏｎｆｉｇｕｒａｔｉｏｎ  Ｔｒａｎｓｆｅｒ  ＩＥは、Ｘ２  ＴＮＬ  Ｃｏｎｆｉｇｕｒａｔｉｏｎ  Ｉｎｆｏ  ＩＥ（図１３を参照）を含む。さらに、Ｘ２  ＴＮＬ  Ｃｏｎｆｉｇｕｒａｔｉｏｎ  Ｉｎｆｏ  ＩＥは、Ｔｕｎｎｅｌ  Ｉｎｆｏｒｍａｔｉｏｎ  ｆｏｒ  ＢＢＦ  ＩＥ（図１４を参照）を含む。例えば、Ｔｕｎｎｅｌ  Ｉｎｆｏｒｍａｔｉｏｎ  ｆｏｒ  ＢＢＦ  ＩＥは、ＭｅＮＢ１００のローカルＩＰアドレス（即ち、パブリックＩＰアドレス又はグローバルＩＰアドレス）及びＵＤＰポート番号を含む。
【０１３３】
ＭＭＥ３００は、Ｓ１ＡＰ：ＥＮＢ  ＣＯＮＦＩＧＵＲＡＴＩＯＮ  ＴＲＡＮＳＦＥＲメッセージの受信に応じて、Ｓ１ＡＰ：ＭＭＥ  ＣＯＮＦＩＧＵＲＡＴＩＯＮ  ＴＲＡＮＳＦＥＲメッセージをＴ−ＳｅＮＢ２００Ｂへ送信する。Ｓ１ＡＰ：ＭＭＥ  ＣＯＮＦＩＧＵＲＡＴＩＯＮ  ＴＲＡＮＳＦＥＲメッセージは、Ｓ１ＡＰ：ＥＮＢ  ＣＯＮＦＩＧＵＲＡＴＩＯＮ  ＴＲＡＮＳＦＥＲメッセージに含まれていたＳＯＮ  Ｃｏｎｆｉｇｕｒａｔｉｏｎ  Ｔｒａｎｓｆｅｒ  ＩＥを含む。即ち、ＳＯＮ  Ｃｏｎｆｉｇｕｒａｔｉｏｎ  Ｔｒａｎｓｆｅｒ  ＩＥが、ＭＭＥ３００を介してＭｅＮＢ１００からＴ−ＳｅＮＢ２００Ｂへ送信される。これにより、Ｔ−ＳｅＮＢ２００Ｂは、ＭｅＮＢ１００のローカルＩＰアドレス及びＵＤＰポート番号を知ることが可能になる。
【０１３４】
さらに、Ｔ−ＳｅＮＢ２００Ｂは、Ｓ１ＡＰ：ＥＮＢ  ＣＯＮＦＩＧＵＲＡＴＩＯＮ  ＴＲＡＮＳＦＥＲメッセージをＭＭＥ３００へ送信する。Ｓ１ＡＰ：ＥＮＢ  ＣＯＮＦＩＧＵＲＡＴＩＯＮ  ＴＲＡＮＳＦＥＲメッセージは、上述したような情報要素（ＩＥ）を含むが、ここではＴ−ＳｅＮＢのローカルＩＰアドレス及びＵＤＰポート番号を含む。
【０１３５】
ＭＭＥ３００は、Ｓ１ＡＰ：ＥＮＢ  ＣＯＮＦＩＧＵＲＡＴＩＯＮ  ＴＲＡＮＳＦＥＲメッセージの受信に応じて、Ｓ１ＡＰ：ＭＭＥ  ＣＯＮＦＩＧＵＲＡＴＩＯＮ  ＴＲＡＮＳＦＥＲメッセージをＭｅＮＢ１００へ送信する。Ｓ１ＡＰ：ＭＭＥ  ＣＯＮＦＩＧＵＲＡＴＩＯＮ  ＴＲＡＮＳＦＥＲメッセージは、Ｓ１ＡＰ：ＥＮＢ  ＣＯＮＦＩＧＵＲＡＴＩＯＮ  ＴＲＡＮＳＦＥＲメッセージに含まれていたＳＯＮ  Ｃｏｎｆｉｇｕｒａｔｉｏｎ  Ｔｒａｎｓｆｅｒ  ＩＥを含む。即ち、ＳＯＮ  Ｃｏｎｆｉｇｕｒａｔｉｏｎ  Ｔｒａｎｓｆｅｒ  ＩＥが、ＭＭＥ３００を介してＴ−ＳｅＮＢ２００ＢからＭｅＮＢ１００Ｂへ送信される。これにより、ＭｅＮＢ１００は、Ｔ−ＳｅＮＢ２００ＢのローカルＩＰアドレス及びＵＤＰポート番号を知ることが可能になる。
【０１３６】
−Ｓ４０１Ｂ
ＭｅＮＢ１００は、オペレータによる設定（例えば、（宛先としての）Ｔ−ＳｅＮＢ２００ＢのローカルＩＰアドレス及びＵＤＰポート番号の設定）に基づいて、３ＧＰＰ  ＴＳ３６．４２３  Ｖ１３．０．０に定義されているＸ２ＡＰ：Ｘ２  ＳＥＴＵＰ  ＲＥＱＵＥＳＴメッセージ（図１５を参照）をＴ−ＳｅＮＢ２００Ｂへ送信する。Ｘ２ＡＰ：Ｘ２  ＳＥＴＵＰ  ＲＥＱＵＥＳＴメッセージは、ＭｅＮＢのローカルＩＰアドレス及びＵＤＰポート番号を含む。これにより、Ｔ−ＳｅＮＢ２００Ｂは、ＭｅＮＢ１００のローカルＩＰアドレス及びＵＤＰポート番号を知ることが可能になる。
【０１３７】
Ｔ−ＳｅＮＢ２００Ｂは、３ＧＰＰ  ＴＳ３６．４２３  Ｖ１３．０．０に定義されているＸ２ＡＰ：Ｘ２  ＳＥＴＵＰ  ＲＥＳＰＯＮＳＥメッセージ（図１６を参照）をＭｅＮＢ１００へ送信する。Ｘ２ＡＰ：Ｘ２  ＳＥＴＵＰ  ＲＥＳＰＯＮＳＥメッセージは、Ｔ−ＳｅＮＢ２００ＢのローカルＩＰアドレス及びＵＤＰポート番号を含む。これにより、ＭｅＮＢ１００は、Ｔ−ＳｅＮＢ２００ＢのローカルＩＰアドレス及びＵＤＰポート番号を知ることが可能になる。
【０１３８】
なお、上述した処理とは反対に、Ｔ−ＳｅＮＢ２００Ｂが、Ｘ２ＡＰ：Ｘ２  ＳＥＴＵＰ  ＲＥＱＵＥＳＴメッセージ（図１５を参照）をＭｅＮＢ１００へ送信し、ＭｅＮＢ１００が、Ｘ２ＡＰ：Ｘ２  ＳＥＴＵＰ  ＲＥＳＰＯＮＳＥメッセージ（図１６を参照）をＴ−ＳｅＮＢ２００Ｂへ送信してもよい。
【０１３９】
−Ｓ４０１Ｃ
ステップＳ４０１Ｃは、ＭｅＮＢ１００とＸ２ＧＷとの間のＸ２ＡＰメッセージの処理、及びＸ２ＧＷとＴ−ＳｅＮＢ２００Ｂとの間のＸ２ＡＰメッセージの処理（即ち、３ＧＰＰ  ＴＳ３６．３００  Ｖ１３．０．０の２２．３．６．１章の手続きに追加された処理）を除き、ステップＳ４０１Ａと同じである。よって、ここでは重複する説明を省略する。
【０１４０】
−Ｓ４０１Ｄ
ＭｅＮＢ１００は、３ＧＰＰ  ＴＳ３６．４２３  Ｖ１３．０．０に定義されているＸ２ＡＰ：Ｘ２ＡＰ  ＭＥＳＳＡＧＥ  ＴＲＡＮＳＦＥＲメッセージをＸ２ＧＷ（Ｔ−ＳｅＮＢ２００Ｂ）へ送信する。Ｘ２ＡＰ  ＭＥＳＳＡＧＥ  ＴＲＡＮＳＦＥＲメッセージは、Ｘ２ＡＰ：Ｘ２  ＳＥＴＵＰ  ＲＥＱＵＥＳＴメッセージ（図１５を参照）を含む。即ち、ＭｅＮＢ１００は、Ｘ２ＧＷを介して、Ｘ２ＡＰ：Ｘ２  ＳＥＴＵＰ  ＲＥＱＵＥＳＴメッセージをＴ−ＳｅＮＢ２００Ｂへ送信する。Ｘ２ＡＰ：Ｘ２  ＳＥＴＵＰ  ＲＥＱＵＥＳＴメッセージは、ＭｅＮＢ１００のローカルＩＰアドレス及びＵＤＰポート番号を含む。これにより、Ｔ−ＳｅＮＢ２００Ｂは、ＭｅＮＢ１００のローカルＩＰアドレス及びＵＤＰポート番号を知ることが可能になる。
【０１４１】
Ｔ−ＳｅＮＢ２００Ｂは、３ＧＰＰ  ＴＳ３６．４２３  Ｖ１３．０．０に定義されているＸ２ＡＰ：Ｘ２ＡＰ  ＭＥＳＳＡＧＥ  ＴＲＡＮＳＦＥＲメッセージをＸ２ＧＷ（ＭｅＮＢ１００）へ送信する。Ｘ２ＡＰ  ＭＥＳＳＡＧＥ  ＴＲＡＮＳＦＥＲメッセージは、Ｘ２ＡＰ：Ｘ２  ＳＥＴＵＰ  ＲＥＳＰＯＮＳＥメッセージ（図１６を参照）を含む。即ち、Ｔ−ＳｅＮＢ２００Ｂは、Ｘ２ＧＷを介して、Ｘ２ＡＰ：Ｘ２  ＳＥＴＵＰ  ＲＥＳＰＯＮＳＥメッセージをＭｅＮＢ１００へ送信する。Ｘ２ＡＰ：Ｘ２  ＳＥＴＵＰ  ＲＥＳＰＯＮＳＥメッセージは、Ｔ−ＳｅＮＢ２００ＢのローカルＩＰアドレス及びＵＤＰポート番号を含む。これにより、ＭｅＮＢ１００は、Ｔ−ＳｅＮＢ２００ＢのローカルＩＰアドレス及びＵＤＰポート番号を知ることが可能になる。
【０１４２】
なお、上述した処理とは反対に、Ｔ−ＳｅＮＢ２００Ｂが、Ｘ２ＡＰ：Ｘ２  ＳＥＴＵＰ  ＲＥＱＵＥＳＴメッセージ（図１５を参照）をＭｅＮＢ１００へ送信し、ＭｅＮＢ１００が、Ｘ２ＡＰ：Ｘ２  ＳＥＴＵＰ  ＲＥＳＰＯＮＳＥメッセージ（図１６を参照）をＴ−ＳｅＮＢ２００Ｂへ送信してもよい。
【０１４３】
−補足
ステップＳ４０１の完了後のいずれかのタイミングで、ＵＥ１０のデュアルコネクティビティが開始される。より具体的には、ＵＥ１０は、ＭｅＮＢ１００及びＳ−ＳｅＮＢ２００Ａの両方と通信し始める。
【０１４４】
（Ｓ４１１）
ＭｅＮＢ１００は、Ｘ２ＡＰ：ＳＥＮＢ  ＡＤＤＩＴＩＯＮ  ＲＥＱＵＥＳＴメッセージをＴ−ＳｅＮＢ２００Ｂへ送信する。これにより、ＭｅＮＢ００は、ＵＥ１０のためのリソースの割当てをＴ−ＳｅＮＢ２００Ｂに要求する。
【０１４５】
（Ｓ４１３）
Ｔ−ＳｅＮＢ２００Ｂは、Ｘ２ＡＰ：ＳＥＮＢ  ＡＤＤＩＴＩＯＮ  ＲＥＱＵＥＳＴ  ＡＣＫＮＯＷＬＥＤＧＥメッセージをＭｅＮＢ１００へ送信する。これにより、Ｔ−ＳｅＮＢ２００Ｂは、ＵＥ１０のためのリソースを割り当てたことをＭｅＮＢ１００に通知する。
【０１４６】
なお、Ｘ２ＡＰ：ＳＥＮＢ  ＡＤＤＩＴＩＯＮ  ＲＥＱＵＥＳＴ  ＡＣＫＮＯＷＬＥＤＧＥメッセージは、図１７に示されるような情報要素を含んでもよく、とりわけＴｕｎｎｅｌ  Ｉｎｆｏｒｍａｔｉｏｎ  ｆｏｒ  ＢＢＦ  ＩＥを含んでもよい。さらに、Ｔｕｎｎｅｌ  Ｉｎｆｏｒｍａｔｉｏｎ  ｆｏｒ  ＢＢＦ  ＩＥは、図１４に示されるような情報要素を含んでもよい。
【０１４７】
（Ｓ４１５）
ＭｅＮＢ１００は、Ｘ２ＡＰ：ＳＥＮＢ  ＲＥＬＥＡＳＥ  ＲＥＱＵＥＳＴメッセージをＳ−ＳｅＮＢ２００Ａへ送信する。これにより、Ｓ−ＳｅＮＢ２００Ａは、ＵＥ１０のためのリソースを解放する。
【０１４８】
（Ｓ４１７）
ＭｅＮＢ１０は、新たなコンフィギュレーションを適用するようにＵＥ１０に指示する。
【０１４９】
（Ｓ４１９）
ＵＥ１０は、新たなコンフィギュレーションを適用したことをＭｅＮＢ１００に通知する。
【０１５０】
（Ｓ４２１）
ＭｅＮＢ１００は、Ｘ２ＡＰ：ＳＥＮＢ  ＲＥＣＯＮＦＩＧＵＲＡＴＩＯＮ  ＣＯＭＰＬＥＴＥメッセージをＴ−ＳｅＮＢ２００Ｂへ送信する。これにより、ＭｅＮＢ１００は、ＲＲＣ  ｃｏｎｎｅｃｔｉｏｎ  ｒｅｃｏｎｆｉｇｕｒａｔｉｏｎ手続きの成功をＴ−ＳｅＮＢ２００Ｂに通知する。
【０１５１】
（Ｓ４２３）
ＵＥ１０は、Ｔ−ＳｅＮＢ２００Ｂと同期をとる。
【０１５２】
（Ｓ４２５−Ｓ４２９）
Ｓ−ＳｅＮＢ２００ＡからＴ−ＳｅＮＢ２００Ｂへデータが転送される。
【０１５３】
（Ｓ４３１）
−ＳＣＧベアラがあるケース
ＵＥ１０及びＳ−ＳｅＮＢ２００ＡについてのＳＣＧベアラがある場合に（即ち、ＳＣＧベアラオプションが設定されている場合に）、ＭｅＮＢ１００は、Ｓ１ＡＰ：Ｅ−ＲＡＢ  ＭＯＤＩＦＩＣＡＴＩＯＮ  ＩＮＤＩＣＡＴＩＯＮメッセージ（図１１を参照）をＭＭＥ３００へ送信する。
【０１５４】
Ｓ１ＡＰ：Ｅ−ＲＡＢ  ＭＯＤＩＦＩＣＡＴＩＯＮ  ＩＮＤＩＣＡＴＩＯＮメッセージは、Ｔｕｎｎｅｌ  Ｉｎｆｏｒｍａｔｉｏｎ  ｆｏｒ  ＢＢＦ  ＩＥを含む。さらに、Ｔｕｎｎｅｌ  Ｉｎｆｏｒｍａｔｉｏｎ  ｆｏｒ  ＢＢＦ  ＩＥは、Ｔ−ＳｅＮＢ２００ＢのローカルＩＰアドレス及びＵＤＰポート番号を含む。
【０１５５】
−ＳＣＧベアラがないケース（スプリットベアラのみがあるケース）
ＵＥ１０及びＳ−ＳｅＮＢ２００ＡについてのＳＣＧベアラはなく、スプリットベアラのみがある場合には（即ち、ＳＣＧベアラオプションが設定されていない場合には）、３ＧＰＰ  ＴＳ３６．３００  ｖ１３．０．０によれば、ＭｅＮＢ１００は、Ｓ１ＡＰ：Ｅ−ＲＡＢ  ＭＯＤＩＦＩＣＡＴＩＯＮ  ＩＮＤＩＣＡＴＩＯＮメッセージをＭＭＥ３００へ送信しない。しかし、第１の実施形態では、例えば、ＭｅＮＢ１００は、Ｓ１ＡＰ：Ｅ−ＲＡＢ  ＭＯＤＩＦＩＣＡＴＩＯＮ  ＩＮＤＩＣＡＴＩＯＮメッセージをＭＭＥ３００へ送信する。
【０１５６】
Ｓ１ＡＰ：Ｅ−ＲＡＢ  ＭＯＤＩＦＩＣＡＴＩＯＮ  ＩＮＤＩＣＡＴＩＯＮメッセージは、Ｔｕｎｎｅｌ  Ｉｎｆｏｒｍａｔｉｏｎ  ｆｏｒ  ＢＢＦ  ＩＥを含む。さらに、Ｔｕｎｎｅｌ  Ｉｎｆｏｒｍａｔｉｏｎ  ｆｏｒ  ＢＢＦ  ＩＥは、Ｔ−ＳｅＮＢ２００ＢのローカルＩＰアドレス及びＵＤＰポート番号を含む。
【０１５７】
（Ｓ４３３）
第１の実施形態では、ＵＥ１０及びＳ−ＳｅＮＢ２００ＡについてのＳＣＧベアラの有無によらず、ＭＭＥ１００は、ＭＯＤＩＦＹ  ＢＥＡＲＥＲ  ＲＥＱＵＥＳＴメッセージをＳ−ＧＷ２０へ送信する。
【０１５８】
なお、Ｓ−ＧＷ２０は、上記ＳＣＧベアラがある場合には、データパスの更新を行い、上記ＳＣＧベアラがない場合には（即ち、スプリットベアラのみがある場合には）、データパスの更新を行わない。
【０１５９】
（Ｓ４３５）
Ｓ−ＧＷ２０は、Ｍｏｄｉｆｙ  Ｂｅａｒｅｒ  Ｒｅｑｕｅｓｔメッセージ（Ｔ−ＳｅＮＢ２００ＢのローカルＩＰアドレス及びＵＤＰポート番号を含む）をＰ−ＧＷ３０へ送信する。
【０１６０】
（Ｓ４３７）
Ｐ−ＧＷ３０は、ＩＰ−ＣＡＮ  ｓｅｓｓｉｏｎ  ｍｏｄｉｆｉｃａｔｉｏｎ  ｒｅｑｕｅｓｔメッセージ（Ｔ−ＳｅＮＢ２００ＢのローカルＩＰアドレス及びＵＤＰポート番号を含む）をＰＣＲＦ４０へ送信する。
【０１６１】
（Ｓ４３９）
ＰＣＲＦ４０は、ＦＢＡ５０との間でＧａｔｅｗａｙ  ｃｏｎｔｒｏｌ  ａｎｄ  ＱｏＳ  Ｒｕｌｅ  ｐｒｏｖｉｓｉｏｎｉｎｇ手続き（Ｔ−ＳｅＮＢ２００ＢのローカルＩＰアドレス及びＵＤＰポート番号の送受信を含む）を実行する。ＦＢＡ５０は、ＰＣＲＦ４０から受信したＴ−ＳｅＮＢ２００ＢのローカルＩＰアドレス及びＵＤＰポート番号に対応する回線に、ＤＳＣＰに変換されたＱｏＳ情報を適用する。
【０１６２】
例えば、ＦＢＡ５０は、Ｔ−ＳｅＮＢ２００Ｂが接続される回線についての帯域制御を行う。一例として、上記回線について、図１に示されるように、３ＧＰＰシステムの利用者が使用している基地局のために確保している帯域（帯域９３）の上限値が調整され得る。別の例として、上記回線について、図２に示されるように、３ＧＰＰシステムの利用者を新たに受け入れ可能な帯域（帯域９５）が減らされ得る。
【０１６３】
これにより、３ＧＰＰシステムの利用者の通信品質の維持／向上、及び／又は、基地局毎のＲＡＢの収容数の適正化が可能になる。
【０１６４】
なお、ＦＢＡ５０が行う処理は、例えば、Ｂｒｏａｄｂａｎｄ  ｆｏｒｕｍのＴＲ−２０３及び／又はＴＲ−１３４等の勧告に従う。
【０１６５】
（Ｓ４４１）
ＰＣＲＦ４０は、ＩＰ−ＣＡＮ  ｓｅｓｓｉｏｎ  ｍｏｄｉｆｉｃａｔｉｏｎ  ＡｃｋｎｏｗｌｅｄｇｅメッセージをＰ−ＧＷ３０へ送信する。
【０１６６】
（Ｓ４４３）
Ｐ−ＧＷ３０は、Ｍｏｄｉｆｙ  Ｂｅａｒｅｒ  ＲｅｓｐｏｎｓｅをＳ−ＧＷ２０へ送信する。
【０１６７】
（Ｓ４４５）
Ｓ−ＧＷ２０は、Ｍｏｄｉｆｙ  Ｂｅａｒｅｒ  ＲｅｓｐｏｎｓｅメッセージをＭＭＥ３００へ送信する。
【０１６８】
（Ｓ４４７−Ｓ４４９）
ＳＣＧベアラがある場合には、データパスの更新のための処理が行われる。ＳＣＧベアラがない場合には、当該処理は実行されない。
【０１６９】
（Ｓ４５１）
ＭＭＥ３００は、Ｓ１ＡＰ：Ｅ−ＲＡＢ  ＭＯＤＩＦＩＣＡＴＩＯＮ  ＣＯＮＦＩＲＭメッセージをＭｅＮＢ１００へ送信する。
【０１７０】
（Ｓ４５３）
ＭｅＮＢ１００は、Ｘ２ＡＰ：ＵＥ  ＣＯＮＴＥＸＴ  ＲＥＬＥＡＳＥメッセージをＳ−ＳｅＮＢ２００Ａへ送信する。これにより、Ｓ−ＳｅＮＢ２００Ａは、ＵＥコンテキストを解放する。
【０１７１】
以上、第１の実施形態に係る処理の概略的な流れの例を説明した。上述した例では、ステップＳ４４５の後にステップＳ４４７が実行されるが、ステップＳ４４７は、ステップＳ４３３の後の任意のタイミングで実行され得る。
【０１７２】
第１の実施形態の上述した例では、Ｔｕｎｎｅｌ  Ｉｎｆｏｒｍａｔｉｏｎ  ｆｏｒ  ＢＢＦ  ＩＥを新たな情報要素として含むＸ２ＡＰ：ＳＥＴＵＰ  ＲＥＱＵＥＳＴメッセージ、Ｘ２ＡＰ：Ｘ２  ＳＥＴＵＰ  ＲＥＳＰＯＮＳＥメッセージ、Ｘ２ＡＰ：ＳＥＮＢ  ＡＤＤＩＴＩＯＮ  ＲＥＱＵＥＳＴ  ＡＣＫＮＯＷＬＥＤＧＥメッセージ、Ｓ１ＡＰ：ＥＮＢ  ＣＯＮＦＩＧＵＲＡＴＩＯＮ  ＴＲＡＮＳＦＥＲメッセージ、Ｓ１ＡＰ：ＭＭＥ  ＣＯＮＦＩＧＵＲＡＴＩＯＮ  ＴＲＡＮＳＦＥＲメッセージ、及び、Ｓ１ＡＰ：Ｅ−ＲＡＢ  ＭＯＤＩＦＩＣＡＴＩＯＮ  ＩＮＤＩＣＡＴＩＯＮメッセージが使用される。しかし、これらのメッセージは例示にすぎず、ＩＰアドレス及びＵＤＰポート番号（例えば、Ｔｕｎｎｅｌ  Ｉｎｆｏｒｍａｔｉｏｎ  ｆｏｒ  ＢＢＦ  ＩＥ）を含む他のメッセージが使用されてもよい。
【０１７３】
＜３．６．変形例＞
続いて、図２０を参照して、第１の実施形態の変形例を説明する。
【０１７４】
（１）第１の変形例
ネットワークノード（例えば、ｅＮＢ１００、ｅＮＢ２００、ＭＭＥ３００、Ｓ−ＧＷ２０、Ｐ−ＧＷ３０及び／又はＰＣＲＦ４０）は、個別のハードウェアで構成されるのではなく、ＶＮＦ（Virtualized  Network  Function）として仮想マシン上で動作してもよい。即ち、ＮＦＶ（Network  Function  Virtualization）が使用されてもよい。仮想マシン上でＶＦＮとして動作するネットワークノードは、ＭＡＮＯ（Management  and  Orchestration）と呼ばれる機能により管理及び編成されてもよい。
【０１７５】
例えば、セルラーネットワークのネットワークノード（例えば、ｅＮＢ１００、ｅＮＢ２００、ＭＭＥ３００、Ｓ−ＧＷ２０、Ｐ−ＧＷ３０及び／又はＰＣＲＦ４０）のＶＮＦを管理するＭＡＮＯが、ＦＢＡ５０の構成要素であるＳＤＮ（Software-Defined  Network）コントローラも管理する。この場合には、ＦＢＡ５０の帯域制御は、ＶＦＮであるＰＣＲＦ５０ではなく、ＭＡＮＯにより行われてもよい。
【０１７６】
（２）第２の変形例
ＰＣＲＦ４０に相当する機能が、ＲＡＮ（Radio  Access  Network）に存在してもよい。この場合に、ＰＣＲＦ４０ではなく、ＲＡＮが、固定ブロードバンドアクセスネットワーク（ＦＢＡ５０）の制御（例えば、帯域制御）を行ってもよい。
【０１７７】
この場合に、ｅＮＢ１００は、ＭＭＥ３００ではなく、上記機能を有するノードへ、上記第１のメッセージを送信してもよい。あるいは、ＭＭＥ３００は、Ｓ−ＧＷ２０ではなく、上記機能を有するノードへ、上記第２のメッセージを送信してもよい。
【０１７８】
（３）第３の変形例
例えば、３ＧＰＰ  Ｒ２−１５３９７２において、ＬＴＥ−ＷＬＡＮ（Wireless  Local  Area  Network）アグリゲーション（ＬＷＡ）が提案されている。ＬＷＡでは、ＵＥは、ＬＴＥとＷＬＡＮの両方を使用して通信する。
【０１７９】
ＬＷＡのケースでは、ＬＴＥのみでデータが送信されるＭＣＧベアラ、ＬＴＥ及びＷＬＡＮの両方でデータが送信されるスプリットベアラ、及び、ＷＬＡＮのみでデータが送信されるスイッチトベアラ（Switched  bearer）がある。スプリットベアラ又はスイッチトベアラが使用される場合には、ｅＮＢは、Ｘｗインターフェースを介してデータをＷＬＡＮへ送信される。
【０１８０】
ＸｗインターフェースがＦＢＡ５０（又はＰＣＲＦ４０に接続される他のネットワーク）を介する場合には、第１の実施形態の上述した例（即ち、デュアルコネクティビティの例）と同様の手法が、ＬＷＡのケースにも適用されてもよい。これにより、３ＧＰＰシステムの利用者の通信品質の維持／向上、及び／又は、基地局毎のUEの収容数の適正化が可能になり得る。
【０１８１】
（ａ）システムの構成例
図２０は、第１の実施形態の第３の変形例に係るシステムの概略的な構成の一例を示す説明図である。図２０を参照すると、当該システムは、ｅＮＢ１００、ＷＬＡＮ  Ｔｅｒｍｉｎａｔｉｏｎ（ＷＴ）２０１Ａ、ＷＴ２０１Ｂ、ＷＬＡＮ  ＡＰ２０３Ａ、ＷＬＡＮ  ＡＰ２０３Ｂ、及びＭＭＥ３００を含む。さらに、上記システムは、ＵＥ１０、Ｓ−ＧＷ２０、Ｐ−ＧＷ３０、ＰＣＲＦ４０及びＦＢＡ５０を含む。
【０１８２】
ＷＴ２０１Ａ及びＷＴ２０１Ｂの区別が必要ない場合には、ＷＴ２０１Ａ及びＷＴ２０１Ｂの各々は、単にＷＴ２０１と呼ばれ得る。同様に、ＷＬＡＮ  ＡＰ２０３Ａ及びＷＬＡＮ  ＡＰ２０３Ｂの区別が必要ない場合には、ＷＬＡＮ  ＡＰ２０３Ａ及びＷＬＡＮ  ＡＰ２０３Ｂの各々は、単にＷＬＡＮ  ＡＰ２０３と呼ばれ得る。
【０１８３】
例えば、ＷＴ２０１は、Ｘｗインターフェースを終端する。
【０１８４】
例えば、ＷＬＡＮ  ＡＰ２０３は、ＷＬＡＮモビリティセット（即ち、１つ以上のＷＬＡＮ  ＡＰのセット）に属する。当該ＷＬＡＮモビリティセットは、共通のＷＴ２０１を共有する。例えば、ＷＬＡＮ  ＡＰ２０３Ａは、第１のＷＬＡＮモビリティセットに属し、当該第１のＷＬＡＮモビリティセットは、ＷＴ２０１Ａを共有する。例えば、ＷＬＡＮ  ＡＰ２０３Ｂは、第２のＷＬＡＮモビリティセットに属し、当該第２のＷＬＡＮモビリティセットは、ＷＴ２０１Ｂを共有する。
【０１８５】
ＵＥ１０は、ＬＷＡをサポートし、ｅＮＢ１００及びＷＬＡＮ  ＡＰ２０３と通信可能である。とりわけこの例では、まず、ＵＥ１０は、ＬＷＡで、ｅＮＢ１００及びＷＬＡＮ  ＡＰ２０３Ａと通信している。その後、例えば、ＵＥ１０の移動に伴い、ＵＥ１０が通信するＡＰが、ＷＬＡＮ  ＡＰ２０３Ａ（Ｓ−ＡＰ）からＷＬＡＮ  ＡＰ２０３Ｂ（Ｔ−ＡＰ）に変更される。その結果、ＵＥ１０は、ｅＮＢ１００及びＷＬＡＮ  ＡＰ２０３Ｂと通信するようになる。
【０１８６】
（ｂ）技術的特徴
例えば、ｅＮＢ１００が通信するＵＥ１０と通信するＷＬＡＮ  ＡＰ（即ち、ＬＴＥ−ＷＬＡＮアグリゲーションのＷＬＡＮ  ＡＰ）が、ＷＬＡＮ  ＡＰ２０３ＡからＷＬＡＮ  ＡＰ２０３Ｂに変更される。この場合に、ｅＮＢ１００（第２通信処理部１４３）は、ＷＬＡＮ  ＡＰ２０３Ｂのアドレス情報及びトランスポート識別情報を含む第１のメッセージを、コアネットワークノード（例えば、ＭＭＥ３００）へ送信する。例えば、ｅＮＢ１００（生成部１４５）は、上記第１のメッセージを生成する。
【０１８７】
例えば、ＭＭＥ３００（通信処理部３３１）は、上記第１のメッセージをｅＮＢ１００から受信する。そして、ＭＭＥ３００（通信処理部３３１）は、上記アドレス情報及び上記トランスポート識別情報を含む第２のメッセージを、コアネットワークノード（例えば、Ｓ−ＧＷ２０）へ送信する。例えば、ＭＭＥ３００（生成部３３３）は、上記第２のメッセージを生成する。
【０１８８】
例えば、ＷＬＡＮ  ＡＰ２０３Ｂ（通信処理部）は、ＷＬＡＮ  ＡＰ２０３Ｂのアドレス情報及びトランスポート識別情報を含む第３のメッセージを、（例えばＷＴ２０１Ｂを介して）ｅＮＢ１００へ送信する。例えば、ＷＬＡＮ  ＡＰ２０３Ｂ（生成部）は、上記第３のメッセージを生成する。あるいは、ＷＴ２０１Ｂ（通信処理部）が、ＷＬＡＮ  ＡＰ２０３Ｂのアドレス情報及びトランスポート識別情報を含む第３のメッセージを、ｅＮＢ１００へ送信してもよい。例えば、ＷＴ２０１Ｂ（生成部）が、上記第３のメッセージを生成してもよい。
【０１８９】
これにより、例えば、ＬＴＥ−ＷＬＡＮアグリゲーションのケース（具体的には、ＷＬＡＮ  ＡＰの変更のケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【０１９０】
＜＜４．第２の実施形態＞＞
続いて、図２１〜図２５を参照して、本発明の第２の実施形態を説明する。
【０１９１】
＜４．１．システムの構成例＞
図２１を参照して、第２の実施形態に係るシステム２の構成の例を説明する。図２１は、第２の実施形態に係るシステム２の概略的な構成の一例を示す説明図である。図２１を参照すると、システム２は、端末装置１１、基地局５００、無線通信装置６００Ａ、無線通信装置６００Ｂ、第１コアネットワークノード７００及び第２コアネットワークノード６０を含む。なお、無線通信装置６００Ａ及び無線通信装置６００Ｂの区別が必要ない場合には、無線通信装置６００Ａ及び無線通信装置６００Ｂの各々は、単に無線通信装置６００と呼ばれ得る。
【０１９２】
例えば、端末装置１１はＵＥであり、基地局５００はｅＮＢであり、第１コアネットワークノード７００はＭＭＥであり、第２コアネットワークノード６０はＳ−ＧＷである。
【０１９３】
とりわけ、端末装置１１は、基地局５００及び無線通信装置６００と通信可能である。換言すると、無線通信装置６００は、基地局５００が通信する端末装置１１と通信可能である。
【０１９４】
例えば、端末装置１１の移動に伴い、基地局５００が通信する端末装置１１と通信する無線通信装置が、無線通信装置６００Ａから無線通信装置６００Ｂに変更され得る。
【０１９５】
（１）第１のケース
例えば、端末装置１１は、デュアルコネクティビティをサポートする。
【０１９６】
例えば、無線通信装置６００は、デュアルコネクティビティにおいて追加の無線リソースを端末装置１１に提供するセカンダリ基地局として動作可能な基地局である。具体的には、例えば、無線通信装置６００は、ＳｅＮＢとして動作可能なｅＮＢである。一例として、無線通信装置６００は、ホームｅＮＢであるが、この例に限定されない。
【０１９７】
例えば、基地局５００は、上記セカンダリ基地局に対応するマスタ基地局として動作可能である。具体的には、例えば、基地局５００は、ＭｅＮＢとして動作可能なｅＮＢである。
【０１９８】
例えば、端末装置１１の移動に伴い、端末装置１１のためのセカンダリ基地局が、無線通信装置６００Ａから無線通信装置６００Ｂに変更され得る。
【０１９９】
（２）第２のケース
端末装置１１は、異なる無線アクセス技術のアグリゲーションをサポートしてもよい。当該アグリゲーションは、ＬＴＥ−ＷＬＡＮアグリゲーション（ＬＷＡ）であってもよい。
【０２００】
無線通信装置６００は、基地局５００とは異なる無線アクセス技術を使用するアクセスポイント（ＡＰ）であってもよい。具体的には、無線通信装置６００は、ＷＬＡＮ  ＡＰであってもよい。この場合に、無線通信装置６００は、ＷＬＡＮ  Ｔｅｒｍｉｎａｔｉｏｎ（ＷＴ）を介して基地局５００と通信してもよい。
【０２０１】
無線通信装置６００Ａは、第１のモビリティセットに属する第１のＡＰであってもよく、無線通信装置６００Ｂは、上記第１のモビリティセットとは異なる第２のモビリティセットに属する第２のＡＰであってもよい。上記第１のモビリティセットは第１のＷＴを共有してもよく、上記第２のモビリティセットは第２のＷＴを共有してもよい。
【０２０２】
端末装置１１の移動に伴い、基地局５００が通信する端末装置１１と通信するＡＰが、無線通信装置６００Ａから無線通信装置６００Ｂに変更されてもよい。
【０２０３】
＜４．２．基地局の構成例＞
次に、図２２を参照して、第２の実施形態に係る基地局５００の構成の例を説明する。図２２は、第２の実施形態に係る基地局５００の概略的な構成の例を示すブロック図である。図２２を参照すると、基地局５００は、通信処理部５０３を備える。通信処理部５０３は、プロセッサ等により実装され得る。
【０２０４】
例えば、基地局５００が通信する端末装置１１と通信する無線通信装置が、無線通信装置６００Ａから無線通信装置６００Ｂに変更される。この場合に、基地局５００（通信処理部５０３）は、無線通信装置６００Ｂのアドレス情報及びトランスポート識別情報を含む第１のメッセージを、第１コアネットワークノード７００へ送信する。
【０２０５】
これにより、例えば、より多くのケースにおいて固定ブロードバンドアクセスネットワークの制御に必要な情報をコアネットワークノードが取得することが可能になる。その結果、より多くのケースにおいて、３ＧＰＰシステムの利用者の通信品質が維持／向上され、基地局毎のＲＡＢの収容数が適正化され得る。
【０２０６】
（１）第１のケース
上述したように、例えば、無線通信装置６００は、デュアルコネクティビティにおいて追加の無線リソースを端末装置１１に提供するセカンダリ基地局（例えば、ＳｅＮＢ）として動作可能な基地局であり、基地局５００は、上記セカンダリ基地局に対応するマスタ基地局（例えば、ＭｅＮＢ）として動作可能である。
【０２０７】
このケースについての具体的な説明は、例えば、ノード名及び符号等の相違を除き、第１の実施形態における説明と同じである。よって、ここでは重複する説明を省略する。即ち、第１の実施形態において説明されたｅＮＢ１００の技術的特徴は、基地局５００の技術的特徴としても適用され得る。
【０２０８】
このようなデュアルコネクティビティのケース（具体的には、セカンダリ基地局の変更のケース）においても固定ブロードバンドアクセスネットワークの制御が行われ得る。その結果、３ＧＰＰシステムの利用者の通信品質が維持／向上され、基地局毎のＲＡＢの収容数が適正化され得る。
【０２０９】
（２）第２のケース
上述したように、無線通信装置６００は、基地局５００とは異なる無線アクセス技術を使用するＡＰ（例えば、ＷＬＡＮ  ＡＰ）であってもよい。
【０２１０】
このケースについての具体的な説明は、例えば、ノード名及び符号等の相違を除き、第１の実施形態の第３の変形例における説明と同じである。よって、ここでは重複する説明を省略する。即ち、第１の実施形態の第３の変形例において説明されたｅＮＢ１００の技術的特徴は、基地局５００の技術的特徴としても適用され得る。
【０２１１】
このような異なる無線アクセス技術のアグリゲーション（例えば、ＬＴＥ−ＷＬＡＮアグリゲーション）のケース（例えば、ＷＬＡＮ  ＡＰの変更のケース）においても固定ブロードバンドアクセスネットワークの制御が行われ得る。その結果、３ＧＰＰシステムの利用者の通信品質が維持／向上され、基地局毎のＲＡＢの収容数が適正化され得る。
【０２１２】
＜４．３．無線通信装置の構成例＞
次に、図２３を参照して、第２の実施形態に係る無線通信装置６００の構成の例を説明する。図２３は、第２の実施形態に係る無線通信装置６００の概略的な構成の例を示すブロック図である。図２３を参照すると、無線通信装置６００は、通信処理部６０３を備える。通信処理部６０３は、プロセッサ等により実装され得る。
【０２１３】
無線通信装置６００（通信処理部６０３）は、無線通信装置６００のアドレス情報及びトランスポート識別情報を含むメッセージを、例えば基地局５００へ送信する。あるいは、無線通信装置６００（通信処理部６０３）は、上記アドレス情報及び上記トランスポート識別情報を基地局５００へ転送するコアネットワークノード（例えば、第１コアネットワークノード７００）へ、上記メッセージを送信してもよい。
【０２１４】
これにより、例えば、基地局５００が無線通信装置６００のアドレス情報及びトランスポート識別情報を知ることが可能になる。その結果、固定ブロードバンドアクセスネットワークの制御が行われ得る。
【０２１５】
（１）第１のケース
上述したように、例えば、無線通信装置６００は、デュアルコネクティビティにおいて追加の無線リソースを端末装置１１に提供するセカンダリ基地局（例えば、ＳｅＮＢ）として動作可能な基地局であり、基地局５００は、上記セカンダリ基地局に対応するマスタ基地局（例えば、ＭｅＮＢ）として動作可能である。
【０２１６】
このケースについての具体的な説明は、例えば、ノード名及び符号等の相違を除き、第１の実施形態における説明と同じである。よって、ここでは重複する説明を省略する。即ち、第１の実施形態において説明されたｅＮＢ２００の技術的特徴は、無線通信装置６００の技術的特徴としても適用され得る。
【０２１７】
（２）第２のケース
上述したように、無線通信装置６００は、基地局５００とは異なる無線アクセス技術を使用するＡＰ（例えば、ＷＬＡＮ  ＡＰ）であってもよい。
【０２１８】
このケースについての具体的な説明は、例えば、ノード名及び符号等の相違を除き、第１の実施形態の第３の変形例における説明と同じである。よって、ここでは重複する説明を省略する。即ち、第１の実施形態の第３の変形例において説明されたＷＬＡＮ  ＡＰ２０３の技術的特徴は、無線通信装置６００の技術的特徴としても適用され得る。
【０２１９】
＜４．４．第１コアネットワークノードの構成例＞
次に、図２４を参照して、第２の実施形態に係る第１コアネットワークノード７００の構成の例を説明する。図２４は、第２の実施形態に係る第１コアネットワークノード７００の概略的な構成の例を示すブロック図である。図２４を参照すると、第１コアネットワークノード７００は、通信処理部７０１を備える。通信処理部７０１は、プロセッサ等により実装され得る。
【０２２０】
例えば、基地局５００が通信する端末装置１１と通信する無線通信装置が、無線通信装置６００Ａから無線通信装置６００Ｂに変更される。この場合に、第１コアネットワークノード７００（通信処理部７０１）は、無線通信装置６００Ｂのアドレス情報及びトランスポート識別情報を含む第１のメッセージを、基地局５００から受信する。そして、第１コアネットワークノード７００（通信処理部７０１）は、上記アドレス情報及び上記トランスポート識別情報を含む第２のメッセージを、第２コアネットワークノード６０へ送信する。
【０２２１】
これにより、例えば、より多くのケースにおいて固定ブロードバンドアクセスネットワークの制御に必要な情報をコアネットワークノードが取得することが可能になる。その結果、より多くのケースにおいて、３ＧＰＰシステムの利用者の通信品質が維持／向上され、基地局毎のＲＡＢの収容数が適正化され得る。
【０２２２】
（１）第１のケース
上述したように、例えば、無線通信装置６００は、デュアルコネクティビティにおいて追加の無線リソースを端末装置１１に提供するセカンダリ基地局（例えば、ＳｅＮＢ）として動作可能な基地局であり、基地局５００は、上記セカンダリ基地局に対応するマスタ基地局（例えば、ＭｅＮＢ）として動作可能である。
【０２２３】
このケースについての具体的な説明は、例えば、ノード名及び符号等の相違を除き、第１の実施形態における説明と同じである。よって、ここでは重複する説明を省略する。即ち、第１の実施形態において説明されたＭＭＥ３００の技術的特徴は、第１コアネットワークノード７００の技術的特徴としても適用され得る。
【０２２４】
このようなデュアルコネクティビティのケース（具体的には、セカンダリ基地局の変更のケース）においても固定ブロードバンドアクセスネットワークの制御が行われ得る。その結果、３ＧＰＰシステムの利用者の通信品質が維持／向上され、基地局毎のＲＡＢの収容数が適正化され得る。
【０２２５】
（２）第２のケース
上述したように、無線通信装置６００は、基地局５００とは異なる無線アクセス技術を使用するＡＰ（例えば、ＷＬＡＮ  ＡＰ）であってもよい。
【０２２６】
このケースについての具体的な説明は、例えば、ノード名及び符号等の相違を除き、第１の実施形態の第３の変形例における説明と同じである。よって、ここでは重複する説明を省略する。即ち、第１の実施形態の第３の変形例において説明されたＭＭＥ３００の技術的特徴は、第１コアネットワークノード７００の技術的特徴としても適用され得る。
【０２２７】
このような異なる無線アクセス技術のアグリゲーション（例えば、ＬＴＥ−ＷＬＡＮアグリゲーション）のケース（具体的には、アクセスポイントの変更のケース）においても固定ブロードバンドアクセスネットワークの制御が行われ得る。その結果、３ＧＰＰシステムの利用者の通信品質が維持／向上され、基地局毎のＲＡＢの収容数が適正化され得る。
【０２２８】
＜４．５．処理の流れ＞
次に、図２５を参照して、第２の実施形態に係る処理の流れを説明する。図２５は、第２の実施形態に係る処理の概略的な流れの例を示すシーケンス図である。
【０２２９】
（Ｓ８０１）
無線通信装置６００は、無線通信装置６００のアドレス情報及びトランスポート識別情報を含むメッセージを、基地局５００へ送信する。
【０２３０】
（Ｓ８０３）
基地局５００が通信する端末装置１１と通信する無線通信装置が、無線通信装置６００Ａから無線通信装置６００Ｂに変更される。この場合に、基地局５００は、無線通信装置６００Ｂのアドレス情報及びトランスポート識別情報を含む第１のメッセージを、第１コアネットワークノード７００へ送信する。第１コアネットワークノード７００は、当該第１のメッセージを基地局５００から受信する。
【０２３１】
（Ｓ８０５）
例えば、第１コアネットワークノード７００は、上記アドレス情報及び上記トランスポート識別情報を含む第２のメッセージを、第２コアネットワークノード６０へ送信する。
【０２３２】
＜４．６．変形例＞
第２の実施形態では、例えば上述したように、第２のケースにおいては、無線通信装置６００（例えば、ＷＬＡＮ  ＡＰ）が、無線通信装置６００のアドレス情報及びトランスポート識別情報を含むメッセージを、基地局５００へ送信する。
【０２３３】
一方、第２の実施形態の変形例として、無線通信装置６００（例えば、ＷＬＡＮ  ＡＰ）ではなく、無線通信装置６００に対応する終端装置（例えば、ＷＴ）が、無線通信装置６００のアドレス情報及びトランスポート識別情報を含むメッセージを、基地局５００へ送信してもよい。
【０２３４】
以上、第２の実施形態を説明した。なお、第１の実施形態の変形例は、第２の実施形態にも適用され得る。
【０２３５】
＜＜５．第３の実施形態＞＞
続いて、図２６〜図３１を参照して、本発明の第３の実施形態を説明する。
【０２３６】
＜５．１．システムの構成例＞
図２６を参照して、第３の実施形態に係るシステム３の構成の例を説明する。図２６は、第３の実施形態に係るシステム３の概略的な構成の一例を示す説明図である。図２６を参照すると、システム３は、ＵＥ１０、ＨＮＢ７０Ａ、ＨＮＢ７０Ｂ、ＨＮＢ−ＧＷ１１００、ＳＧＳＮ１２００、Ｓ−ＧＷ２０、Ｐ−ＧＷ３０、ＰＣＲＦ４０及びＦＢＡ５０を含む。なお、ＨＮＢ７０Ａ及びＨＮＢ７０Ｂの区別が必要ない場合には、ＨＮＢ７０Ａ及びＨＮＢ７０Ｂの各々は、単にＨＮＢ７０と呼ばれ得る。
【０２３７】
ＵＥ１０は、ＨＮＢ７０及びＨＮＢ−ＧＷ１１００を介してＳＧＳＮ１２００と通信する。この例では、まず、ＵＥ１０は、ＨＮＢ７０Ａと通信している。その後、例えば、ＵＥ１０の移動に伴い、ＵＥ１０と通信するＨＮＢが、ＨＮＢ７０Ａ（Ｓ−ＨＮＢ（Serving  Home  Node  B））からＨＮＢ７０Ｂ（Ｔ−ＨＮＢ（Target  Home  Node  B））に変更される。即ち、ＨＮＢ７０ＡからＨＮＢ７０ＢへのＵＥ１０のハンドオーバが行われる。
【０２３８】
ＨＮＢ７０は、ＦＢＡ５０を介してＨＮＢ−ＧＷ１１００と接続されている。また、ＨＮＢ７０は、Ｉｕｈインターフェースを介してＨＮＢ−ＧＷ１１００と接続されている。ＨＮＢ７０は、ＨＮＢ−ＧＷ１１００によりサービスを提供される。
【０２３９】
例えば、ＨＮＢ７０Ａ及びＨＮＢ７０Ｂは、Ｉｕｒｈインターフェースを介して互いに接続されており、（例えば図６及び図７に示されるような）ハンドオーバの実行時にＩｕｒｈインターフェースを介して直接的に通信する。あるいは、Ｉｕｒｈインターフェースは存在せず、ＨＮＢ７０Ａ及びＨＮＢ７０Ｂは、（例えば図６及び図７に示されるような）ハンドオーバの実行時にＨＮＢ−ＧＷ１１００を介して間接的に通信してもよい。
【０２４０】
ＨＮＢ−ＧＷ１１００は、Ｉｕ−ＰＳインターフェースを介してＳＧＳＮ１２００と接続されている。ＳＧＳＮ１２００は、Ｓ４インターフェースを介してＳ−ＧＷ２０と接続されている。Ｓ−ＧＷ２０は、Ｓ５インターフェースを介してＰ−ＧＷ３０と接続されている。
【０２４１】
ＰＣＲＦは、ネットワークにポリシーを設定するノードであり、Ｇｘインターフェースを介してＰ−ＧＷ３０と接続され、Ｓ９ａインターフェースを介してＦＢＡ５０と接続されている。
【０２４２】
＜５．２．ＨＮＢ−ＧＷの構成例＞
次に、図２７及び図２８を参照して、第３の実施形態に係るＨＮＢ−ＧＷ１１００の構成の例を説明する。図２７は、第３の実施形態に係るＨＮＢ−ＧＷ１１００の概略的な構成の例を示すブロック図である。図２７を参照すると、ＨＮＢ−ＧＷ１１００は、ネットワーク通信部１１１０、記憶部１１２０及び処理部１１３０を備える。
【０２４３】
（１）ネットワーク通信部１１１０
ネットワーク通信部１１１０は、ネットワークから信号を受信し、当該ネットワークへ信号を送信する。
【０２４４】
（２）記憶部１１２０
記憶部１１２０は、ＨＮＢ−ＧＷ１１００の動作のためのプログラム及びパラメータ、並びに様々なデータを、一時的に又は恒久的に記憶する。
【０２４５】
（３）処理部１１３０
処理部１１３０は、ＨＮＢ−ＧＷ１１００の様々な機能を提供する。処理部１１３０は、通信処理部１１３１及び生成部１１３３を含む。なお、処理部１１３０は、これらの構成要素以外の他の構成要素をさらに含み得る。即ち、処理部１１３０は、これらの構成要素の動作以外の動作も行い得る。
【０２４６】
例えば、処理部１１３０（通信処理部１１３１）は、ネットワーク通信部１１１０を介して他のネットワークノード（例えば、ＨＮＢ７０及びＳＧＳＮ１２００等）と通信する。
【０２４７】
（４）実装
ネットワーク通信部１１１０は、ネットワークアダプタ又はネットワークインタフェースカードなどを含んでもよい。記憶部１１２０は、メモリ（例えば、不揮発性メモリ及び／若しくは揮発性メモリ）並びに／又はハードディスクなどを含んでもよい。処理部１１３０は、プロセッサなどを含んでもよい。
【０２４８】
（５）技術的特徴
例えば、ＵＥ１０と通信するＨＮＢが、ＨＮＢ７０ＡからＨＮＢ７０Ｂに変更される。この場合に、ＨＮＢ−ＧＷ１１００（通信処理部１１３１）は、ＨＮＢ７０Ｂのアドレス情報及びトランスポート識別情報を含むメッセージを、コアネットワークノードへ送信する。例えば、ＨＮＢ−ＧＷ１１００（生成部１１３３）は、上記メッセージを生成する。
【０２４９】
これにより、例えば、ホームアクセスネットワークのケース（具体的には、同じＨＮＢ−ＧＷにサービスを提供されるＨＮＢ間でのハンドオーバのケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【０２５０】
（ａ）コアネットワークノード
例えば、上記コアネットワークノードは、ＳＧＳＮ１２００である。
【０２５１】
（ｂ）トンネル情報
例えば、上記メッセージは、上記アドレス情報及び上記トランスポート識別情報を含むトンネル情報を含む。より具体的には、例えば、当該トンネル情報は、Ｔｕｎｎｅｌ  Ｉｎｆｏｒｍａｔｉｏｎ  ｆｏｒ  ＢＢＦ  ＩＥである。Ｔｕｎｎｅｌ  Ｉｎｆｏｒｍａｔｉｏｎ  ｆｏｒ  ＢＢＦ  ＩＥは、ＩＰアドレス（アドレス情報）及びＵＤＰポート番号（トランスポート識別情報）を含む。
【０２５２】
（ｃ）メッセージ
例えば、上記メッセージは、ＲＡＮＡＰ：ＲＥＬＯＣＡＴＩＯＮ  ＣＯＭＰＬＥＴＥメッセージである。
【０２５３】
図２８は、第３の実施形態に係るＲＡＮＡＰ：ＲＥＬＯＣＡＴＩＯＮ  ＣＯＭＰＬＥＴＥメッセージの例を説明するための説明図である。図２８を参照すると、ＲＡＮＡＰ：ＲＥＬＯＣＡＴＩＯＮ  ＣＯＭＰＬＥＴＥメッセージに含まれる情報要素（ＩＥ）が示されている。とりわけ、ＲＡＮＡＰ：ＲＥＬＯＣＡＴＩＯＮ  ＣＯＭＰＬＥＴＥメッセージは、ＩＰアドレス（アドレス情報）及びＵＤＰポート番号（トランスポート識別情報）を含むＴｕｎｎｅｌ  Ｉｎｆｏｒｍａｔｉｏｎ  ｆｏｒ  ＢＢＦ  ＩＥを含む。
【０２５４】
なお、ＨＮＢ−ＧＷ１１００（生成部１１３３）は、上記メッセージを自ら生成する代わりに、上記メッセージを他のノード（例えば、ＨＮＢ７０等）から取得してもよい。
【０２５５】
（ｄ）アドレス情報及びトランスポート識別情報
−アドレス情報
例えば、上記アドレス情報は、（ＯＳＩ参照モデルの）ネットワークレイヤ又は（ＴＣＰ／ＩＰの）インターネットレイヤの識別情報（アドレス）である。具体的には、例えば、上記アドレス情報は、ＩＰアドレスである。さらに、例えば、当該ＩＰアドレスは、パブリックＩＰアドレス（又はグローバルＩＰアドレス）である。例えば、３ＧＰＰ  ＴＳ２３．１３９に記載されているように、上記ＩＰアドレスは、ｎｏ−ＮＡＴケースでＢＢＦドメインによりＨＮＢ７０Ｂ（即ち、ターゲットＨＮＢ）にアサインされたパブリックＩＰアドレス、又は、ＮＡＴを行う  ＲＧ（即ち、ＮＡＴｅｄ  ＲＧ）にＢＢＦドメインによりアサインされたパブリックＩＰアドレスであって、ＨＮＢ７０Ｂのために使用される当該パブリックＩＰアドレスである。なお、上記ＩＰアドレスは、３ＧＰＰの仕様においては「ローカルＩＰアドレス」又は「Ｈ（ｅ）ＮＢローカルＩＰアドレス」と呼ばれ得る。
【０２５６】
−トランスポート識別情報
例えば、上記トランスポート識別情報は、（ＯＳＩ参照モデル又はＴＣＰ／ＩＰの）トランスポートレイヤの識別情報である。具体的には、例えば、上記トランスポート識別情報は、ＵＤＰポート番号である。
【０２５７】
−提供先
例えば、上記アドレス情報及び上記トランスポート識別情報は、ＦＢＡ５０に提供される情報である。より具体的には、例えば、上記アドレス情報及び上記トランスポート識別情報は、ＰＣＲＦ４０からＦＢＡ５０に提供される情報である。これにより、例えば、帯域制御が行われ得る。
【０２５８】
＜５．３．ＳＧＳＮの構成例＞
次に、図２９を参照して、第３の実施形態に係るＳＧＳＮ１２００の構成の例を説明する。図２９は、第３の実施形態に係るＳＧＳＮ１２００の概略的な構成の例を示すブロック図である。図２９を参照すると、ＳＧＳＮ１２００は、ネットワーク通信部１２１０、記憶部１２２０及び処理部１２３０を備える。
【０２５９】
（１）ネットワーク通信部１２１０
ネットワーク通信部１２１０は、ネットワークから信号を受信し、当該ネットワークへ信号を送信する。
【０２６０】
（２）記憶部１２２０
記憶部１２２０は、ＳＧＳＮ１２００の動作のためのプログラム及びパラメータ、並びに様々なデータを、一時的に又は恒久的に記憶する。
【０２６１】
（３）処理部１２３０
処理部１２３０は、ＳＧＳＮ１２００の様々な機能を提供する。処理部１２３０は、通信処理部１２３１及び生成部１２３３を含む。なお、処理部１２３０は、これらの構成要素以外の他の構成要素をさらに含み得る。即ち、処理部１２３０は、これらの構成要素の動作以外の動作も行い得る。
【０２６２】
例えば、処理部１２３０（通信処理部１２３１）は、ネットワーク通信部１２１０を介して他のネットワークノード（例えば、ＨＮＢ−ＧＷ１１００及びＳ−ＧＷ２０等）と通信する。
【０２６３】
（４）実装
ネットワーク通信部１２１０は、ネットワークアダプタ又はネットワークインタフェースカードなどを含んでもよい。記憶部１２２０は、メモリ（例えば、不揮発性メモリ及び／若しくは揮発性メモリ）並びに／又はハードディスクなどを含んでもよい。処理部１２３０は、プロセッサなどを含んでもよい。
【０２６４】
（５）技術的特徴
例えば、ＵＥ１０と通信するＨＮＢが、ＨＮＢ７０ＡからＨＮＢ７０Ｂに変更される。即ち、ＨＮＢ７０ＡからＨＮＢ７０ＢへのＵＥ１０のハンドオーバが行われる。この場合に、ＳＧＳＮ１２００（通信処理部１２３１）は、ＨＮＢ７０Ｂのアドレス情報及びトランスポート識別情報を含む第１のメッセージを、ＨＮＢ−ＧＷ１１００から受信する。例えば、ＳＧＳＮ１２００（通信処理部１２３１）は、上記アドレス情報及び上記トランスポート識別情報を含む第２のメッセージを、コアネットワークノードへ送信する。例えば、ＳＧＳＮ１２００（生成部１２３３）は、上記第２のメッセージを生成する。
【０２６５】
これにより、例えば、ホームアクセスネットワークのケース（具体的には、同じＨＮＢ−ＧＷにサービスを提供されるＨＮＢ間でのハンドオーバのケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【０２６６】
（ａ）コアネットワークノード
例えば、上記コアネットワークノードは、Ｓ−ＧＷ２０である。
【０２６７】
（ｂ）ＨＮＢ−ＧＷ１１００から受信される第１のメッセージ
ＨＮＢ−ＧＷ１１００から受信される上記第１のメッセージについては、ＨＮＢ−ＧＷ１１００の構成例に関連して上述したとおりである。
【０２６８】
（ｃ）コアネットワークノードへ送信される第２のメッセージ
上記コアネットワークノードへ送信される上記第２のメッセージは、例えば、ＭＯＤＩＦＹ  ＢＥＡＲＥＲ  ＲＥＱＵＥＳＴメッセージである。
【０２６９】
（ｄ）アドレス情報及びトランスポート識別情報
例えば、上記アドレス情報は、ＩＰアドレスであり、上記トランスポート識別情報は、ＵＤＰポート番号である。
【０２７０】
−提供先
なお、上記アドレス情報及び上記トランスポート識別情報についてのより詳細な説明は、ＨＮＢ−ＧＷ１１００の技術的特徴として上述したとおりである。よって、ここでは重複する説明を省略する。
【０２７１】
＜５．４．処理の流れ＞
次に、図３０及び図３１を参照して、第３の実施形態に係る処理の流れを説明する。
【０２７２】
（１）第１の例
図３０は、第３の実施形態に係る処理の概略的な流れの第１の例を示すシーケンス図である。当該第１の例は、ＨＮＢ７０ＡとＨＮＢ７０Ｂとの間にＩｕｒｈインターフェースがあるケースの例である。
【０２７３】
この例では、ＵＥ１０は、ＨＮＢ７０Ａと通信しているが、ＵＥ１０と通信するＨＮＢが、ＨＮＢ７０ＡからＨＮＢ７０Ｂに変更される。即ち、ＨＮＢ７０ＡからＨＮＢ７０ＢへのＵＥ１０のハンドオーバが行われる。よって、ここでは、ＨＮＢ７０Ａ及びＨＮＢ７０Ｂは、それぞれ、Ｓ−ＨＮＢ７０Ａ及びＴ−ＨＮＢ７０Ｂと表記される。なお、当該ハンドオーバ後に、ＲＡＢ解放が起きないものとする。
【０２７４】
（Ｓ１３０１）
Ｓ−ＨＮＢ７０Ａは、ＵＥ１０のアクセス権を確認する。ＵＥ１０のアクセス権があれば、Ｓ−ＨＮＢ７０Ａは、ＲＮＡ：ＣＯＮＮＥＣＴメッセージ（ＲＮＳＡＰ：ＥＮＨＡＮＣＥＤ  ＲＥＬＯＣＡＴＩＯＮ  ＲＥＱＵＥＳＴメッセージを含む）をＴ−ＨＮＢ７０Ｂへ送信する。
【０２７５】
（Ｓ１３０３）
Ｔ−ＨＮＢ７０Ｂは、ＨＮＢＡＰ：ＴＮＬ  ＵＰＤＡＴＥ  ＲＥＱＵＥＳＴメッセージをＨＮＢ−ＧＷ１１００へ送信する。これにより、Ｓ−ＨＮＢ７０ＡからＴ−ＨＮＢ７０Ｂへ移されるＲＡＢに関するトランスポートネットワーク層の情報が更新される。
【０２７６】
（Ｓ１３０５）
ＨＮＢ−ＧＷ１１００は、ＨＮＢＡＰ：ＴＮＬ  ＵＰＤＡＴＥ  ＲＥＳＰＯＮＳＥメッセージをＴ−ＨＮＢ７０Ｂへ送信する。
【０２７７】
（Ｓ１３０７）
Ｔ−ＨＮＢ７０Ｂは、ＲＮＡ：ＤＩＲＥＣＴ  ＴＲＡＮＳＦＥＲメッセージ（ＲＮＳＡＰ：ＥＮＨＡＮＣＥＤ  ＲＥＬＯＣＡＴＩＯＮ  ＲＥＳＰＯＮＳＥメッセージを含む）をＳ−ＨＮＢ７０Ａへ送信する。これにより、Ｔ−ＨＮＢ７０Ｂは、ＵＥ１０のハンドオーバの準備が完了したことをＳ−ＨＮＢ７０Ａに通知する。
【０２７８】
（Ｓ１３０９）
Ｓ−ＨＮＢ７０Ａは、ＲＮＡ：ＤＩＲＥＣＴ  ＴＲＡＮＳＦＥＲメッセージ（ＲＮＳＡＰ：ＲＥＬＯＣＡＴＩＯＮ  ＣＯＭＭＩＴメッセージを含む）を送信する。これにより、ＵＥ１０のＴ−ＨＮＢ７０Ｂへのハンドオーバが実行される。
【０２７９】
（Ｓ１３１１）
ＵＥ１０は、Ｌａｙｅｒ  １でＴ−ＨＮＢ７０Ｂとの同期をとる。
【０２８０】
（Ｓ１３１３）
ＵＥ１０は、ＲＲＣ：ＲＡＤＩＯ  ＢＥＡＲＥＲ  ＲＥＣＯＮＦＩＧＵＲＡＴＩＯＮ  ＣＯＭＰＬＥＴＥメッセージをＴ−ＨＮＢ７０Ｂへ送信する。これにより、ＲＲＣ  Ｒｅｃｏｎｆｉｇｕｒａｔｉｏｎ手続きが終了する。
【０２８１】
（Ｓ１３１５）
Ｔ−ＨＮＢ７０Ｂは、ＨＮＢＡＰ：ＲＥＬＯＣＡＴＩＯＮ  ＣＯＭＰＬＥＴＥメッセージをＨＮＢ−ＧＷ１１００へ送信する。これにより、Ｔ−ＨＮＢ７０Ｂは、ＵＥ１０のハンドオーバが成功したことをＨＮＢ−ＧＷ１１００に通知する。ＨＮＢ−ＧＷ１１００は、Ｕ−ｐｌａｎｅをＴ−ＨＮＢ７０Ｂに切り替える。
【０２８２】
（Ｓ１３１７）
ＨＮＢ−ＧＷ１１００は、Ｔ−ＨＮＢ７０ＢからのＨＮＢＡＰ：ＲＥＬＯＣＡＴＩＯＮ  ＣＯＭＰＬＥＴＥメッセージの受信により、ＵＥ１０がＳ−ＨＮＢ７０ＡからＴ−ＨＮＢ７０Ｂにハンドオーバされたことを知る。そして、ＨＮＢ−ＧＷ１１００は、ＲＡＮＡＰ：ＲＥＬＯＣＡＴＩＯＮ  ＣＯＭＰＬＥＴＥメッセージ（図２８を参照）をＳＧＳＮ１２００へ送信する。
【０２８３】
ＲＡＮＡＰ：ＲＥＬＯＣＡＴＩＯＮ  ＣＯＭＰＬＥＴＥメッセージは、Ｔｕｎｎｅｌ  Ｉｎｆｏｒｍａｔｉｏｎ  ｆｏｒ  ＢＢＦ  ＩＥを含む。さらに、Ｔｕｎｎｅｌ  Ｉｎｆｏｒｍａｔｉｏｎ  ｆｏｒ  ＢＢＦ  ＩＥは、Ｔ−ＨＮＢ７０ＢのローカルＩＰアドレス及びＵＤＰポート番号を含む。
【０２８４】
３ＧＰＰ  ＴＳ２５．４１３  ｖ１１．２．０によれば、ＳＧＳＮは、ＲＡＮＡＰ：ＲＥＬＯＣＡＴＩＯＮ  ＣＯＭＭＡＮＤメッセージをＳ−ＨＮＢに送信し（即ち、ハンドオーバを実行するようにＳ−ＨＮＢに指示し）、その後、ＲＡＮＡＰ：ＲＥＬＯＣＡＴＩＯＮ  ＣＯＭＰＬＥＴＥメッセージをＴ−ＨＮＢ７０Ｂから受信する。即ち、ＲＡＮＡＰ：ＲＥＬＯＣＡＴＩＯＮ  ＣＯＭＰＬＥＴＥメッセージは、このような一連の処理の中で送受信される。一方、第３の実施形態に係るこの例では、Ｔ−ＨＮＢ７０ＢのローカルＩＰアドレス及びＵＤＰポート番号の通知のために、ＨＮＢ−ＧＷ１１００は、先立つ処理なしに、ＲＡＮＡＰ：ＲＥＬＯＣＡＴＩＯＮ  ＣＯＭＰＬＥＴＥメッセージＳＧＳＮ１２００へ送信する。
【０２８５】
なお、ＲＡＮＡＰ：ＲＥＬＯＣＡＴＩＯＮ  ＣＯＭＰＬＥＴＥメッセージは一例にすぎず、Ｔ−ＨＮＢ７０ＢのローカルＩＰアドレス及びＵＤＰポート番号を含む他の種類のメッセージ（例えば、他の種類のＲＡＮＡＰメッセージ）が、送信されてもよい。
【０２８６】
（Ｓ１３１９）
ＳＧＳＮ１２００は、Ｔ−ＨＮＢ７０ＢからのＲＡＮＡＰ：ＲＥＬＯＣＡＴＩＯＮ  ＣＯＭＰＬＥＴＥメッセージ（図２８を参照）の受信により、ＵＥ１０がＳ−ＨＮＢ７０ＡからＴ−ＨＮＢ７０Ｂにハンドオーバされたことを知る。また、ＳＧＳＮ１２００は、ＲＡＮＡＰ  ＲＥＬＯＣＡＴＩＯＮ  ＣＯＭＰＬＥＴＥメッセージに含まれている、Ｔ−ＨＮＢ７０ＢのローカルＩＰアドレス及びＵＤＰポート番号を取得する。そして、ＳＧＳＮ１２００は、当該ＩＰアドレス及び当該ＵＤＰポート番号を含むＭｏｄｉｆｙ  Ｂｅａｒｅｒ  ＲｅｑｕｅｓｔメッセージをＳ−ＧＷ２０へ送信する。
【０２８７】
３ＧＰＰ  ＴＳ２５．４１３  ｖ１１．２．０によれば、ＳＧＳＮは、ＲＡＮＡＰ：ＲＥＬＯＣＡＴＩＯＮ  ＣＯＭＭＡＮＤメッセージをＳ−ＨＮＢに送信し（即ち、ハンドオーバを実行するようにＳ−ＨＮＢに指示し）、その後、ＲＡＮＡＰ：ＲＥＬＯＣＡＴＩＯＮ  ＣＯＭＰＬＥＴＥメッセージをＴ−ＨＮＢ７０Ｂから受信する。一方、第３の実施形態に係るこの例では、ＳＧＳＮ１２００は、ＲＡＮＡＰ：ＲＥＬＯＣＡＴＩＯＮ  ＣＯＭＭＡＮＤメッセージを送信することなく、ＲＡＮＡＰ：ＲＥＬＯＣＡＴＩＯＮ  ＣＯＭＰＬＥＴＥメッセージを受信し、Ｍｏｄｉｆｙ  Ｂｅａｒｅｒ  Ｒｅｑｕｅｓｔメッセージを送信する。
【０２８８】
（Ｓ１３２１）
Ｓ−ＧＷ２０は、Ｍｏｄｉｆｙ  Ｂｅａｒｅｒ  Ｒｅｑｕｅｓｔメッセージ（Ｔ−ＨＮＢ７０ＢのローカルＩＰアドレスとＵＤＰポート番号を含む）をＰ−ＧＷ３０へ送信する。
【０２８９】
（Ｓ１３２３）
Ｐ−ＧＷ３０は、ＩＰ−ＣＡＮ  ｓｅｓｓｉｏｎ  ｍｏｄｉｆｉｃａｔｉｏｎ  ｒｅｑｕｅｓｔメッセージ（Ｔ−ＨＮＢ７０ＢのローカルＩＰアドレスとＵＤＰポート番号を含む）をＰＣＲＦ４０へ送信する。
【０２９０】
（Ｓ１３２５）
ＰＣＲＦ４０は、ＦＢＡ５０との間でＧａｔｅｗａｙ  ｃｏｎｔｒｏｌ  ａｎｄ  ＱｏＳ  Ｒｕｌｅ  ｐｒｏｖｉｓｉｏｎｉｎｇ手続き（Ｔ−ＳｅＮＢ２００ＢのローカルＩＰアドレス及びＵＤＰポート番号の送受信を含む）を実行する。ＦＢＡ５０は、ＰＣＲＦ４０から受信したＴ−ＳｅＮＢ２００ＢのローカルＩＰアドレス及びＵＤＰポート番号に対応する回線に、ＤＳＣＰに変換されたＱｏＳ情報を適用する。
【０２９１】
例えば、ＦＢＡ５０は、Ｔ−ＳｅＮＢ２００Ｂが接続される回線についての帯域制御を行う。一例として、上記回線について、図１に示されるように、３ＧＰＰシステムの利用者が使用している基地局のために確保している帯域（帯域９３）の上限値が調整され得る。別の例として、上記回線について、図２に示されるように、３ＧＰＰシステムの利用者を新たに受け入れ可能な帯域（帯域９５）が減らされ得る。
【０２９２】
これにより、３ＧＰＰシステムの利用者の通信品質の維持／向上、及び／又は、基地局毎のＲＡＢの収容数の適正化が可能になる。
【０２９３】
なお、ＦＢＡ５０が行う処理は、例えば、Ｂｒｏａｄｂａｎｄ  ｆｏｒｕｍのＴＲ−２０３及び／又はＴＲ−１３４等の勧告に従う。
【０２９４】
（Ｓ１３２７）
ＰＣＲＦ４０は、ＩＰ−ＣＡＮ  ｓｅｓｓｉｏｎ  ｍｏｄｉｆｉｃａｔｉｏｎ  ＡｃｋｎｏｗｌｅｄｇｅメッセージをＰ−ＧＷ３０へ送信する。
【０２９５】
（Ｓ１３２９）
Ｐ−ＧＷ３０は、Ｍｏｄｉｆｙ  Ｂｅａｒｅｒ  ＲｅｓｐｏｎｓｅをＳ−ＧＷ２０へ送信する。
【０２９６】
（Ｓ１３３１）
Ｓ−ＧＷ２０は、Ｍｏｄｉｆｙ  Ｂｅａｒｅｒ  ＲｅｓｐｏｎｓｅメッセージをＳＧＳＮ１２００へ送信する。
【０２９７】
（Ｓ１３３３）
ＨＮＢ−ＧＷ１１００は、ＨＮＢＡＰ：ＵＥ−ＤＥＲＥＧＩＳＴＥＲメッセージをＳ−ＨＮＢ７０Ａに送信する。これにより、ＨＮＢ−ＧＷ１１００は、ハンドオーバが成功したことＳ−ＨＮＢ７０Ａに通知する。
【０２９８】
（Ｓ１３３５）
Ｓ−ＨＮＢ７０Ａは、ＲＮＡ：ＤＩＳＣＯＮＮＥＣＴメッセージ（ＲＮＳＡＰ：ＥＮＨＡＮＣＥＤ  ＲＥＬＯＣＡＴＩＯＮ  ＳＩＧＮＡＬＬＩＮＧ  ＴＲＡＮＳＦＥＲメッセージを含む）をＴ−ＨＮＢ７０Ｂへ送信する。
【０２９９】
以上、第３の実施形態に係る処理の概略的な流れの第１例を説明した。この例では、ステップＳ１３３１の後にステップＳ１３３３が実行されるが、ステップＳ１３３３は、ステップＳ１３１５の後の任意のタイミングで実行され得る。
【０３００】
（２）第２の例
図３１は、第３の実施形態に係る処理の概略的な流れの第２の例を示すシーケンス図である。当該第２の例は、ＨＮＢ７０ＡとＨＮＢ７０Ｂとの間にＩｕｒｈインターフェースがないケースの例である。
【０３０１】
この例では、ＵＥ１０は、ＨＮＢ７０Ａと通信しているが、ＵＥ１０と通信するＨＮＢが、ＨＮＢ７０ＡからＨＮＢ７０Ｂに変更される。即ち、ＨＮＢ７０ＡからＨＮＢ７０ＢへのＵＥ１０のハンドオーバが行われる。よって、ここでは、ＨＮＢ７０Ａ及びＨＮＢ７０Ｂは、それぞれ、Ｓ−ＨＮＢ７０Ａ及びＴ−ＨＮＢ７０Ｂと表記される。なお、当該ハンドオーバ後に、ＲＡＢ解放が起きないものとする。
【０３０２】
（Ｓ１４０１）
ＵＥ１０は、Ｓ−ＨＮＢ７０Ａ及びＨＮＢ−ＧＷ１１００を介して、アクティブなＰＳ（Packet  Switched）セッションをＳＧＳＮ１２００と確立している。
【０３０３】
（Ｓ１４０３）
Ｓ−ＨＮＢ７０Ａは、ＵＥ１０のセッションをＴ−ＨＮＢ７０Ｂに移すことを決める。
【０３０４】
（Ｓ１４０５）
Ｓ−ＨＮＢ７０Ａは、ＲＮＡ：ＤＩＲＥＣＴ  ＴＲＡＮＳＦＥＲメッセージ（ＲＡＮＡＰ：ＲＥＬＯＣＡＴＩＯＮ  ＲＥＱＵＩＲＥＤメッセージを含む）をＨＮＢ−ＧＷ１１００へ送信する。
【０３０５】
（Ｓ１４０７）
ＨＮＢ−ＧＷ１１００は、ＲＡＮＡＰ：ＲＥＬＯＣＡＴＩＯＮ  ＲＥＱＵＥＳＴメッセージを生成する。
【０３０６】
（Ｓ１４０９）
ＨＮＢ−ＧＷ１１００は、ＲＡＮＡＰ：ＲＥＬＯＣＡＴＩＯＮ  ＲＥＱＵＥＳＴメッセージをＴ−ＨＮＢ７０Ｂへ送信する。Ｔ−ＨＮＢ７０Ｂは、ハンドオーバのためのリソースを割り当てる。その後、Ｔ−ＨＮＢ７０Ｂは、ＲＡＮＡＰ：ＲＥＬＯＣＡＴＩＯＮ  ＲＥＱＵＥＳＴ  ＡＣＫＮＯＷＬＥＤＧＥメッセージを送信する。
【０３０７】
（Ｓ１４１１）
ＨＮＢ−ＧＷ１１００は、ＲＵＡ：ＤＩＲＥＣＴ  ＴＲＡＮＳＦＥＲ（ＲＡＮＡＰ：ＲＥＬＯＣＡＴＩＯＮ  ＣＯＭＭＡＮＤを含む）をＳ−ＨＮＢ７０Ａへ送信する。
【０３０８】
（Ｓ１４１３）
Ｓ−ＨＮＢ７０Ａは、Ｐｈｙｓｉｃａｌ  Ｃｈａｎｎｅｌ  ＲｅｃｏｎｆｉｇｕｒａｔｉｏｎをＵＥ１０に実行させる。
【０３０９】
（Ｓ１４１５）
ＵＥ１０は、Ｌａｙｅｒ  １においてＴ−ＨＮＢ７０Ｂとの同期を行う。
【０３１０】
（Ｓ１４１７）
Ｔ−ＨＮＢ７０Ｂは、ＲＵＡ：ＤＩＲＥＣＴ  ＴＲＡＮＳＦＥＲメッセージ（ＲＡＮＡＰ：ＲＥＬＯＣＡＴＩＯＮ  ＤＥＴＥＣＴメッセージを含む）をＨＮＢ−ＧＷ１１００へ送信する。
【０３１１】
（Ｓ１４１９）
ＵＥ１０とＴ−ＨＮＢ７０Ｂの間のＰｈｙｓｉｃａｌ  Ｃｈａｎｎｅｌ  Ｒｅｃｏｎｆｉｇｕｒａｔｉｏｎが完了する。
【０３１２】
（Ｓ１４２１）
Ｔ−ＨＮＢ７０Ｂは、ＲＵＡ：ＤＩＲＥＣＴ  ＴＲＡＮＳＦＥＲメッセージ（ＲＡＮＡＰ：ＲＥＬＯＣＡＴＩＯＮ  ＣＯＭＰＬＥＴＥメッセージを含む）をＨＮＢ−ＧＷ１１００へ送信する。
【０３１３】
（Ｓ１４２３）
ＨＮＢ−ＧＷ１１００は、Ｔ−ＨＮＢ７０ＢからのＲＵＡ：ＤＩＲＥＣＴ  ＴＲＡＮＳＦＥＲメッセージの受信により、ＵＥ１０がＳ−ＨＮＢ７０ＡからＴ−ＨＮＢ７０Ｂにハンドオーバされたことを知る。そして、ＨＮＢ−ＧＷ１１００は、ＲＡＮＡＰ：ＲＥＬＯＣＡＴＩＯＮ  ＣＯＭＰＬＥＴＥメッセージ（図２８を参照）をＳＧＳＮ１２００へ送信する。
【０３１４】
このステップのより具体的な説明は、例えば、上述したステップＳ１３１７についての説明と同じである。よって、ここでは重複する説明を省略する。
【０３１５】
（Ｓ１４２５−Ｓ１４３７）
ステップＳ１４２５−Ｓ１４３７についての説明は、例えば、上述したステップＳ１３１９−Ｓ１３３１についての説明と同じである。よって、ここでは重複する説明を省略する。
【０３１６】
（Ｓ１４３９）
ＨＮＢ−ＧＷ１１００は、ＵＥ１０がＴ−ＨＮＢ７０Ｂにハンドオーバされたことを知ると、ＲＵＡ：ＤＩＲＥＣＴ  ＴＲＡＮＳＦＥＲメッセージ（ＲＡＮＡＰ：ＩＵ  ＲＥＬＥＡＳＥ  ＣＯＭＭＡＮＤメッセージを含む）をＳ−ＨＮＢ７０Ａへ送信する。これにより、Ｉｕ  ｒｅｌｅａｓｅ手続きが実行される。
【０３１７】
（Ｓ１４４１）
Ｓ−ＨＮＢ７０Ａは、ＲＵＡ：ＤＩＳＣＯＮＥＣＴ（ＲＡＮＡＰ：ＩＵ  ＲＥＬＥＡＳＥ  ＣＯＭＰＬＥＴＥメッセージ）をＨＮＢ−ＧＷ１１００へ送信する。これにより、Ｓ−ＨＮＢ７０Ａは、ＨＮＢ−ＧＷ１１００によるＩｕ  ｒｅｌｅａｓｅ手続きを承認する。
【０３１８】
（Ｓ１４４３）
ＨＮＢ−ＧＷ１１００は、ＨＮＢＡＰ：ＵＥ  ＤＥ−ＲＥＧＩＳＧＥＲメッセージをＳ−ＨＮＢ７０Ａへ送信する。Ｓ−ＨＮＢ７０Ａは、ＵＥ１０に割り当てられたリソースを解放し、ＵＥ１０に関連付けられた全てのコンテキスト情報を削除する。
【０３１９】
以上、第３の実施形態に係る処理の概略的な流れの第２の例を説明した。この例では、ステップＳ１４３７の後にステップＳ１４３９が実行されるが、ステップＳ１４３９は、ステップＳ１４２１の後の任意のタイミングで実行され得る。
【０３２０】
＜５．５．変形例＞
続いて、第３の実施形態の変形例を説明する。
【０３２１】
（１）第１の変形例
ネットワークノード（例えば、ＨＮＢ−ＧＷ１１００、ＳＧＳＮ１２００、Ｓ−ＧＷ２０、Ｐ−ＧＷ３０及び／又はＰＣＲＦ４０）は、個別のハードウェアで構成されるのではなく、ＶＮＦとして仮想マシン上で動作してもよい。即ち、ＮＦＶが使用されてもよい。仮想マシン上でＶＦＮとして動作するネットワークノードは、ＭＡＮＯと呼ばれる機能により管理及び編成されてもよい。
【０３２２】
例えば、セルラーネットワークのネットワークノード（例えば、ＨＮＢ−ＧＷ１１００、ＳＧＳＮ１２００、Ｓ−ＧＷ２０、Ｐ−ＧＷ３０及び／又はＰＣＲＦ４０）のＶＮＦを管理するＭＡＮＯが、ＦＢＡ５０の構成要素であるＳＤＮコントローラも管理する。この場合には、ＦＢＡ５０の帯域制御は、ＶＦＮであるＰＣＲＦ５０ではなく、ＭＡＮＯにより行われてもよい。
【０３２３】
（２）第２の変形例
ＰＣＲＦ４０に相当する機能が、ＲＡＮに存在してもよい。この場合に、ＰＣＲＦ４０ではなく、ＲＡＮが、固定ブロードバンドアクセスネットワーク（ＦＢＡ５０）の制御（例えば、帯域制御）を行ってもよい。
【０３２４】
この場合に、ＨＮＢ−ＧＷ１１００は、ＳＧＳＮ１２００ではなく、上記機能を有するノードへ、上記（第１の）メッセージを送信してもよい。あるいは、ＳＧＳＮ１２００は、Ｓ−ＧＷ２０ではなく、上記機能を有するノードへ、上記第２のメッセージを送信してもよい。
【０３２５】
（３）第３の変形例
第３の実施形態の上述した例では、第３の実施形態に係るシステム３は、ＨＮＢ７０、ＨＮＢ−ＧＷ１１００及びＳＧＳＮ１２００を含むが、第３の実施形態はこの例に限定されない。
【０３２６】
例えば、システム３は、ＨＮＢ７０の代わりにＨｅＮＢを含み、当該ＨｅＮＢは、ＨＮＢ７０の上述した動作と同様の動作を行ってもよい。
【０３２７】
例えば、システム３は、ＨＮＢ−ＧＷ１１００の代わりにＨｅＮＢ−ＧＷを含み、当該ＨｅＮＢ−ＧＷは、ＨＮＢ−ＧＷ１１００の上述した動作と同様の動作を行ってもよい。
【０３２８】
例えば、システム３は、ＳＧＳＮ１２００の代わりにＭＭＥを含み、当該ＭＭＥは、ＨＳＧＳＮ１２００の上述した動作と同様の動作を行ってもよい。
【０３２９】
これにより、例えば、ＬＴＥ／ＬＴＥ−Ａｄｖａｎｃｅｄのケース（具体的には、ＨｅＮＢの変更のケース）においても固定ブロードバンドアクセスネットワークの制御に必要な情報をコアネットワークノードが取得することが可能になる。
【０３３０】
＜＜６．第４の実施形態＞＞
続いて、図３２〜図３５を参照して、本発明の第４の実施形態を説明する。
【０３３１】
＜６．１．システムの構成例＞
図３２を参照して、第４の実施形態に係るシステム４の構成の例を説明する。図３２は、第４の実施形態に係るシステム４の概略的な構成の一例を示す説明図である。図３２を参照すると、システム４は、端末装置１１、ホーム基地局８０Ａ、ホーム基地局８０Ｂ、ホーム基地局ゲートウェイ１５００、第１コアネットワークノード１６００及び第２コアネットワークノード６０を含む。なお、ホーム基地局８０Ａ及びホーム基地局８０Ｂの区別が必要ない場合には、ホーム基地局８０Ａ及びホーム基地局８０Ｂの各々は、単にホーム基地局８０と呼ばれ得る。
【０３３２】
例えば、ホーム基地局８０はＨＮＢであり、ホーム基地局ゲートウェイ１５００はＨＮＢ−ＧＷであり、第１コアネットワークノード１６００はＳＧＳＮである。あるいは、ホーム基地局８０はＨｅＮＢであってもよく、ホーム基地局ゲートウェイ１５００はＨｅＮＢ−ＧＷであってもよく、第１コアネットワークノード１６００はＭＭＥであってもよい。さらに、例えば、端末装置１１はＵＥであり、第２コアネットワークノード６０はＳ−ＧＷである。
【０３３３】
とりわけ、ホーム基地局８０Ａ及びホーム基地局８０Ｂは、ホーム基地局ゲートウェイ１５００によりサービスを提供される。
【０３３４】
例えば、端末装置１１の移動に伴い、端末装置１１と通信するホーム基地局が、ホーム基地局８０Ａからホーム基地局８０Ｂに変更され得る。
【０３３５】
＜６．２．ホーム基地局ゲートウェイの構成例＞
次に、図３３を参照して、第４の実施形態に係るホーム基地局ゲートウェイ１５００の構成の例を説明する。図３３は、第４の実施形態に係るホーム基地局ゲートウェイ１５００の概略的な構成の例を示すブロック図である。図３３を参照すると、ホーム基地局ゲートウェイ１５００は、通信処理部１５０１を備える。通信処理部１５０１は、プロセッサ等により実装され得る。
【０３３６】
例えば、端末装置１１と通信するホーム基地局が、ホーム基地局８０Ａからホーム基地局８０Ｂに変更される。この場合に、ホーム基地局ゲートウェイ１５００（通信処理部１５０１）は、ホーム基地局８０Ｂのアドレス情報及びトランスポート識別情報を含むメッセージを、第１コアネットワークノード１２００へ送信する。
【０３３７】
これにより、例えば、ホームアクセスネットワークのケース（具体的には、同じホーム基地局ゲートウェイにサービスを提供されるホーム基地局間でのハンドオーバのケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【０３３８】
これらの点についての具体的な説明は、例えば、ノード名及び符号等の相違を除き、第３の実施形態における説明と同じである。よって、ここでは重複する説明を省略する。即ち、第３の実施形態において説明されたＨＮＢ−ＧＷ１１００の技術的特徴は、ホーム基地局ゲートウェイ１５００の技術的特徴としても適用され得る。
【０３３９】
＜６．３．第１コアネットワークノードの構成例＞
次に、図３４を参照して、第４の実施形態に係る第１コアネットワークノード１６００の構成の例を説明する。図３４は、第４の実施形態に係る第１コアネットワークノード１６００の概略的な構成の例を示すブロック図である。図３４を参照すると、第１コアネットワークノード１６００は、通信処理部１６０１を備える。通信処理部１６０１は、プロセッサ等により実装され得る。
【０３４０】
例えば、端末装置１１と通信するホーム基地局が、ホーム基地局８０Ａからホーム基地局８０Ｂに変更される。この場合に、第１コアネットワークノード１６００（通信処理部１６０１）は、ホーム基地局８０Ｂのアドレス情報及びトランスポート識別情報を含む第１のメッセージを、ホーム基地局ゲートウェイ１５００から受信する。例えば、第１コアネットワークノード１６００（通信処理部１６０１）は、上記アドレス情報及び上記トランスポート識別情報を含む第２のメッセージを、第２コアネットワークノード６０へ送信する。
【０３４１】
これにより、例えば、ホームアクセスネットワークのケース（具体的には、同じホーム基地局ゲートウェイにサービスを提供されるホーム基地局間でのハンドオーバのケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【０３４２】
これらの点についての具体的な説明は、例えば、ノード名及び符号等の相違を除き、第３の実施形態における説明と同じである。よって、ここでは重複する説明を省略する。即ち、第３の実施形態において説明されたＳＧＳＮ１２００の技術的特徴は、第１コアネットワークノード１６００の技術的特徴としても適用され得る。
【０３４３】
＜６．４．処理の流れ＞
次に、図３５を参照して、第４の実施形態に係る処理の流れを説明する。図３５は、第４の実施形態に係る処理の概略的な流れの例を示すシーケンス図である。
【０３４４】
（Ｓ１７０１）
端末装置１１と通信するホーム基地局が、ホーム基地局８０Ａからホーム基地局８０Ｂに変更される。この場合に、ホーム基地局ゲートウェイ１５００は、ホーム基地局８０Ｂのアドレス情報及びトランスポート識別情報を含む（第１の）メッセージを、第１コアネットワークノード１６００へ送信する。第１コアネットワークノード１６００は、当該（第１の）メッセージをホーム基地局ゲートウェイ１５００から受信する。
【０３４５】
（Ｓ１７０３）
例えば、第１コアネットワークノード１６００は、上記アドレス情報及び上記トランスポート識別情報を含む第２のメッセージを、第２コアネットワークノード６０へ送信する。
【０３４６】
以上、第４の実施形態を説明した。なお、第３の実施形態の変形例は、第４の実施形態にも適用され得る。
【０３４７】
＜＜７．第５の実施形態＞＞
続いて、図３６〜図３９を参照して、本発明の第５の実施形態を説明する。
【０３４８】
＜７．１．システムの構成例＞
図３６を参照して、第５の実施形態に係るシステム５の構成の例を説明する。図３６は、第５の実施形態に係るシステム５の概略的な構成の一例を示す説明図である。図３６を参照すると、システム５は、ＵＥ１０、Ｃ−ＲＡＮ（Centralized/  Coordinated/  Collaborative/  Cloud  Radio  Access  Network）２１００、ＲＲＨ（Remote  Radio  Head）２２００Ａ、ＲＲＨ２２００Ｂ、ＭＭＥ２３００、Ｓ−ＧＷ２０、Ｐ−ＧＷ３０、ＰＣＲＦ４０及びＦＢＡ５０を含む。なお、ＲＲＨ２２００Ａ及びＲＲＨ２２００Ｂの区別が必要ない場合には、ＲＲＨ２２００Ａ及びＲＲＨ２２００Ｂの各々は、単にＲＲＨ２２００と呼ばれ得る。
【０３４９】
第５の実施形態では、ＲＡＮ（Radio  Access  Network）は、ｅＮＢではなく、Ｃ−ＲＡＮ２１００及びＲＲＨ２２００を含む。ｅＮＢは、ＲＡＮの全てのレイヤの処理を担うが、Ｃ−ＲＡＮ２１００及びＲＲＨ２２００は、これらのレイヤの処理を分担する。例えば、ＲＲＨ２２００は、下位レイヤ（例えば、レイヤ１）の処理を担い、Ｃ−ＲＡＮ２１００は、上位レイヤ（例えば、レイヤ２及びレイヤ３）の処理を担う。Ｃ−ＲＡＮ２１００及びＲＲＨ２２００は、ＵＥ１０と通信する。
【０３５０】
例えば、Ｃ−ＲＡＮ２１００は、複数のＲＲＨ２２００（例えば、ＲＲＨ２２００Ａ及びＲＲＨ２２００Ｂ）に接続され、当該複数のＲＲＨ２２００を一元的に管理する。これにより、例えば、ＳＯＮ（Self-Organization  Network）、ＣｏＭＰ（Coordinated  Multi  Point）送受信、ＣＳ（Centralized  Scheduling）及び／又はｅＩＣＩＣ（enhanced  Inter-Cell  Interference  Coordination）等の実行時に、レイヤ１／２の処理をより効果的に行うことができる。
【０３５１】
この例では、Ｃ−ＲＡＮ２１００は、ＦＢＡ５０を介してＲＲＨ２２００と通信する。
【０３５２】
ＰＣＲＦ４０及びＦＢＡ５０は、例えば、第１の実施形態及び／又は第３の実施形態と同様に動作する。また、Ｓ−ＧＷ２０及びＰ−ＧＷ３０も、第１の実施形態及び／又は第３の実施形態と同様に動作する。
【０３５３】
例えば、ＵＥ１０は、まず、ＲＲＨ２２００Ａと通信している。その後、例えば、ＵＥ１０の移動に伴い、ＵＥ１０と通信するＲＲＨが、ＲＲＨ２２００ＡからＲＲＨ２２００Ｂに変更される。即ち、ＲＲＨ２２００ＡからＲＲＨ２２００ＢへのＵＥ１０のハンドオーバが行われる。
【０３５４】
なお、Ｃ−ＲＡＮ２１００は、他の名称を有する第１のＲＡＮノードであってもよく、ＲＲＨ２２００も、他の名称を有する第２のＲＡＮノードであってもよい。また、ＭＭＥ２３００も、他の名称を有するコアネットワークノード（制御プレーンのノード）であってもよい。また、Ｓ−ＧＷ２０も、他の名称を有するコアネットワークノード（ユーザプレーンのノード）であってもよい。また、ＰＣＲＦ４０の代わりに、ＦＢＡ５０を制御する他のノードが存在してもよい。
【０３５５】
＜７．２．Ｃ−ＲＡＮの構成例＞
次に、図３７を参照して、第５の実施形態に係るＣ−ＲＡＮ２１００の構成の例を説明する。図３７は、第５の実施形態に係るＣ−ＲＡＮ２１００の概略的な構成の例を示すブロック図である。図３７を参照すると、Ｃ−ＲＡＮ２１００は、ＲＲＨ通信部２１１０、ネットワーク通信部２１２０、記憶部２１３０及び処理部２１４９を備える。
【０３５６】
（１）ＲＲＨ通信部２１１０
無線通信部１１０は、ＲＲＨ２２００への信号を送信し、ＲＲＨ２２００からの信号を受信する。
【０３５７】
（２）ネットワーク通信部２１２０
ネットワーク通信部２１２０は、ネットワーク（例えば、バックホール）から信号を受信し、当該ネットワークへ信号を送信する。
【０３５８】
（３）記憶部２１３０
記憶部２１３０は、Ｃ−ＲＡＮ２１００の動作のためのプログラム及びパラメータ、並びに様々なデータを、一時的に又は恒久的に記憶する。
【０３５９】
（４）処理部２１４０
処理部２１４０は、Ｃ−ＲＡＮ２１００の様々な機能を提供する。処理部２１４０は、第１通信処理部２１４１、第２通信処理部２１４３及び生成部２１４５を含む。なお、処理部２１４０は、これらの構成要素以外の他の構成要素をさらに含み得る。即ち、処理部１４０は、これらの構成要素の動作以外の動作も行い得る。
【０３６０】
例えば、処理部２１４０（第１通信処理部２１４１）は、ＲＲＨ通信部２１１０を介してＲＲＨ２２００と通信し、ＲＲＨ２２００（及びＲＲＨ通信部２１１０）を介してＵＥ１０と通信する。例えば、処理部２１４０（第２通信処理部２１４３）は、ネットワーク通信部２１２０を介して他のネットワークノード（例えば、ＭＭＥ２３００等）と通信する。
【０３６１】
（５）実装
ＲＲＨ通信部２１１０及びネットワーク通信部２１２０の各々は、ネットワークアダプタ又はネットワークインタフェースカードなどを含んでもよい。記憶部２１３０は、メモリ（例えば、不揮発性メモリ及び／若しくは揮発性メモリ）並びに／又はハードディスクなどを含んでもよい。処理部２１４０は、ベースバンド（ＢＢ）プロセッサ及び／又は他のプロセッサなどを含んでもよい。
【０３６２】
（６）技術的特徴
例えば、ＵＥ１０と通信するＲＲＨが、ＲＲＨ２２００ＡからＲＲＨ２２００Ｂ変更される。この場合に、Ｃ−ＲＡＮ２１００（第２通信処理部２１４３）は、ＲＲＨ２２００Ｂ（即ち、ターゲットＲＲＨ）の通信識別情報を含むメッセージを、コアネットワークノード（例えば、ＭＭＥ２３００）へ送信する。例えば、Ｃ−ＲＡＮ２１００（生成部２１４５）は、上記メッセージを生成する。
【０３６３】
これにより、例えば、Ｃ−ＲＡＮのケース（具体的には、ＲＲＨの変更のケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【０３６４】
（ａ）コアネットワークノード
例えば、上記コアネットワークノードは、ＭＭＥ２３００である。なお、上記コアネットワークノードは、他の名称を有するコアネットワークノード（制御プレーンのノード）であってもよい。
【０３６５】
（ｂ）通信識別情報
例えば、上記通信識別情報は、ＲＲＨ２２００Ｂのアドレス及び／又はポート番号である。例えば、Ｃ−ＲＡＮ２１００は、ＣＰＲＩインターフェース（又はそれと同等の役割を有する他のインターフェース）を介して上記通信識別情報を取得する。
【０３６６】
例えば、上記通信識別情報は、ＦＢＡ５０に提供される情報である。より具体的には、例えば、上記通信識別情報は、ＰＣＲＦ４０（又はＦＢＡ５０を制御する他のノード）からＦＢＡ５０に提供される情報である。これにより、例えば、帯域制御が行われ得る。
【０３６７】
＜７．３．ＭＭＥの構成例＞
次に、図３８を参照して、第５の実施形態に係るＭＭＥ２３００の構成の例を説明する。図３８は、第５の実施形態に係るＭＭＥ２３００の概略的な構成の例を示すブロック図である。図３８を参照すると、ＭＭＥ２３００は、ネットワーク通信部２３１０、記憶部２３２０及び処理部２３３０を備える。
【０３６８】
（１）ネットワーク通信部２３１０
ネットワーク通信部２３１０は、ネットワークから信号を受信し、当該ネットワークへ信号を送信する。
【０３６９】
（２）記憶部２３２０
記憶部２３２０は、ＭＭＥ２３００の動作のためのプログラム及びパラメータ、並びに様々なデータを、一時的に又は恒久的に記憶する。
【０３７０】
（３）処理部２３３０
処理部２３３０は、ＭＭＥ２３００の様々な機能を提供する。処理部２３３０は、通信処理部２３３１及び生成部２３３３を含む。なお、処理部２３３０は、これらの構成要素以外の他の構成要素をさらに含み得る。即ち、処理部２３３０は、これらの構成要素の動作以外の動作も行い得る。
【０３７１】
例えば、処理部２３３０（通信処理部２３３１）は、ネットワーク通信部２３１０を介して他のネットワークノード（Ｃ−ＲＡＮ２１００及びＳ−ＧＷ２０等）と通信する。
【０３７２】
（４）実装
ネットワーク通信部２３１０は、ネットワークアダプタ又はネットワークインタフェースカードなどを含んでもよい。記憶部２３２０は、メモリ（例えば、不揮発性メモリ及び／若しくは揮発性メモリ）並びに／又はハードディスクなどを含んでもよい。処理部２３３０は、プロセッサなどを含んでもよい。
【０３７３】
（５）技術的特徴
例えば、ＵＥ１０と通信するＲＲＨが、ＲＲＨ２２００ＡからＲＲＨ２２００Ｂ変更される。この場合に、ＭＭＥ２３００（通信処理部２３３１）は、ＲＲＨ２２００Ｂ（ターゲットＲＲＨ）の通信識別情報を含むメッセージを、Ｃ−ＲＡＮ２１００から受信する。例えば、ＭＭＥ２３００（通信処理部２３３１）は、上記通信識別情報を含む他のメッセージを、コアネットワークノードへ送信する。例えば、ＭＭＥ２３００（生成部２３３３）は、上記他のメッセージを生成する。
【０３７４】
これにより、例えば、Ｃ−ＲＡＮのケース（具体的には、ＲＲＨの変更のケース）においても固定ブロードバンドアクセスネットワークの制御に必要な情報をコアネットワークノードが取得することが可能になる。その結果、３ＧＰＰシステムの利用者の通信品質が維持／向上され、基地局毎のＲＡＢの収容数が適正化され得る。
【０３７５】
（ａ）コアネットワークノード
例えば、上記コアネットワークノードは、Ｓ−ＧＷ２０である。
【０３７６】
（ｂ）通信識別情報
上記通信識別情報については、Ｃ−ＲＡＮ２１００の構成例に関連して上述したとおりである。
【０３７７】
＜７．４．処理の流れ＞
次に、図３９を参照して、第５の実施形態に係る処理の流れを説明する。図３９は、第５の実施形態に係る処理の概略的な流れの例を示すシーケンス図である。
【０３７８】
（Ｓ２４０１）
ＵＥ１０と通信するＲＲＨが、ＲＲＨ２２００ＡからＲＲＨ２２００Ｂに変更される。この場合に、Ｃ−ＲＡＮ２１００は、ＲＲＨ２２００Ｂの通信識別情報を含むメッセージを、ＭＭＥ２３００へ送信する。
【０３７９】
（Ｓ２４０３）
ＭＭＥ２３００は、上記通信識別情報を含む他のメッセージを、他のコアネットワークノード（例えば、Ｓ−ＧＷ２０）へ送信する。
【０３８０】
その後、例えば、図１９を参照して説明したステップＳ４３５〜Ｓ４５３（又はその一部）と同様の処理が行われ得る。
【０３８１】
＜７．５．変形例＞
（１）第１の変形例
ネットワークノード（例えば、Ｃ−ＲＡＮ２１００、ＭＭＥ２３００、Ｓ−ＧＷ２０、Ｐ−ＧＷ３０及び／又はＰＣＲＦ４０）は、個別のハードウェアで構成されるのではなく、ＶＮＦとして仮想マシン上で動作してもよい。即ち、ＮＦＶが使用されてもよい。仮想マシン上でＶＦＮとして動作するネットワークノードは、ＭＡＮＯと呼ばれる機能により管理及び編成されてもよい。
【０３８２】
例えば、セルラーネットワークのネットワークノード（例えば、Ｃ−ＲＡＮ２１００、ＭＭＥ２３００、Ｓ−ＧＷ２０、Ｐ−ＧＷ３０及び／又はＰＣＲＦ４０）のＶＮＦを管理するＭＡＮＯが、ＦＢＡ５０の構成要素であるＳＤＮコントローラも管理する。この場合には、ＦＢＡ５０の帯域制御は、ＶＦＮであるＰＣＲＦ５０ではなく、ＭＡＮＯにより行われてもよい。
【０３８３】
（２）第２の変形例
ＰＣＲＦ４０に相当する機能が、ＲＡＮに存在してもよい。この場合に、ＰＣＲＦ４０ではなく、ＲＡＮが、固定ブロードバンドアクセスネットワーク（ＦＢＡ５０）の制御（例えば、帯域制御）を行ってもよい。
【０３８４】
この場合に、Ｃ−ＲＡＮ２１００は、ＭＭＥ２３００ではなく、上記機能を有するノードへ、上記メッセージを送信してもよい。あるいは、ＭＭＥ２３００は、Ｓ−ＧＷ２０ではなく、上記機能を有するノードへ、上記他のメッセージを送信してもよい。
【０３８５】
＜＜８．他の実施形態＞＞
本発明の実施形態は、上述した第１〜第５の実施形態に限定されない。
【０３８６】
例えば、システムは、端末装置、第１の無線通信装置、第２の無線通信装置、管理装置、及びコアネットワークノードを含んでもよい。
【０３８７】
上記第１の無線通信装置及び上記第２の無線通信装置の各々は、上記端末装置と通信可能であってもよい。また、上記管理装置は、上記第１の無線通信装置及び上記第２の無線通信装置に対応する装置であり、上記コアネットワークノードと通信可能であってもよい。上記コアネットワークノードは、制御プレーンのノードであってもよい。
【０３８８】
例えば、上記端末装置と通信する無線通信装置が、上記第１の無線通信装置から上記第２の無線通信装置に変更されてもよい。この場合に、上記管理装置（通信処理部）は、上記第２の無線通信装置のアドレス情報（例えば、ＩＰアドレス）及びトランスポート識別情報（例えば、ＵＤＰポート番号）（又は通信識別情報）を含むメッセージを、上記コアネットワークノードへ送信してもよい。上記管理装置（生成部）は、上記メッセージを生成してもよい。
【０３８９】
例えば、上記コアネットワークノード（通信処理部）は、上記メッセージを上記管理装置から受信してもよい。そして、上記コアネットワークノード（通信処理部）は、上記アドレス情報（例えば、ＩＰアドレス）及び上記トランスポート識別情報（例えば、ＵＤＰポート番号）（又は上記通信識別情報）を含む他のメッセージを、他のコアネットワークノード（例えば、ユーザプレーンのノード）へ送信してもよい。例えば、上記コアネットワークノード（生成部）は、上記他のメッセージを生成してもよい。
【０３９０】
一例として、上記第１の無線通信装置及び上記第２の無線通信装置の各々は、デュアルコネクティビティにおいて追加の無線リソースを上記端末装置に提供するセカンダリ基地局として動作可能な基地局であってもよい。さらに、上記管理装置は、上記セカンダリ基地局に対応するマスタ基地局として動作可能な基地局であってもよい。
【０３９１】
別の例として、上記管理装置は、基地局であってもよく、上記第１の無線通信装置及び上記第２の無線通信装置の各々は、上記基地局とは異なる無線アクセス技術を使用するアクセスポイントであってもよい。当該アクセスポイント（上記第１の無線通信装置及び上記第２の無線通信装置）は、上記基地局（上記管理装置）が通信する上記端末装置と通信可能であってもよい。
【０３９２】
さらに別の例として、上記第１の無線通信装置及び上記第２の無線通信装置の各々は、ホーム基地局であってもよく、上記管理装置は、当該ホーム基地局にサービスを提供するホーム基地局ゲートウェイであってもよい。
【０３９３】
以上、本発明の実施形態を説明した。本発明は上述した実施形態に限定されるものではなく、本発明の要旨の範囲内において種々に変形して実施をすることが可能である。上述した実施形態は例示であり、実施形態の組合せやそれらの各構成要素や各処理プロセスの組合せに様々な変形例が可能なこと、またそうした変形例も本発明の範囲にあることは、当業者に理解されるところである。
【０３９４】
例えば、本明細書に記載されている処理におけるステップは、必ずしもシーケンス図に記載された順序に沿って時系列に実行されなくてよい。例えば、処理におけるステップは、シーケンス図として記載した順序と異なる順序で実行されても、並列的に実行されてもよい。
【０３９５】
また、本明細書において説明した基地局（例えば、第１の実施形態のｅＮＢ、第２の実施形態の基地局若しくは無線通信装置、又は第５の実施形態のＣ−ＲＡＮ）の少なくとも１つの構成要素を備える基地局装置（例えば、ＢＢＵ（Base  Band  Unit）を含む装置、若しくはＢＢＵ）、又は当該基地局装置のためのモジュール（例えば、ＢＢＵ、若しくはＢＢＵのモジュール）が提供されてもよい。また、本明細書において説明した他のノード（第１の実施形態のＭＭＥ、第２の実施形態の無線通信装置若しくは第１コアネットワークノード、第３の実施形態のＨＮＢ−ＧＷ若しくはＭＭＥ、第４の実施形態のホーム基地局ゲートウェイ若しくは第１コアネットワークノード、又は第５の実施形態のＭＭＥ）の少なくとも１つの構成要素を備えるモジュールが提供されてもよい。また、上記少なくとも１つの構成要素の処理を含む方法が提供されてもよく、上記少なくとも１つの構成要素の処理をプロセッサに実行させるためのプログラムが提供されてもよい。また、当該プログラムを記録した記録媒体が提供されてもよい。当然ながら、このような基地局装置、モジュール、方法、プログラム及び記録媒体も本発明に含まれる。
【０３９６】
上記実施形態の一部又は全部は、以下の付記のようにも記載され得るが、以下には限られない。
【０３９７】
（付記１）
基地局が通信する端末装置と通信する無線通信装置が、第１の無線通信装置から第２の無線通信装置に変更される場合に、当該第２の無線通信装置のアドレス情報及びトランスポート識別情報を含む第１のメッセージを、コアネットワークノードへ送信する通信処理部、を備える装置。
【０３９８】
（付記２）
前記装置は、前記基地局、前記基地局のための基地局装置、又は当該基地局装置のためのモジュールである、付記１に記載の装置。
【０３９９】
（付記３）
前記コアネットワークノードは、ＭＭＥ（Mobility  Management  Entity）である、付記１又は２に記載の装置。
【０４００】
（付記４）
前記無線通信装置は、デュアルコネクティビティにおいて追加の無線リソースを端末装置に提供するセカンダリ基地局であり、
前記基地局は、前記セカンダリ基地局に対応するマスタ基地局である、
付記１〜３のいずれか１項に記載の装置。
【０４０１】
（付記５）
前記第１のメッセージは、Ｓ１ＡＰ：Ｅ−ＲＡＢ  ＭＯＤＩＦＩＣＡＴＩＯＮ  ＩＮＤＩＣＡＴＩＯＮメッセージである、付記１〜４のいずれか１項に記載の装置。
【０４０２】
（付記６）
前記通信処理部は、前記端末装置及び前記第１の無線通信装置についてのＳＣＧ（Secondary  Cell  Group）ベアラがない場合であっても、前記第１のメッセージを前記コアネットワークノードへ送信する、付記５に記載の装置。
【０４０３】
（付記７）
前記通信処理部は、前記アドレス情報及び前記トランスポート識別情報を含む第２のメッセージを受信する、付記１〜６のいずれか１項に記載の装置。
【０４０４】
（付記８）
前記無線通信装置は、前記基地局とは異なる無線アクセス技術を使用するアクセスポイントである、付記１〜３のいずれか１項に記載の装置。
【０４０５】
（付記９）
前記無線通信装置は、無線ローカルアクセスネットワーク（ＷＬＡＮ）アクセスポイントである、付記８に記載の装置。
【０４０６】
（付記１０）
前記第１の無線通信装置は、第１のモビリティセットに属する第１のアクセスポイントであり、
前記第２の無線通信装置は、前記第１のモビリティセットとは異なる第２のモビリティセットに属する第２のアクセスポイントである、
付記８又は９に記載の装置。
【０４０７】
（付記１１）
基地局が通信する端末装置と通信する無線通信装置が、第１の無線通信装置から第２の無線通信装置に変更される場合に、当該第２の無線通信装置のアドレス情報及びトランスポート識別情報を含む第１のメッセージを、前記基地局から受信する通信処理部、を備える装置。
【０４０８】
（付記１２）
前記通信処理部は、前記アドレス情報及び前記トランスポート識別情報を含む第２のメッセージを、コアネットワークノードへ送信する、付記１１に記載の装置。
【０４０９】
（付記１３）
前記装置は、前記コアネットワークノードとは異なる他のコアネットワークノード、又は当該他のコアネットワークノードのためのモジュールである、付記１２に記載の装置。
【０４１０】
（付記１４）
前記他のコアネットワークノードは、ＭＭＥである、付記１３に記載の装置。
【０４１１】
（付記１５）
前記コアネットワークノードは、Ｓ−ＧＷ（Serving  Gateway）である、付記１２〜１４のいずれか１項に記載の装置。
【０４１２】
（付記１６）
前記第２のメッセージは、ＭＯＤＩＦＹ  ＢＥＡＲＥＲ  ＲＥＱＵＥＳＴメッセージである、付記１２〜１５のいずれか１項に記載の装置。
【０４１３】
（付記１７）
基地局が通信する端末装置と通信可能な無線通信装置のアドレス情報及びトランスポート識別情報を含むメッセージを、前記アドレス情報及び前記トランスポート識別情報を前記基地局へ転送するコアネットワークノード、又は前記基地局へ送信する通信処理部、を備える装置。
【０４１４】
（付記１８）
前記無線通信装置は、デュアルコネクティビティにおいて追加の無線リソースを端末装置に提供するセカンダリ基地局として動作可能な他の基地局であり、
前記基地局は、前記セカンダリ基地局に対応するマスタ基地局として動作可能である、付記１７に記載の装置。
【０４１５】
（付記１９）
前記装置は、前記他の基地局、前記他の基地局のための基地局装置、又は当該基地局装置のためのモジュールである、付記１８に記載の装置。
【０４１６】
（付記２０）
前記通信処理部は、前記コアネットワークノードへ前記メッセージを送信し、
前記コアネットワークノードは、ＭＭＥである、付記１７〜１９のいずれか１項に記載の装置。
【０４１７】
（付記２１）
前記メッセージは、Ｓ１ＡＰ：ＥＮＢ  ＣＯＮＦＩＧＵＲＡＴＩＯＮ  ＴＲＡＮＳＦＥＲメッセージである、付記２０に記載の装置。
【０４１８】
（付記２２）
前記コアネットワークノードは、前記アドレス情報及び前記トランスポート識別情報を含むＳ１ＡＰ：ＭＭＥ  ＣＯＮＦＩＧＵＲＡＴＩＯＮ  ＴＲＡＮＳＦＥＲメッセージを前記基地局へ送信するノードである、付記２０又は２１に記載の装置。
【０４１９】
（付記２３）
前記通信処理部は、前記基地局へ前記メッセージを送信し、
前記メッセージは、Ｘ２ＡＰ：Ｘ２  ＳＥＴＵＰ  ＲＥＱＵＥＳＴメッセージ、又はＸ２ＡＰ：Ｘ２  ＳＥＴＵＰ  ＲＥＳＰＯＮＳＥメッセージである、
付記１７〜１９のいずれか１項に記載の装置。
【０４２０】
（付記２４）
前記通信処理部は、前記基地局へ前記メッセージを送信し、
前記メッセージは、Ｘ２ＡＰ：ＳＥＮＢ  ＡＤＤＩＴＩＯＮ  ＲＥＱＵＥＳＴ  ＡＣＫＮＯＷＬＥＤＧＥメッセージである、
付記１７〜１９のいずれか１項に記載の装置。
【０４２１】
（付記２５）
前記無線通信装置は、前記基地局とは異なる無線アクセス技術を使用するアクセスポイントである、付記１７に記載の装置。
【０４２２】
（付記２６）
前記無線通信装置は、無線ローカルアクセスネットワーク（ＷＬＡＮ）のアクセスポイントである、付記２５に記載の装置。
【０４２３】
（付記２７）
前記装置は、前記アクセスポイント、若しくは前記アクセスポイントのためのモジュール、又は、前記アクセスポイントに対応する終端装置、若しくは当該終端装置のためのモジュールである、付記２５又は２６に記載の装置。
【０４２４】
（付記２８）
端末装置と通信するホーム基地局が、ホーム基地局ゲートウェイによりサービスを提供される第１のホーム基地局から、当該ホーム基地局ゲートウェイによりサービスを提供される第２のホーム基地局に変更される場合に、当該第２のホーム基地局のアドレス情報及びトランスポート識別情報を含むメッセージを、コアネットワークノードへ送信する通信処理部、を備える装置。
【０４２５】
（付記２９）
前記装置は、前記ホーム基地局ゲートウェイ、又は前記ホーム基地局ゲートウェイのためのモジュールである、付記２８に記載の装置。
【０４２６】
（付記３０）
前記コアネットワークノードは、ＳＧＳＮ（Serving  GPRS（General  Packet  Radio  Service）  Support  Node）である、付記２８又は２９に記載の装置。
【０４２７】
（付記３１）
前記メッセージは、ＲＡＮＡＰ：ＲＥＬＯＣＡＴＩＯＮ  ＣＯＭＰＬＥＴＥメッセージである、付記２８〜３０のいずれか１項に記載の装置。
【０４２８】
（付記３２）
端末装置と通信するホーム基地局が、ホーム基地局ゲートウェイによりサービスを提供される第１のホーム基地局から、当該ホーム基地局ゲートウェイによりサービスを提供される第２のホーム基地局に変更される場合に、当該第２のホーム基地局のアドレス情報及びトランスポート識別情報を含む第１のメッセージを、前記ホーム基地局ゲートウェイから受信する通信処理部、を備える、装置。
（付記３３）
前記通信処理部は、前記アドレス情報及び前記トランスポート識別情報を含む第２のメッセージを、コアネットワークノードへ送信する、付記３２に記載の装置。
【０４２９】
（付記３４）
前記装置は、前記コアネットワークノードとは異なる他のコアネットワークノード、又は当該他のコアネットワークノードのためのモジュールである、付記３３に記載の装置。
【０４３０】
（付記３５）
前記他のコアネットワークノードは、ＳＧＳＮである、付記３４に記載の装置。
【０４３１】
（付記３６）
前記コアネットワークノードは、Ｓ−ＧＷである、付記３３〜３５のいずれか１項に記載の装置。
【０４３２】
（付記３７）
前記第２のメッセージは、ＭＯＤＩＦＹ  ＢＥＡＲＥＲ  ＲＥＱＵＥＳＴメッセージである、付記３３〜３６のいずれか１項に記載の装置。
【０４３３】
（付記３８）
前記アドレス情報は、ＩＰ（Internet  Protocol）アドレスである、付記１〜３７のいずれか１項に記載の装置。
【０４３４】
（付記３９）
前記ＩＰアドレスは、パブリックＩＰアドレスである、付記３８に記載の装置。
【０４３５】
（付記４０）
前記トランスポート識別情報は、ＵＤＰ（User  Datagram  Protocol）ポート番号である、付記１〜３９のいずれか１項に記載の装置。
【０４３６】
（付記４１）
前記第１のメッセージ又は前記メッセージは、前記アドレス情報及び前記トランスポート識別情報を含むトンネル情報を含む、付記１〜４０のいずれか１項に記載の装置。
【０４３７】
（付記４２）
前記アドレス情報及び前記トランスポート識別情報は、固定ブロードバンドアクセスネットワークに提供される情報である、付記１〜４１のいずれか１項に記載の装置。
【０４３８】
（付記４３）
前記アドレス情報及び前記トランスポート識別情報は、ＰＣＲＦ（Policy  and  Charging  Rules  Function）から固定ブロードバンドアクセスネットワークに提供される情報である、付記４２に記載の装置。
【０４３９】
（付記４４）
デュアルコネクティビティにおいて追加の無線リソースを端末装置に提供するセカンダリ基地局が、第１の基地局から第２の基地局に変更される場合に、当該第２の基地局のアドレス情報及びトランスポート識別情報を含むメッセージを、コアネットワークノードへ送信する通信処理部、を備える装置。
【０４４０】
（付記４５）
基地局が通信する端末装置と通信するアクセスポイントであって、前記基地局とは異なる無線アクセス技術を使用する前記アクセスポイントが、第１のアクセスポイントから第２のアクセスポイントに変更される場合に、当該第２のアクセスポイントのアドレス情報及びトランスポート識別情報を含むメッセージを、コアネットワークノードへ送信する通信処理部、を備える装置。
【０４４１】
（付記４６）
デュアルコネクティビティにおいて追加の無線リソースを端末装置に提供するセカンダリ基地局が、第１の基地局から第２の基地局に変更される場合に、当該第２の基地局のアドレス情報及びトランスポート識別情報を含むメッセージを、前記セカンダリ基地局に対応するマスタ基地局から受信する通信処理部、を備える装置。
【０４４２】
（付記４７）
基地局が通信する端末装置と通信するアクセスポイントであって、前記基地局とは異なる無線アクセス技術を使用する前記アクセスポイントが、第１のアクセスポイントから第２のアクセスポイントに変更される場合に、当該第２のアクセスポイントのアドレス情報及びトランスポート識別情報を含むメッセージを、前記基地局から受信する通信処理部、を備える装置。
【０４４３】
（付記４８）
基地局が通信する端末装置と通信する無線通信装置が、第１の無線通信装置から第２の無線通信装置に変更される場合に、当該第２の無線通信装置のアドレス情報及びトランスポート識別情報を含むメッセージを、コアネットワークノードへ送信すること、を含む方法。
【０４４４】
（付記４９）
基地局が通信する端末装置と通信する無線通信装置が、第１の無線通信装置から第２の無線通信装置に変更される場合に、当該第２の無線通信装置のアドレス情報及びトランスポート識別情報を含むメッセージを、コアネットワークノードへ送信すること、をプロセッサに実行させるためのプログラム。
【０４４５】
（付記５０）
基地局が通信する端末装置と通信する無線通信装置が、第１の無線通信装置から第２の無線通信装置に変更される場合に、当該第２の無線通信装置のアドレス情報及びトランスポート識別情報を含むメッセージを、コアネットワークノードへ送信すること、をプロセッサに実行させるためのプログラムを記録した読み取り可能な記録媒体。
【０４４６】
（付記５１）
基地局が通信する端末装置と通信する無線通信装置が、第１の無線通信装置から第２の無線通信装置に変更される場合に、当該第２の無線通信装置のアドレス情報及びトランスポート識別情報を含むメッセージを、前記基地局から受信すること、を含む方法。
【０４４７】
（付記５２）
基地局が通信する端末装置と通信する無線通信装置が、第１の無線通信装置から第２の無線通信装置に変更される場合に、当該第２の無線通信装置のアドレス情報及びトランスポート識別情報を含むメッセージを、前記基地局から受信すること、をプロセッサに実行させるためのプログラム。
【０４４８】
（付記５３）
基地局が通信する端末装置と通信する無線通信装置が、第１の無線通信装置から第２の無線通信装置に変更される場合に、当該第２の無線通信装置のアドレス情報及びトランスポート識別情報を含むメッセージを、前記基地局から受信すること、をプロセッサに実行させるためのプログラムを記録した読み取り可能な記録媒体。
【０４４９】
（付記５４）
基地局が通信する端末装置と通信可能な無線通信装置のアドレス情報及びトランスポート識別情報を含むメッセージを、前記アドレス情報及び前記トランスポート識別情報を前記基地局へ転送するコアネットワークノード、又は前記基地局へ送信すること、を含む方法。
【０４５０】
（付記５５）
基地局が通信する端末装置と通信可能な無線通信装置のアドレス情報及びトランスポート識別情報を含むメッセージを、前記アドレス情報及び前記トランスポート識別情報を前記基地局へ転送するコアネットワークノード、又は前記基地局へ送信すること、をプロセッサに実行させるためのプログラム。
【０４５１】
（付記５６）
基地局が通信する端末装置と通信可能な無線通信装置のアドレス情報及びトランスポート識別情報を含むメッセージを、前記アドレス情報及び前記トランスポート識別情報を前記基地局へ転送するコアネットワークノード、又は前記基地局へ送信すること、をプロセッサに実行させるためのプログラムを記録した読み取り可能な記録媒体。
【０４５２】
（付記５７）
端末装置と通信するホーム基地局が、ホーム基地局ゲートウェイによりサービスを提供される第１のホーム基地局から、当該ホーム基地局ゲートウェイによりサービスを提供される第２のホーム基地局に変更される場合に、当該第２のホーム基地局のアドレス情報及びトランスポート識別情報を含むメッセージを、コアネットワークノードへ送信すること、を含む方法。
【０４５３】
（付記５８）
端末装置と通信するホーム基地局が、ホーム基地局ゲートウェイによりサービスを提供される第１のホーム基地局から、当該ホーム基地局ゲートウェイによりサービスを提供される第２のホーム基地局に変更される場合に、当該第２のホーム基地局のアドレス情報及びトランスポート識別情報を含むメッセージを、コアネットワークノードへ送信すること、をプロセッサに実行させるためのプログラム。
【０４５４】
（付記５９）
端末装置と通信するホーム基地局が、ホーム基地局ゲートウェイによりサービスを提供される第１のホーム基地局から、当該ホーム基地局ゲートウェイによりサービスを提供される第２のホーム基地局に変更される場合に、当該第２のホーム基地局のアドレス情報及びトランスポート識別情報を含むメッセージを、コアネットワークノードへ送信すること、をプロセッサに実行させるためのプログラムを記録した読み取り可能な記録媒体。
【０４５５】
（付記６０）
端末装置と通信するホーム基地局が、ホーム基地局ゲートウェイによりサービスを提供される第１のホーム基地局から、当該ホーム基地局ゲートウェイによりサービスを提供される第２のホーム基地局に変更される場合に、当該第２のホーム基地局のアドレス情報及びトランスポート識別情報を含むメッセージを、前記ホーム基地局ゲートウェイから受信すること、を含む方法。
【０４５６】
（付記６１）
端末装置と通信するホーム基地局が、ホーム基地局ゲートウェイによりサービスを提供される第１のホーム基地局から、当該ホーム基地局ゲートウェイによりサービスを提供される第２のホーム基地局に変更される場合に、当該第２のホーム基地局のアドレス情報及びトランスポート識別情報を含むメッセージを、前記ホーム基地局ゲートウェイから受信すること、をプロセッサに実行させるためのプログラム。
【０４５７】
（付記６２）
端末装置と通信するホーム基地局が、ホーム基地局ゲートウェイによりサービスを提供される第１のホーム基地局から、当該ホーム基地局ゲートウェイによりサービスを提供される第２のホーム基地局に変更される場合に、当該第２のホーム基地局のアドレス情報及びトランスポート識別情報を含むメッセージを、前記ホーム基地局ゲートウェイから受信すること、をプロセッサに実行させるためのプログラムを記録した読み取り可能な記録媒体。
【０４５８】
この出願は、２０１５年１０月２３日に出願された日本国特願２０１５−２０８８６６を基礎とする優先権を主張し、その開示の全てをここに取り込む。
【産業上の利用可能性】
【０４５９】
移動体通信システムにおいて、より多くのケースで、例えば固定ブロードバンドアクセスネットワークの制御に必要な情報をコアネットワークノードが取得できる。
【符号の説明】
【０４６０】
１，２，３，４，５  システム
１０                ＵＥ（User  Equipment）
１１                端末装置
２０                Ｓ−ＧＷ（Serving  Gateway）
３０                Ｐ−ＧＷ（Packet  data  network  Gateway）
４０                ＰＣＲＦ（Policy  and  Charging  Rules  Function）
５０                ＦＢＡ（Fixed  Broadband  Access）
６０                第２コアネットワークノード
７０                ＨＮＢ（Home  Node  B）
８０                ホーム基地局
１００，２００      ｅＮＢ（evolved  Node  B）
１４３，２４３      第２通信処理部
１４５，２４５      生成部
２０１              ＷＴ（Wireless  Local  Area  Network  (WLAN)  Termination）
２０３              ＷＬＡＮ  ＡＰ（Wireless  Local  Area  Network  Access  Point）
３００，２３００    ＭＭＥ（Mobility  Management  Entity）
３３１，２３３１    通信処理部
３３３，２３３３生成部
５００              基地局
５０３              通信処理部
６００              無線通信装置
６０３              通信処理部
７００，１６００    第１コアネットワークノード
７０１，１６０１    通信処理部
１１００            ＨＮＢ−ＧＷ（Home  Node  B  Gateway）
１１３１            通信処理部
１１３３            生成部
１２００            ＳＧＳＮ（Serving  GPRS  Support  Node）
１２３１            通信処理部
１２３３            生成部
１５００            ホーム基地局ゲートウェイ
１５０１            通信処理部
２１００            Ｃ−ＲＡＮ（Centralized/  Coordinated/  Collaborative/  Cloud  Radio  Access  Network）
２１４３            第２通信処理部
２１４５            生成部
【図１】
2017068915.tif 000003
【図２】
2017068915.tif 000004
【図３】
2017068915.tif 000005
【図４】
2017068915.tif 000006
【図５】
2017068915.tif 000007
【図６】
2017068915.tif 000008
【図７】
2017068915.tif 000009
【図８】
2017068915.tif 000010
【図９】
2017068915.tif 000011
【図１０】
2017068915.tif 000012
【図１１】
2017068915.tif 000013
【図１２】
2017068915.tif 000014
【図１３】
2017068915.tif 000015
【図１４】
2017068915.tif 000016
【図１５】
2017068915.tif 000017
【図１６】
2017068915.tif 000018
【図１７】
2017068915.tif 000019
【図１８】
2017068915.tif 000020
【図１９】
2017068915.tif 000021
【図２０】
2017068915.tif 000022
【図２１】
2017068915.tif 000023
【図２２】
2017068915.tif 000024
【図２３】
2017068915.tif 000025
【図２４】
2017068915.tif 000026
【図２５】
2017068915.tif 000027
【図２６】
2017068915.tif 000028
【図２７】
2017068915.tif 000029
【図２８】
2017068915.tif 000030
【図２９】
2017068915.tif 000031
【図３０】
2017068915.tif 000032
【図３１】
2017068915.tif 000033
【図３２】
2017068915.tif 000034
【図３３】
2017068915.tif 000035
【図３４】
2017068915.tif 000036
【図３５】
2017068915.tif 000037
【図３６】
2017068915.tif 000038
【図３７】
2017068915.tif 000039
【図３８】
2017068915.tif 000040
【図３９】
2017068915.tif 000041
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
端末装置と通信するSeNBを、ソースSeNBからターゲットSeNBに変更するとき、
アドレス情報とUDPポート情報とを含むE-RAB  MODIFICATION  INDICATIONメッセージを、コアネットワークノードに送信する、装置。
【請求項２】
前記アドレス情報は、前記ターゲットSeNBのローカルIPアドレスである、請求項１に記載の装置。
【請求項３】
前記装置は、前記アドレス情報と前記UDPポート情報とを、前記ターゲットSeNBから受信する、請求項１または２に記載の装置。
【請求項４】
前記装置は、前記ターゲットSeNBからSENB  ADDITION  REQUEST  ACKNOWLEDGEメッセージを受信し、
前記アドレス情報と前記UDPポート情報は、前記SENB  ADDITION  REQUEST  ACKNOWLEDGEメッセージに含まれる、
請求項１乃至３のいずれか一項に記載の装置。
【請求項５】
端末装置と通信するSeNBを、ソースSeNBからターゲットSeNBに変更するとき、
アドレス情報とUDPポート情報とを含むE-RAB  MODIFICATION  INDICATIONメッセージを、コアネットワークノードに送信すること、を含む方法。
【請求項６】
端末装置と通信するSeNBを、ソースSeNBからターゲットSeNBに変更するとき、
アドレス情報とUDPポート情報とを含むE-RAB  MODIFICATION  INDICATIONメッセージを、MeNBから受信する、装置。
【請求項７】
MeNBからSENB  ADDITON  REQUESTを受信した後、アドレス情報とUDPポート情報とを含むSENB  ADDITON  REQUEST  ACKNOWLEDGEを、前記MeNBに送信する、装置。
【請求項８】
SeNBから、アドレス情報とUDPポート情報とを含むSENB  ADDITON  REQUEST  ACKNOWLEDGEを受信したとき、
前記アドレス情報と前記UDPポート情報とを含むE-RAB  MODIFICATION  INDICATIONメッセージを、コアネットワークノードに送信する、装置。
【請求項９】
SeNBへSENB  ADDITON  REQUESTを送信した後、アドレス情報とUDPポート情報とを含むSENB  ADDITON  REQUEST  ACKNOWLEDGEを、前記SeNBから受信する、装置。
【請求項１０】
端末装置と通信するSeNBを、ソースSeNBからターゲットSeNBに変更するとき、
前記ターゲットSeNBのローカルIPアドレスを含むE-RAB  MODIFICATION  INDICATIONメッセージを、コアネットワークノードに送信する、装置。
【国際調査報告】
2017068915.tif 000042
2017068915.tif 000043
2017068915.tif 000044
2017068915.tif 000045
2017068915.tif 000046
2017068915.tif 000047
2017068915.tif 000048
2017068915.tif 000049